(57)【要約】【課題】アクセスポイントの切替をスムーズが実行される。【解決手段】モバイルＩＰ端末によって、旧ＡＰ１ａ及びモバイルＩＰ端末に備えられた送受信機ＲＦ１を介して旧ＩＳＷ１と通信が行われている。送受信機ＲＦ１による通信レベルが低下すると、モバイルＩＰ端末によって、モバイルＩＰ端末に備えられた送受信機ＲＦ２を介して、新ＡＰ３ａから、新ＡＰ３ａが接続された新ＩＳＷ３に対応するページング識別子が含まれたビーコン信号が受信される。ページング識別子が旧ＡＰ１ａが接続された旧ＩＳＷ１に対応するページング識別子と異なる場合、モバイルＩＰ端末によって、Ｌ３バイキャスト要求メッセージが、旧ＩＳＷ１に送信されることにより、旧ＩＳＷ１によって、モバイルＩＰ端末宛のパケットが、ＲＦ１送受信機とＲＦ２送受信機の両方へ送信される。【選択図】      図５
2006087078.tif 000002
【特許請求の範囲】
【請求項１】
通信ネットワークとネットワーク層レベルで接続されるアクセスルータと、前記アクセスルータとアクセスポイントとをデータリンク層レベルで接続されるインテリジェントスイッチと、前記インテリジェントスイッチに接続され無線通信可能なセルを提供するアクセスポイントと、前記アクセスポイント、前記インテリジェントスイッチ及び前記アクセスルータを介して前記通信ネットワークに接続され外部リンクに位置する可搬性を備えるモバイルＩＰ端末とを備える通信システムに用いられる無線通信方法であって、
前記モバイルＩＰ端末によって、第１のアクセスポイント及び前記モバイルＩＰ端末に備えられた第１の送受信機を介して前記第１のインテリジェントスイッチと通信が行われているステップと、
前記モバイルＩＰ端末によって、前記第１の送受信機による通信レベルが低下したことが検知されるとともに、前記モバイルＩＰ端末に備えられた第２の送受信機を介して、第２のアクセスポイントから、前記第２のアクセスポイントが接続された第２のインテリジェントスイッチに対応するページング識別子が含まれたビーコン信号が受信されるステップと、
前記モバイルＩＰ端末によって、前記ページング識別子が前記第１のインテリジェントスイッチに対応するページング識別子と同じであるかが判定されるステップと、
前記ページング識別子が前記第１のアクセスポイントが接続された前記第１のインテリジェントスイッチに対応するページング識別子と異なる場合、前記モバイルＩＰ端末によって、前記モバイルＩＰ端末宛のパケットを前記第１のインテリジェントスイッチを介して前記第１の送受信機へ送信し更に前記第２のインテリジェントスイッチを介して前記第２の送受信機へ送信することを要求するＬ３バイキャスト要求メッセージが、前記第１のインテリジェントスイッチに送信されるステップと、
前記第１のインテリジェントスイッチによって、前記モバイルＩＰ端末宛のパケットが、前記第１の送受信機と前記第２の送受信機の両方へ送信されるステップ
とを備えることを特徴とする無線通信方法。
【請求項２】
前記モバイルＩＰ端末によって、前記第１の送受信機による通信レベルが更に低下したことが検知されると、前記第２の送受信機によって、前記モバイルＩＰ端末のホームエージェントに位置登録更新メッセージが送信されるステップと、
前記モバイルＩＰ端末の前記第２の送受信機によって、前記ホームエージェントから位置登録Ａｃｋメッセージが受信されるステップと、
前記モバイルＩＰ端末の前記第２の送受信機によって、前記第１の送受信機への送信を停止するＬ３バイキャスト停止要求メッセージが、前記第２のインテリジェントスイッチに送信されるステップ
を更に備えることを特徴とする請求項１に記載の無線通信方法。
【請求項３】
前記第２のインテリジェントスイッチによって、前記Ｌ３バイキャスト停止要求メッセージが受信されると、前記Ｌ３バイキャスト停止要求メッセージが、前記第１のインテリジェントスイッチに送信されるステップと、
前記第１のインテリジェントスイッチによって、前記Ｌ３バイキャスト停止要求メッセージが受信されると、前記第１の送受信機及び前記第２の送受信機へのパケットの送信が停止されるステップ
を更に備えることを特徴とする請求項２に記載の無線通信方法。
【請求項４】
前記モバイルＩＰ端末によって、前記位置登録更新メッセージが送信される時に、位置登録Ａｃｋ監視要求メッセージが送信されるステップと、
前記第２のインテリジェントスイッチによって、前記位置登録Ａｃｋ監視要求メッセージが受信されると、前記位置登録Ａｃｋメッセージの受信が待機されるステップと、
前記第２のインテリジェントスイッチによって、前記位置登録Ａｃｋメッセージが受信されると、前記第１のインテリジェントスイッチから転送された前記モバイルＩＰ端末宛のパケットが前記モバイルＩＰ端末宛に転送されるとともに、前記第１のインテリジェントスイッチから転送されていない前記モバイルＩＰ端末宛のパケットがバッファリングされるステップと、
前記第２のインテリジェントスイッチによって、前記位置登録Ａｃｋメッセージが受信されてから所定時間が経過すると、前記第２のインテリジェントスイッチによって、バッファリングされた前記パケットが前記モバイルＩＰ端末の第２の送受信機に送信されるステップ
を更に備えることを特徴とする請求項２に記載の無線通信方法。
【請求項５】
前記所定時間は、前記位置登録更新メッセージが前記ホームエージェントに受信される前に前記ホームエージェントによって前記第１のインテリジェントスイッチを介して送信された前記モバイルＩＰ端末宛のパケットが、前記モバイルＩＰ端末によって受信されるまでの時間である
ことを特徴とする請求項３に記載の無線通信方法。
【請求項６】
前記モバイルＩＰ端末によって、前記第２のアクセスポイントからのビーコン信号が受信されると、前記モバイルＩＰ端末によって前記第２のアクセスポイントへアソシエーション要求メッセージが送信されるステップと、
前記アソシエーション要求メッセージが受信されると、前記第２のアクセスポイントによって、前記モバイルＩＰ端末へアソシエーション応答メッセージが送信されるステップと、
前記アソシエーション応答メッセージが受信されると、前記モバイルＩＰ端末によって前記第２のアクセスポイントを介してＲＡＤＩＵＳサーバに対して前記認証要求メッセージが送信され、前記ＲＡＤＩＵＳサーバによって前記第２のアクセスポイントを介して前記モバイルＩＰ端末へ認証応答メッセージが送信されるステップと、
前記モバイルＩＰ端末が認証されると、前記モバイルＩＰ端末によって、前記第２のアクセスポイントからネットワークプレフィックス通知メッセージが受信されるステップと、
前記モバイルＩＰ端末によって、前記ネットワークプレフィックス通知メッセージに基づいて前記第２のインテリジェントスイッチに対応する気付アドレスが生成されるとともに、ネットワークプレフィックス応答メッセージが前記第２のアクセスポイントに送信されるステップ
を更に備えることを特徴とする請求項１に記載の無線通信方法。
【請求項７】
前記Ｌ３バイキャスト要求メッセージが、前記第１のインテリジェントスイッチに送信されるステップは、
前記Ｌ３バイキャスト要求メッセージが、前記第２の送受信機および前記第２のインテリジェントスイッチを介して前記第１のインテリジェントスイッチに送信されるステップであって、
前記モバイルＩＰ端末宛のパケットが、前記第１の送受信機と前記第２の送受信機の両方へ送信されるステップは、
前記第１のインテリジェントスイッチによって、前記Ｌ３バイキャスト要求メッセージが受信されると、前記モバイルＩＰ端末のＭＡＣアドレス宛のパケットが、前記第１の送受信機に対応するＭＡＣアドレス宛のパケットにＭＡＣカプセル化して送信されるステップと、
前記第１のインテリジェントスイッチによって、前記モバイルＩＰ端末のＭＡＣアドレス宛のパケットが、前記第２のインテリジェントスイッチに対応するＩＰアドレス宛のパケットにＩＰカプセル化して送信されるステップと、
前記第２のインテリジェントスイッチによって、前記モバイルＩＰ端末のＭＡＣアドレス宛のパケットが前記第２のインテリジェントスイッチのＩＰアドレス宛にＩＰカプセル化されたパケットが受信されると、前記モバイルＩＰ端末のＭＡＣアドレス宛のパケットが、前記第２の送受信機に対応するＭＡＣアドレスのパケットにＭＡＣカプセル化して送信されるステップとを備える
ことを特徴とする請求項１に記載の無線通信方法。
【請求項８】
前記モバイルＩＰ端末宛のパケットが、前記第１の送受信機と前記第２の送受信機の両方へ送信されるステップは、
前記第１のインテリジェントスイッチによって、前記Ｌ３バイキャスト要求メッセージが受信されると、前記モバイルＩＰ端末のＭＡＣアドレス宛のパケットに前記パケットを識別するシーケンス番号を含む新たなパケットを生成し、前記新たなパケットを、前記第１の送受信機に対応するＭＡＣアドレス宛のパケットにＭＡＣカプセル化して送信されるステップと、
前記第１のインテリジェントスイッチによって、前記新たなパケットが、前記第２のインテリジェントスイッチに対応するＩＰアドレス宛のパケットにＩＰカプセル化して送信されるステップと、
前記第２のインテリジェントスイッチによって、前記新たなパケットが前記第２のインテリジェントスイッチのＩＰアドレス宛にＩＰカプセル化されたパケットが受信されると、前記新たなパケットが、前記第２の送受信機に対応するＭＡＣアドレスのパケットにＭＡＣカプセル化して送信されるステップと、
前記モバイルＩＰ端末によって、前記第１の送受信機又は前記第２の送受信機を介してパケットが受信されると、前記受信されたパケットに含まれているシーケンス番号が読み出されて、既に受信されたパケットのシーケンス番号である場合、前記受信されたパケットが破棄されるステップ
を更に備えることを特徴とする請求項１に記載の無線通信方法。
【請求項９】
前記モバイルＩＰ端末によって、前記第１の送受信機又は前記第２の送受信機を介してパケットが受信されると、前記受信されたパケットに含まれているシーケンス番号が読み出されて、前記モバイルＩＰ端末によって直近に受信されたパケットのシーケンス番号であるラスト受信シーケンス番号と前記受信された前記パケットのシーケンス番号が比較されるステップと、
前記受信されたパケットのシーケンス番号の方が大きい場合、前記モバイルＩＰ端末によって、前記受信されたパケットが前記モバイルＩＰ端末のアプリケーションに送信されるとともに、前記ラスト受信シーケンス番号が前記受信されたパケットのシーケンス番号に書き換えられるステップと、
前記受信されたパケットのシーケンス番号の方が小さい場合、前記モバイルＩＰ端末によって、前記受信されたパケットが破棄されるステップ
とを更に備えることを特徴とする請求項８に記載の無線通信方法。
【請求項１０】
前記受信されたパケットのシーケンス番号の方が大きい場合、前記モバイルＩＰ端末によって、直近にパケットが受信された送受信機の識別子を示すラスト送受信機番号が、前記受信されたパケットを受信した送受信機の識別子に書き換えられるステップと、
前記モバイルＩＰ端末によって、前記ラスト送受信機番号に対応する送受信機を介して、前記アプリケーションからパケットが送信されるステップ
とを更に備えることを特徴とする請求項９に記載の無線通信方法。
【請求項１１】
通信ネットワークとネットワーク層レベルで接続されるアクセスルータと、前記アクセスルータとアクセスポイントとをデータリンク層レベルで接続されるインテリジェントスイッチと、前記インテリジェントスイッチに接続され無線通信可能なセルを提供するアクセスポイントと、前記アクセスポイント、前記インテリジェントスイッチ及び前記アクセスルータを介して前記通信ネットワークに接続され外部リンクに位置する可搬性を備えるモバイルＩＰ端末とを備える通信システムに用いられるモバイルＩＰ端末であって、
前記アクセスポイントとの無線通信のインタフェースとなる第１及び第２の送受信機と、
モバイルＩＰ端末のＭＡＣアドレスと、前記第１の送受信機のＭＡＣアドレスと、前記第２の送受信機のＭＡＣアドレスと、バイキャスト送信を実行する閾値と、通信が不可能になる閾値とを記憶する記憶部と、
第１のインテリジェントスイッチに接続された第１のアクセスポイントと前記第１の送受信機を介して通信するとともに、前記第１のアクセスポイントの識別子と、前記第１のインテリジェントスイッチのページングドメインの識別子である第１のページング識別子とを前記記憶部に記憶し、
前記第１の送受信機の通信レベルが前記バイキャスト送信を実行する閾値より低下されたと判断されると、前記第２の送受信機を介して、第２のインテリジェントスイッチに接続された第２のアクセスポイントから、前記第２のインテリジェントスイッチに対応するページングドメインの識別子である第２のページング識別子と前記第２のアクセスポイントの識別子を含むビーコン信号を受信し、
前記第１のページング識別子と前記第２のページング識別子が異なると判断されると、前記モバイルＩＰ端末のＭＡＣアドレスと、前記第１の送受信機のＭＡＣアドレスと、前記第１のアクセスポイントの識別子と、前記第２の送受信機のＭＡＣアドレスと、前記第２のアクセスポイントの識別子と、前記第１のインテリジェントスイッチのＩＰアドレスと、前記第１のインテリジェントスイッチに対応する第１の気付アドレスと、前記第２のインテリジェントスイッチに対応する第２の気付アドレスとを少なくとも含み、前記モバイルＩＰ端末宛のパケットを前記第１の送受信機及び前記第２の送受信機の両方への送信を要求するＬ３バイキャスト要求メッセージを、前記第２の送受信機を介して前記第２のインテリジェントスイッチに送信する中央処理制御装置
とを備えることを特徴とするモバイルＩＰ端末。
【請求項１２】
前記中央処理制御装置は、更に
前記第１の送受信機の通信レベルが前記通信が不可能になる閾値より低下した場合、前記第２の送受信機を介してバイキャスト送信の停止を要求するＬ３バイキャスト停止要求メッセージを前記第２のインテリジェントスイッチに送信し、前記第１のインテリジェントスイッチに、前記第１の送受信機及び前記第２の送受信機への前記パケットの送信を停止させる
ことを特徴とする請求項１１に記載のモバイルＩＰ端末。
【請求項１３】
前記中央処理制御装置は、更に、
前記第１の送受信機によって、前記第１の送受信機のＭＡＣアドレス宛のパケットにＭＡＣカプセル化された前記モバイルＩＰ端末のＭＡＣアドレス宛のパケットを、前記第１のインテリジェントスイッチを介して前記第１のアクセスポイントから受信し、
前記第２の送受信機によって、前記第２の送受信機のＭＡＣアドレス宛のパケットにＭＡＣカプセル化された前記モバイルＩＰ端末のＭＡＣアドレス宛のパケットを、前記第１のインテリジェントスイッチと前記第２のインテリジェントスイッチを介して前記第２のアクセスポイントから受信する
ことを特徴とする請求項１１に記載のモバイルＩＰ端末。
【請求項１４】
前記中央処理制御装置は、更に、
前記第１の送受信機又は前記第２の送受信機を介してパケットが受信されると、前記受信されたパケットに含まれている識別子が読み出されて、既に受信されたパケットの識別子である場合、前記受信されたパケットを破棄する
ことを特徴とする請求項１３に記載のモバイルＩＰ端末。
【請求項１５】
前記インテリジェントスイッチによって、前記モバイルＩＰ端末宛のパケットが受信される度に前記パケットを識別するシーケンス番号がインクリメントされ、
前記記憶部は更に、前記モバイルＩＰ端末によって直近に受信されたパケットのシーケンス番号であるラスト受信シーケンス番号を記憶し、
前記中央処理制御装置は、更に、
前記第１の送受信機又は前記第２の送受信機を介してパケットを受信すると、前記記憶部からラスト受信シーケンス番号を読み出すとともに前記受信されたパケットに含まれているシーケンス番号を読み出して、前記ラスト受信シーケンス番号と前記受信された前記パケットのシーケンス番号を比較し、
前記受信されたパケットのシーケンス番号が大きい場合、前記受信されたパケットを前記モバイルＩＰ端末で実行されるアプリケーションに送信するとともに、前記ラスト受信シーケンス番号を前記受信されたパケットのシーケンス番号に書き換えて前記記憶部に記憶し、
前記受信されたパケットのシーケンス番号が小さい場合、前記受信されたパケットを破棄する
ことを特徴とする請求項１４に記載のモバイルＩＰ端末。
【請求項１６】
前記記憶部は更に、前記モバイルＩＰ端末によって直近にパケットが受信された送受信機の識別子を示すラスト送受信機番号を記憶し、
前記中央処理制御装置は、更に、
前記受信されたパケットのシーケンス番号が大きい場合、前記ラスト送受信機番号を、前記受信されたパケットを受信した送受信機の識別子に書き換えて前記記憶部に記憶し、
前記ラスト送受信機番号に対応する送受信機を介して、前記アプリケーションからパケットを送信するステップ
とを更に備えることを特徴とする請求項１５に記載のモバイルＩＰ端末。
【請求項１７】
ホームエージェントが接続される通信ネットワークとネットワーク層レベルで接続されるアクセスルータと、前記アクセスルータとアクセスポイントとをデータリンク層レベルで接続されるインテリジェントスイッチと、前記インテリジェントスイッチに接続され無線通信可能なセルを提供するアクセスポイントと、前記アクセスポイント、前記インテリジェントスイッチ及び前記アクセスルータを介して前記通信ネットワークに接続され外部リンクに位置する可搬性を備えるモバイルＩＰ端末とを備える通信システムに用いられるインテリジェントスイッチであって、
前記モバイルＩＰ端末の第２の送受信機と通信している転送先インテリジェントスイッチから、前記モバイルＩＰ端末のＭＡＣアドレスと、前記第１の送受信機のＭＡＣアドレスと、前記第１のアクセスポイントの識別子と、前記転送先インテリジェントスイッチのＩＰアドレスとを含み、前記モバイルＩＰ端末宛のパケットを前記第１の送受信機に送信し更に前記転送先インテリジェントスイッチを介して前記第２の送受信機へ送信することを要求するＬ３バイキャスト要求メッセージを受信し、
前記モバイルＩＰ端末のＭＡＣアドレスと、前記転送先インテリジェントスイッチのＩＰアドレスとを対応付けるＬ３バイキャストテーブルを作成して記憶部に記憶し、
前記ホームエージェントから前記モバイルＩＰ端末宛のパケットを受信すると、前記第１のアクセスポイントを介して前記第１の送受信機のＭＡＣアドレス宛に送信するとともに、前記転送先インテリジェントスイッチのＩＰアドレス宛に送信する中央処理制御装置
を備えることを特徴とするインテリジェントスイッチ。
【請求項１８】
前記中央処理制御装置は、
前記Ｌ３バイキャスト要求メッセージを受信すると、前記モバイルＩＰ端末のＭＡＣアドレス宛のパケットを、前記第１の送受信機に対応するＭＡＣアドレス宛のパケットにＭＡＣカプセル化して送信するとともに、前記転送先インテリジェントスイッチのＩＰアドレス宛のパケットにＩＰカプセル化して送信する
ことを特徴とする請求項１７に記載のインテリジェントスイッチ。
【請求項１９】
前記中央処理制御装置は、
前記バイキャスト要求メッセージを受信すると、前記モバイルＩＰ端末のＭＡＣアドレス宛のパケットに前記パケットを識別するシーケンス番号を含む新たなパケットを生成し、前記新たなパケットを、前記第１の送受信機に対応するＭＡＣアドレス宛のパケットにＭＡＣカプセル化して送信するとともに、前記転送先インテリジェントスイッチのＩＰアドレス宛のパケットにＩＰカプセル化して送信する
ことを特徴とする請求項１７に記載のインテリジェントスイッチ。
【請求項２０】
ホームエージェントが接続される通信ネットワークとネットワーク層レベルで接続されるアクセスルータと、前記アクセスルータとアクセスポイントとをデータリンク層レベルで接続されるインテリジェントスイッチと、前記インテリジェントスイッチに接続され無線通信可能なセルを提供するアクセスポイントと、前記アクセスポイント、前記インテリジェントスイッチ及び前記アクセスルータを介して前記通信ネットワークに接続され外部リンクに位置する可搬性を備えるモバイルＩＰ端末とを備える通信システムに用いられるインテリジェントスイッチであって、
前記モバイルＩＰ端末の第２の送受信機から、前記モバイルＩＰ端末のＭＡＣアドレスと、前記モバイルＩＰ端末の第１の送受信機のＭＡＣアドレスと、前記モバイルＩＰ端末の第１の送受信機と通信している前記第１のアクセスポイントの識別子と、前記第１のアクセスポイントと接続される転送元インテリジェントスイッチのＩＰアドレスと、前記転送元インテリジェントスイッチに対応する第１の気付アドレスと、前記第２の送受信機のＭＡＣアドレスと、前記第２の送受信機と通信している前記第２のアクセスポイントの識別子と、前記インテリジェントスイッチに対応する第２の気付アドレスとを少なくとも含み、前記モバイルＩＰ端末宛のパケットを前記転送元インテリジェントスイッチを介して第１の送受信機に送信し更に前記第２の送受信機へ送信することを要求するＬ３バイキャスト要求メッセージを受信し、
前記モバイルＩＰ端末のＭＡＣアドレスと、前記転送元インテリジェントスイッチのＩＰアドレスと、前記第１の気付アドレスと、前記第２の気付アドレスとを対応付けるＬ３バイキャストテーブルを作成して記憶部に記憶し、
前記転送元インテリジェントスイッチから受信した前記モバイルＩＰ端末宛のパケットを受信すると、前記パケットを前記モバイルＩＰ端末宛に送信する中央処理制御装置
を備えることを特徴とするインテリジェントスイッチ。
【請求項２１】
前記中央処理制御装置は、
前記第２の送受信機から、位置登録更新メッセージが送信される時に送信された位置登録Ａｃｋ監視要求メッセージを受信すると、前記モバイルＩＰ端末のホームエージェントから前記位置登録Ａｃｋメッセージを受信するのを待機し、
前記位置登録Ａｃｋメッセージを受信すると、前記第１の気付アドレス宛のパケットを前記モバイルＩＰ端末に転送するとともに、前記第２の気付アドレス宛のパケットをバッファリングし、
前記位置登録Ａｃｋメッセージが受信されてから所定時間が経過すると、バッファリングされた前記パケットを前記モバイルＩＰ端末の第２の送受信機に送信する
ことを特徴とする請求項２０に記載のインテリジェントスイッチ。
【請求項２２】
前記所定時間は、前記位置登録更新メッセージが前記ホームエージェントに受信される前に前記ホームエージェントによって前記転送元インテリジェントスイッチを介して送信された前記モバイルＩＰ端末宛のパケットが、前記モバイルＩＰ端末によって受信されるまでの時間である
ことを特徴とする請求項２０に記載のインテリジェントスイッチ。
【請求項２３】
前記中央処理制御装置は、
前記モバイルＩＰ端末から送信元ＩＰアドレスが前記第１の気付アドレスのパケットを受信すると、前記送信元ＩＰアドレスが前記第１の気付アドレスのパケットを、前記転送元インテリジェントスイッチのＩＰアドレスにＩＰカプセル化して送信し、
前記モバイルＩＰ端末から送信元ＩＰアドレスが前記第２の気付アドレスのパケットを受信すると、前記インテリジェントスイッチに接続された前記アクセスルータに、前記送信元ＩＰアドレスが前記第２の気付アドレスのパケットを送信する
ことを特徴とする請求項２０に記載のインテリジェントスイッチ。
【請求項２４】
通信ネットワークとネットワーク層レベルで接続されるアクセスルータと、前記アクセスルータに接続され無線通信可能なセルを提供するアクセスポイントと、前記アクセスポイント及び前記アクセスルータを介して前記通信ネットワークに接続され外部リンクに位置する可搬性を備えるモバイルＩＰ端末とを備える通信システムに用いられる無線通信方法であって、
前記モバイルＩＰ端末によって、第１のアクセスポイント及び前記モバイルＩＰ端末に備えられた第１の送受信機を介して前記第１のアクセスルータと通信が行われているステップと、
前記モバイルＩＰ端末によって、前記第１の送受信機による通信レベルが低下したことが検知されるとともに、前記モバイルＩＰ端末に備えられた第２の送受信機を介して、第２のアクセスポイントから、前記第２のアクセスポイントが接続された第２のアクセスルータに対応するページング識別子が含まれたビーコン信号が受信されるステップと、
前記モバイルＩＰ端末によって、前記ページング識別子が前記第１のアクセスルータに対応するページング識別子と同じであるかが判定されるステップと、
前記ページング識別子が前記第１のアクセスポイントが接続された前記第１のアクセスルータに対応するページング識別子と異なる場合、前記モバイルＩＰ端末によって、前記モバイルＩＰ端末宛のパケットを前記第１のアクセスルータを介して前記第１の送受信機へ送信し更に前記第２のアクセスルータを介して前記第２の送受信機へ送信することを要求するＬ３バイキャスト要求メッセージが、前記第１のアクセスルータに送信されるステップと、
前記第１のアクセスルータによって、前記モバイルＩＰ端末宛のパケットが、前記第１の送受信機と前記第２の送受信機の両方へ送信されるステップ
とを備えることを特徴とする無線通信方法。
【請求項２５】
前記モバイルＩＰ端末によって、前記第１の送受信機による通信レベルが更に低下したことが検知されると、前記第２の送受信機によって、前記モバイルＩＰ端末のホームエージェントに位置登録更新メッセージが送信されるステップと、
前記モバイルＩＰ端末の前記第２の送受信機によって、前記ホームエージェントから位置登録Ａｃｋメッセージが受信されるステップと、
前記モバイルＩＰ端末の前記第２の送受信機によって、前記第１の送受信機への送信を停止するＬ３バイキャスト停止要求メッセージが、前記第２のアクセスルータに送信されるステップ
を更に備えることを特徴とする請求項２４に記載の無線通信方法。
【請求項２６】
前記第２のアクセスルータによって、前記Ｌ３バイキャスト停止要求メッセージが受信されると、前記Ｌ３バイキャスト停止要求メッセージが、前記第１のアクセスルータに送信されるステップと、
前記第１のアクセスルータによって、前記Ｌ３バイキャスト停止要求メッセージが受信されると、前記第１の送受信機及び前記第２の送受信機へのパケットの送信が停止されるステップ
を更に備えることを特徴とする請求項２５に記載の無線通信方法。
【請求項２７】
前記モバイルＩＰ端末によって、前記位置登録更新メッセージが送信される時に、位置登録Ａｃｋ監視要求メッセージが送信されるステップと、
前記第２のアクセスルータによって、前記位置登録Ａｃｋ監視要求メッセージが受信されると、前記位置登録Ａｃｋメッセージの受信が待機されるステップと、
前記第２のアクセスルータによって、前記位置登録Ａｃｋメッセージが受信されると、前記第１のアクセスルータから転送された前記モバイルＩＰ端末宛のパケットが前記モバイルＩＰ端末宛に転送されるとともに、前記第１のアクセスルータから転送されていない前記モバイルＩＰ端末宛のパケットがバッファリングされるステップと、
前記第２のアクセスルータによって、前記位置登録Ａｃｋメッセージが受信されてから所定時間が経過すると、前記第２のアクセスルータによって、バッファリングされた前記パケットが前記モバイルＩＰ端末の第２の送受信機に送信されるステップ
を更に備えることを特徴とする請求項２５に記載の無線通信方法。
【請求項２８】
前記所定時間は、前記位置登録更新メッセージが前記ホームエージェントに受信される前に前記ホームエージェントによって前記第１のアクセスルータを介して送信された前記モバイルＩＰ端末宛のパケットが、前記モバイルＩＰ端末によって受信されるまでの時間である
ことを特徴とする請求項２６に記載の無線通信方法。
【請求項２９】
前記モバイルＩＰ端末によって、前記第２のアクセスポイントからのビーコン信号が受信されると、前記モバイルＩＰ端末によって前記第２のアクセスポイントへアソシエーション要求メッセージが送信されるステップと、
前記アソシエーション要求メッセージが受信されると、前記第２のアクセスポイントによって、前記モバイルＩＰ端末へアソシエーション応答メッセージが送信されるステップと、
前記アソシエーション応答メッセージが受信されると、前記モバイルＩＰ端末によって前記第２のアクセスポイントを介してＲＡＤＩＵＳサーバに対して前記認証要求メッセージが送信され、前記ＲＡＤＩＵＳサーバによって前記第２のアクセスポイントを介して前記モバイルＩＰ端末へ認証応答メッセージが送信されるステップと、
前記モバイルＩＰ端末が認証されると、前記モバイルＩＰ端末によって、前記第２のアクセスポイントからネットワークプレフィックス通知メッセージが受信されるステップと、
前記モバイルＩＰ端末によって、前記ネットワークプレフィックス通知メッセージに基づいて前記第２のアクセスルータに対応する気付アドレスが生成されるとともに、ネットワークプレフィックス応答メッセージが前記第２のアクセスポイントに送信されるステップ
を更に備えることを特徴とする請求項２４に記載の無線通信方法。
【請求項３０】
前記Ｌ３バイキャスト要求メッセージが、前記第１のアクセスルータに送信されるステップは、
前記Ｌ３バイキャスト要求メッセージが、前記第２の送受信機および前記第２のアクセスルータを介して前記第１のアクセスルータに送信されるステップであって、
前記モバイルＩＰ端末宛のパケットが、前記第１の送受信機と前記第２の送受信機の両方へ送信されるステップは、
前記第１のアクセスルータによって、前記Ｌ３バイキャスト要求メッセージが受信されると、前記モバイルＩＰ端末のＭＡＣアドレス宛のパケットが、前記第１の送受信機に対応するＭＡＣアドレス宛のパケットにＭＡＣカプセル化して送信されるステップと、
前記第１のアクセスルータによって、前記モバイルＩＰ端末のＭＡＣアドレス宛のパケットが、前記第２のアクセスルータに対応するＩＰアドレス宛のパケットにＩＰカプセル化して送信されるステップと、
前記第２のアクセスルータによって、前記モバイルＩＰ端末のＭＡＣアドレス宛のパケットが前記第２のアクセスルータのＩＰアドレス宛にＩＰカプセル化されたパケットが受信されると、前記モバイルＩＰ端末のＭＡＣアドレス宛のパケットが、前記第２の送受信機に対応するＭＡＣアドレスのパケットにＭＡＣカプセル化して送信されるステップとを備える
ことを特徴とする請求項２４に記載の無線通信方法。
【請求項３１】
前記モバイルＩＰ端末宛のパケットが、前記第１の送受信機と前記第２の送受信機の両方へ送信されるステップは、
前記第１のアクセスルータによって、前記Ｌ３バイキャスト要求メッセージが受信されると、前記モバイルＩＰ端末のＭＡＣアドレス宛のパケットに前記パケットを識別するシーケンス番号を含む新たなパケットを生成し、前記新たなパケットを、前記第１の送受信機に対応するＭＡＣアドレス宛のパケットにＭＡＣカプセル化して送信されるステップと、
前記第１のアクセスルータによって、前記新たなパケットが、前記第２のアクセスルータに対応するＩＰアドレス宛のパケットにＩＰカプセル化して送信されるステップと、
前記第２のアクセスルータによって、前記新たなパケットが前記第２のアクセスルータのＩＰアドレス宛にＩＰカプセル化されたパケットが受信されると、前記新たなパケットが、前記第２の送受信機に対応するＭＡＣアドレスのパケットにＭＡＣカプセル化して送信されるステップと、
前記モバイルＩＰ端末によって、前記第１の送受信機又は前記第２の送受信機を介してパケットが受信されると、前記受信されたパケットに含まれているシーケンス番号が読み出されて、既に受信されたパケットのシーケンス番号である場合、前記受信されたパケットが破棄されるステップ
を更に備えることを特徴とする請求項２４に記載の無線通信方法。
【請求項３２】
前記モバイルＩＰ端末によって、前記第１の送受信機又は前記第２の送受信機を介してパケットが受信されると、前記受信されたパケットに含まれているシーケンス番号が読み出されて、前記モバイルＩＰ端末によって直近に受信されたパケットのシーケンス番号であるラスト受信シーケンス番号と前記受信された前記パケットのシーケンス番号が比較されるステップと、
前記受信されたパケットのシーケンス番号の方が大きい場合、前記モバイルＩＰ端末によって、前記受信されたパケットが前記モバイルＩＰ端末のアプリケーションに送信されるとともに、前記ラスト受信シーケンス番号が前記受信されたパケットのシーケンス番号に書き換えられるステップと、
前記受信されたパケットのシーケンス番号の方が小さい場合、前記モバイルＩＰ端末によって、前記受信されたパケットが破棄されるステップ
とを更に備えることを特徴とする請求項３１に記載の無線通信方法。
【請求項３３】
前記受信されたパケットのシーケンス番号の方が大きい場合、前記モバイルＩＰ端末によって、直近にパケットが受信された送受信機の識別子を示すラスト送受信機番号が、前記受信されたパケットを受信した送受信機の識別子に書き換えられるステップと、
前記モバイルＩＰ端末によって、前記ラスト送受信機番号に対応する送受信機を介して、前記アプリケーションからパケットが送信されるステップ
とを更に備えることを特徴とする請求項３２に記載の無線通信方法。
【請求項３４】
通信ネットワークとネットワーク層レベルで接続されるアクセスルータと、前記アクセスルータに接続され無線通信可能なセルを提供するアクセスポイントと、前記アクセスポイント及び前記アクセスルータを介して前記通信ネットワークに接続され外部リンクに位置する可搬性を備えるモバイルＩＰ端末とを備える通信システムに用いられるモバイルＩＰ端末であって、
前記アクセスポイントとの無線通信のインタフェースとなる第１及び第２の送受信機と、
モバイルＩＰ端末のＭＡＣアドレスと、前記第１の送受信機のＭＡＣアドレスと、前記第２の送受信機のＭＡＣアドレスと、バイキャスト送信を実行する閾値と、通信が不可能になる閾値とを記憶する記憶部と、
第１のアクセスルータに接続された第１のアクセスポイントと前記第１の送受信機を介して通信するとともに、前記第１のアクセスポイントの識別子と、前記第１のアクセスルータのページングドメインの識別子である第１のページング識別子とを前記記憶部に記憶し、
前記第１の送受信機の通信レベルが前記バイキャスト送信を実行する閾値より低下されたと判断されると、前記第２の送受信機を介して、第２のアクセスルータに接続された第２のアクセスポイントから、前記第２のアクセスルータに対応するページングドメインの識別子である第２のページング識別子と前記第２のアクセスポイントの識別子を含むビーコン信号を受信し、
前記第１のページング識別子と前記第２のページング識別子が異なると判断されると、前記モバイルＩＰ端末のＭＡＣアドレスと、前記第１の送受信機のＭＡＣアドレスと、前記第１のアクセスポイントの識別子と、前記第２の送受信機のＭＡＣアドレスと、前記第２のアクセスポイントの識別子と、前記第１のアクセスルータのＩＰアドレスと、前記第１のアクセスルータに対応する第１の気付アドレスと、前記第２のアクセスルータに対応する第２の気付アドレスとを少なくとも含み、前記モバイルＩＰ端末宛のパケットを前記第１の送受信機及び前記第２の送受信機の両方への送信を要求するＬ３バイキャスト要求メッセージを、前記第２の送受信機を介して前記第２のアクセスルータに送信する中央処理制御装置
とを備えることを特徴とするモバイルＩＰ端末。
【請求項３５】
前記中央処理制御装置は、更に
前記第１の送受信機の通信レベルが前記通信が不可能になる閾値より低下した場合、前記第２の送受信機を介してバイキャスト送信の停止を要求するＬ３バイキャスト停止要求メッセージを前記第２のアクセスルータに送信し、前記第１のアクセスルータに、前記第１の送受信機及び前記第２の送受信機への前記パケットの送信を停止させる
ことを特徴とする請求項３４に記載のモバイルＩＰ端末。
【請求項３６】
前記中央処理制御装置は、更に、
前記第１の送受信機によって、前記第１の送受信機のＭＡＣアドレス宛のパケットにＭＡＣカプセル化された前記モバイルＩＰ端末のＭＡＣアドレス宛のパケットを、前記第１のアクセスルータを介して前記第１のアクセスポイントから受信し、
前記第２の送受信機によって、前記第２の送受信機のＭＡＣアドレス宛のパケットにＭＡＣカプセル化された前記モバイルＩＰ端末のＭＡＣアドレス宛のパケットを、前記第１のアクセスルータと前記第２のアクセスルータを介して前記第２のアクセスポイントから受信する
ことを特徴とする請求項３４に記載のモバイルＩＰ端末。
【請求項３７】
前記中央処理制御装置は、更に、
前記第１の送受信機又は前記第２の送受信機を介してパケットが受信されると、前記受信されたパケットに含まれている識別子が読み出されて、既に受信されたパケットの識別子である場合、前記受信されたパケットを破棄する
ことを特徴とする請求項３６に記載のモバイルＩＰ端末。
【請求項３８】
前記アクセスルータによって、前記モバイルＩＰ端末宛のパケットが受信される度に前記パケットを識別するシーケンス番号がインクリメントされ、
前記記憶部は更に、前記モバイルＩＰ端末によって直近に受信されたパケットのシーケンス番号であるラスト受信シーケンス番号を記憶し、
前記中央処理制御装置は、更に、
前記第１の送受信機又は前記第２の送受信機を介してパケットを受信すると、前記記憶部からラスト受信シーケンス番号を読み出すとともに前記受信されたパケットに含まれているシーケンス番号を読み出して、前記ラスト受信シーケンス番号と前記受信された前記パケットのシーケンス番号を比較し、
前記受信されたパケットのシーケンス番号が大きい場合、前記受信されたパケットを前記モバイルＩＰ端末で実行されるアプリケーションに送信するとともに、前記ラスト受信シーケンス番号を前記受信されたパケットのシーケンス番号に書き換えて前記記憶部に記憶し、
前記受信されたパケットのシーケンス番号が小さい場合、前記受信されたパケットを破棄する
ことを特徴とする請求項３７に記載のモバイルＩＰ端末。
【請求項３９】
前記記憶部は更に、前記モバイルＩＰ端末によって直近にパケットが受信された送受信機の識別子を示すラスト送受信機番号を記憶し、
前記中央処理制御装置は、更に、
前記受信されたパケットのシーケンス番号が大きい場合、前記ラスト送受信機番号を、前記受信されたパケットを受信した送受信機の識別子に書き換えて前記記憶部に記憶し、
前記ラスト送受信機番号に対応する送受信機を介して、前記アプリケーションからパケットを送信するステップ
とを更に備えることを特徴とする請求項３８に記載のモバイルＩＰ端末。
【請求項４０】
ホームエージェントが接続される通信ネットワークとネットワーク層レベルで接続されるアクセスルータと、前記アクセスルータに接続され無線通信可能なセルを提供するアクセスポイントと、前記アクセスポイント及び前記アクセスルータを介して前記通信ネットワークに接続され外部リンクに位置する可搬性を備えるモバイルＩＰ端末とを備える通信システムに用いられるアクセスルータであって、
前記モバイルＩＰ端末の第２の送受信機と通信している転送先アクセスルータから、前記モバイルＩＰ端末のＭＡＣアドレスと、前記第１の送受信機のＭＡＣアドレスと、前記第１のアクセスポイントの識別子と、前記転送先アクセスルータのＩＰアドレスとを含み、前記モバイルＩＰ端末宛のパケットを前記第１の送受信機に送信し更に前記転送先アクセスルータを介して前記第２の送受信機へ送信することを要求するＬ３バイキャスト要求メッセージを受信し、
前記モバイルＩＰ端末のＭＡＣアドレスと、前記転送先アクセスルータのＩＰアドレスとを対応付けるＬ３バイキャストテーブルを作成して記憶部に記憶し、
前記ホームエージェントから前記モバイルＩＰ端末宛のパケットを受信すると、前記第１のアクセスポイントを介して前記第１の送受信機のＭＡＣアドレス宛に送信するとともに、前記転送先アクセスルータのＩＰアドレス宛に送信する中央処理制御装置
を備えることを特徴とするアクセスルータ。
【請求項４１】
前記中央処理制御装置は、
前記Ｌ３バイキャスト要求メッセージを受信すると、前記モバイルＩＰ端末のＭＡＣアドレス宛のパケットを、前記第１の送受信機に対応するＭＡＣアドレス宛のパケットにＭＡＣカプセル化して送信するとともに、前記転送先アクセスルータのＩＰアドレス宛のパケットにＩＰカプセル化して送信する
ことを特徴とする請求項４０に記載のアクセスルータ。
【請求項４２】
前記中央処理制御装置は、
前記バイキャスト要求メッセージを受信すると、前記モバイルＩＰ端末のＭＡＣアドレス宛のパケットに前記パケットを識別するシーケンス番号を含む新たなパケットを生成し、前記新たなパケットを、前記第１の送受信機に対応するＭＡＣアドレス宛のパケットにＭＡＣカプセル化して送信するとともに、前記転送先アクセスルータのＩＰアドレス宛のパケットにＩＰカプセル化して送信する
ことを特徴とする請求項４０に記載のアクセスルータ。
【請求項４３】
ホームエージェントが接続される通信ネットワークとネットワーク層レベルで接続されるアクセスルータと、前記アクセスルータに接続され無線通信可能なセルを提供するアクセスポイントと、前記アクセスポイント及び前記アクセスルータを介して前記通信ネットワークに接続され外部リンクに位置する可搬性を備えるモバイルＩＰ端末とを備える通信システムに用いられるアクセスルータであって、
前記モバイルＩＰ端末の第２の送受信機から、前記モバイルＩＰ端末のＭＡＣアドレスと、前記モバイルＩＰ端末の第１の送受信機のＭＡＣアドレスと、前記モバイルＩＰ端末の第１の送受信機と通信している前記第１のアクセスポイントの識別子と、前記第１のアクセスポイントと接続される転送元アクセスルータのＩＰアドレスと、前記転送元アクセスルータに対応する第１の気付アドレスと、前記第２の送受信機のＭＡＣアドレスと、前記第２の送受信機と通信している前記第２のアクセスポイントの識別子と、前記アクセスルータに対応する第２の気付アドレスとを少なくとも含み、前記モバイルＩＰ端末宛のパケットを前記転送元アクセスルータを介して第１の送受信機に送信し更に前記第２の送受信機へ送信することを要求するＬ３バイキャスト要求メッセージを受信し、
前記モバイルＩＰ端末のＭＡＣアドレスと、前記転送元アクセスルータのＩＰアドレスと、前記第１の気付アドレスと、前記第２の気付アドレスとを対応付けるＬ３バイキャストテーブルを作成して記憶部に記憶し、
前記転送元アクセスルータから受信した前記モバイルＩＰ端末宛のパケットを受信すると、前記パケットを前記モバイルＩＰ端末宛に送信する中央処理制御装置
を備えることを特徴とするアクセスルータ。
【請求項４４】
前記中央処理制御装置は、
前記第２の送受信機から、位置登録更新メッセージが送信される時に送信された位置登録Ａｃｋ監視要求メッセージを受信すると、前記モバイルＩＰ端末のホームエージェントから前記位置登録Ａｃｋメッセージを受信するのを待機し、
前記位置登録Ａｃｋメッセージを受信すると、前記第１の気付アドレス宛のパケットを前記モバイルＩＰ端末に転送するとともに、前記第２の気付アドレス宛のパケットをバッファリングし、
前記位置登録Ａｃｋメッセージが受信されてから所定時間が経過すると、バッファリングされた前記パケットを前記モバイルＩＰ端末の第２の送受信機に送信する
ことを特徴とする請求項４３に記載のアクセスルータ。
【請求項４５】
前記所定時間は、前記位置登録更新メッセージが前記ホームエージェントに受信される前に前記ホームエージェントによって前記転送元アクセスルータを介して送信された前記モバイルＩＰ端末宛のパケットが、前記モバイルＩＰ端末によって受信されるまでの時間である
ことを特徴とする請求項４３に記載のアクセスルータ。
【請求項４６】
前記中央処理制御装置は、
前記モバイルＩＰ端末から送信元ＩＰアドレスが前記第１の気付アドレスのパケットを受信すると、前記送信元ＩＰアドレスが前記第１の気付アドレスのパケットを、前記転送元アクセスルータのＩＰアドレスにＩＰカプセル化して送信し、
前記モバイルＩＰ端末から送信元ＩＰアドレスが前記第２の気付アドレスのパケットを受信すると、前記前記モバイルＩＰ端末によって送信されるパケットの送信先の情報端末に、前記送信元ＩＰアドレスが前記第２の気付アドレスのパケットを送信する
ことを特徴とする請求項４３に記載のアクセスルータ。
【発明の詳細な説明】
【技術分野】
【０００１】
本発明は、通信ネットワークとネットワーク層レベルで接続されるアクセスルータと、アクセスルータとアクセスポイントとをデータリンク層レベルで接続されるインテリジェントスイッチと、インテリジェントスイッチに接続され無線通信可能なセルを提供するアクセスポイント、インテリジェントスイッチ及びアクセスルータを介して通信ネットワークに接続され外部リンクに位置する可搬性を備えるモバイルＩＰ端末とを備える無線通信方法、その無線通信方法におけるモバイルＩＰ端末、インテリジェントスイッチ及びアクセスルータに関する。
【背景技術】
【０００２】
昨今の通信ネットワーク及び情報機器の発達に伴い、ノート型コンピュータやＰＤＡなどのモバイルＩＰ端末や無線ＬＡＮ技術を用いた高速無線サービスが展開されている。特に、ＬＡＮケーブルやハブの設置の必要のない無線ＬＡＮについては、広帯域なデータ通信が可能になり、家庭やオフィスに普及している。
【０００３】
この無線通信の技術を支える標準プロトコルとして、例えばモバイルＩＰが挙げられる。モバイルＩＰとは、モバイルＩＰ端末がアプリケーションソフトをリセットしたり接続中の通信を切断せずにその作業場所を移動できるようにする技術である。モバイルＩＰは、既存のインターネットプロトコル（ＩＰ）に移動性を持たせるように拡張したインターネット標準過程プロトコルである。具体的にモバイルＩＰは、モバイルＩＰ端末がホームリンク（モバイルＩＰ端末が本来属するネットワーク）で用いるホームアドレス（Home Address：ＨＯＡ）と、外部リンク（MNの移動先ネットワーク）で用いる気付アドレス（Care of Address：ＣＯＡ）の対応関係を保持する専用エージェント(Home Agent：ＨＡ)を用いることにより、移動先の端末へのパケット転送を可能とする（例えば、非特許文献１）。
【０００４】
一方、現在インターネット等で利用されているＩＰアドレスは３２ビットであるため、ＩＰアドレスの枯渇が問題になっている。これに対応すべく、１２８ビットでアドレスを示すＩＰｖ６が開発されている。無線通信においても、将来ＩＰｖ６を用いた通信が一般的になると考えられている。
【０００５】
例えば、図４８に示すように通信ネットワークは、モバイルＩＰｖ６ネットワーク１、モバイルＩＰｖ６ネットワーク１にゲートウェイＧＷ１を介して接続されたＰＳＴＮ（公衆交換電話網：Public Switched Telephone Networks）３、モバイルＩＰｖ６ネットワーク１にゲートウェイＧＷ２を介して接続されたＩＰｖ４ネットワーク２が接続されることにより、相互に通信可能となる。モバイルＩＰｖ６ネットワーク１には、端末を認証するＲＡＤＩＵＳ（Remote Authentication Dial-In User Service）サーバ１０、ホームエージェントＨＡ、ＳＩＰ（Session Initiation Protocol）端末１１などが接続されている。又、モバイルＩＰｖ６ネットワーク１には、アクセスルータＡＲ１及びＡＲ２が接続されている。アクセスルータＡＲ１は、アクセスポイント（基地局）ＡＰ１ａ、ＡＰ１ｂ、…ＡＰ１ｎが接続されている。アクセスポイントＡＰ１ａは、周波数ｆ１で無線通信可能なセルを提供している。アクセスルータＡＲ１に接続されたアクセスポイントは、少なくとも隣り合うセルにおいて異なる周波数で通信可能に設定されている。モバイルＩＰ端末ＳＴＡ１は、自身が位置するセルを提供するアクセスポイント及びアクセスルータを介して、モバイルＩＰｖ６ネットワーク上の情報機器と通信可能である。又、アクセスルータＡＲ２には、アクセスポイントＡＰ３ａ、ＡＰ３ｂ…ＡＰ３ｎを介してモバイルＩＰ端末ＳＴＡ２が接続されている。
【０００６】
ここで、アクセスポイントが提供するセルは、モバイルＩＰでホームエージェントに位置登録する最小単位であって、気付アドレスの割付単位である。即ち、アクセスポイントＡＰ１ａに対応する気付アドレスのパケットが送信されると、アクセスポイントＡＰ１ａが提供するセルに対して着信が呼出される。
【０００７】
次に、図４９を参照して、非特許文献２において記載されている従来の無線通信におけるハンドオーバーの処理について説明する。この非特許文献２の記載においては、モバイルＩＰ端末が、アクセスポイントの切替前に、切替先の新アクセスルータ情報を取得し、事前にハンドオーバー実行を通知する。旧アクセスルータは、旧アクセスルータへのパケットを切替先の新アクセスルータに転送する。新アクセスルータは、転送されたパケットをバッファリングし、切替後に配信する。これにより、非特許文献２に記載の方法においては、切替による無線区間の切断によるパケットロスを発生させない。
【０００８】
具体的には、まず、ステップＳ９０１においてモバイルＩＰ端末ＳＴＡ１において通信レベルの低下が検出されると、ハンドオーバーを実行する指示がだされ、これに基づいて、ステップＳ９０２において、モバイルＩＰ端末によってルータディスカバリメッセージが旧アクセスルータＡＲ１に送信される。これに対応して、ステップＳ９０３において、旧アクセスルータによって、新たなアクセスポイントの識別子と、新たなルータの情報を含むルータディスカバリ認定（Ａｃｋ）メッセージが送信される。
【０００９】
これに基づいて、ステップＳ９０４においてモバイルＩＰ端末ＳＴＡ１は、新たなルータの情報をキーとして、ルータ要請代理（Router Solicitation Proxy：RtSolPr）メッセージを旧アクセスルータＡＲ１に送信し、ステップＳ９０５において、旧アクセスルータＡＲ１から、新たなルータのサブネット情報を含む代理ルータ広告（Proxy Router Advertisement: PrRtAdv）メッセージを受信する。ここで、モバイルＩＰ端末ＳＴＡ１は、新たな気付アドレスを作成し、ステップＳ９０６において、高速位置登録（Fast Binding Update：FBU）メッセージを旧アクセスルータＡＲ１に送信する。
【００１０】
ステップＳ９０７において旧アクセスルータＡＲ１は、ハンドオーバー初期化（Handover Initiate：:HI）メッセージを新アクセスルータＡＲ２に送信し、これに対応してステップＳ９０８において新アクセスルータＡＲ２は、ハンドオーバー認定（Handover Acknowledge：Hack）メッセージを旧アクセスルータＡＲ１に送信する。そこで旧アクセスルータＡＲ１は、ステップＳ９０９ａ及びＳ９０９ｂにおいて、モバイルＩＰ端末ＳＴＡ１と新アクセスルータＡＲ２に、高速位置登録認定（Fast Binding Acknowledge：FBack）メッセージを送信する。
【００１１】
高速位置登録認定メッセージが送信されると、ステップＳ９１１において通信相手から送信されたモバイルＩＰ端末ＳＴＡ１の旧ＣＯＡ宛パケット、即ち旧アクセスルータＡＲ１に対応するＣＯＡ宛のパケットは、旧アクセスルータＡＲ１で受信され、ステップＳ９１２において、新アクセスルータＡＲ１に転送される。新アクセスルータＡＲ２では、受信したパケットをバッファに蓄積する。
【００１２】
一方、位置登録認定メッセージが送信されると、ステップＳ９１０においてモバイルＩＰ端末ＳＴＡ１は、旧アクセスポイントとの接続を切断し、ステップＳ９１３において新アクセスポイントとの接続を開始する。具体的には、ステップＳ９１４において新アクセスポイントとレベル２認証を行い、ステップＳ９１５においてアソシエーションを確立する。アソシエーションが確立されると、ステップＳ９１６においてモバイルＩＰ端末ＳＴＡ１は、高速近隣広告（Fast Neighbor Advertisement：FNA）メッセージを新アクセスルータＡＲ２に送信し、新アクセスルータＡＲ２は、高速近隣広告メッセージの受信を受けて、ステップＳ９１２で蓄積したモバイルＩＰ端末ＳＴＡ１宛のパケットを、モバイルＩＰ端末ＳＴＡ１に送信する。
【００１３】
ここで、ルータと複数の無線基地局との間にスイッチングハブを接続し、無線基地局、スイッチングハブ、ルータを介して無線ＩＰネットワークと通信可能な無線端末がある（例えば、特許文献１）。この特許文献１では、リンクレイヤにおいて無線端末が接続されるので、短い切替時間で無線基地局の切替を行うことができる。
【特許文献１】特開２００２−２１８５２４号公報
【非特許文献１】ＩＥＴＦ  ＲＦＣ３７７５  “Mobility Support in IPv6”
【非特許文献２】ＩＥＴＦ  ＲＦＣ４０６８  “Fast Handovers for Mobile IPv6”
【発明の開示】
【発明が解決しようとする課題】
【００１４】
しかし、上述した非特許文献１に記載の通信システムにおいて気付アドレスは、セル単位に割り付けられる。従って、モバイルＩＰ端末ＳＴＡ１がセルを越える度にホームエージェントＨＡへの位置登録が必要となってしまう問題がある。具体的には、モバイルＩＰ仕様では、セルの移動はセグメントの移動と等価であり、着信に必要な気付アドレスの生成、ホームエージェントＨＡや通信相手となるＣＮ（Co-respondent Node）に対して、ＲＲ（Return Routability）を含むバインディング（Binding：位置登録）処理が必要となる。
【００１５】
無線通信のセルは、数メートルから数十メートルであり、モバイルＩＰ端末ＳＴＡ１の移動速度によっては頻繁にセルが変わるので、その度に位置登録処理を行う必要が生じてしまう。
【００１６】
これは、無線通信におけるモバイルＩＰ端末ＳＴＡ１の移動管理を、レイヤ３即ちＯＳＩ基本参照モデルモデルのネットワーク層であるモバイルＩＰに依存しているためである。上述した非特許文献１に記載の通信システムにおいては、例えば、セルを移動する度にモバイルＩＰ端末ＳＴＡ１が移動管理パケットを送信、即ち無線報知することになり、モバイルＩＰ端末ＳＴＡ１の電池の消耗を加速させてしまう問題がある。
【００１７】
又、非特許文献１に記載の方法においても、位置登録処理を行う際に非特許文献２に示した方法でハンドオーバーが実施される。
【００１８】
非特許文献２に示した方法においては、新アクセスルータでのバッファリングは、モバイルＩＰ端末が新アクセスポイント側で認証及びアソシエーション処理を実行する時間分蓄積される。更に、ＦＮＡ受信をトリガーとして、バッファリングされたパケットが、モバイルＩＰ端末に配信される。一般的に認証及びアソシエーションにおいては１乃至２秒を要する。この様に、新アクセスポイントと接続され新アクセスルータＡＲ２からバッファリングされたパケットを受信するまでの時間を要するため、ＶｏＩＰなどのリアルタイム通信において不具合を生じる場合がある。
【００１９】
又、上述した特許文献１においては、切替実行のトリガーが無線端末からの上りパケットに依存しているため、無線端末がパケットを送信しない限り、アクセスポイントの切替が行われない問題がある。又、切替のタイミングによっては、パケットロスが発生してしまう場合もある。
【００２０】
従って本発明は上記問題点に基づきなされたもので、その目的は、アクセスポイントの切替をスムーズに実行される無線通信方法、その無線通信方法におけるモバイルＩＰ端末、インテリジェントスイッチ及びアクセスルータを提供することである。
【課題を解決するための手段】
【００２１】
上記課題を解決するために、本発明の特徴は、通信ネットワークとネットワーク層レベルで接続されるアクセスルータと、アクセスルータとアクセスポイントとをデータリンク層レベルで接続されるインテリジェントスイッチと、インテリジェントスイッチに接続され無線通信可能なセルを提供するアクセスポイントと、アクセスポイント、インテリジェントスイッチ及びアクセスルータを介して通信ネットワークに接続され外部リンクに位置する可搬性を備えるモバイルＩＰ端末とを備える通信システムに用いられる無線通信方法に関する。即ち、本発明の特徴に係る無線通信方法は、モバイルＩＰ端末によって、第１のアクセスポイント及びモバイルＩＰ端末に備えられた第１の送受信機を介して第１のインテリジェントスイッチと通信が行われているステップと、モバイルＩＰ端末によって、第１の送受信機による通信レベルが低下したことが検知されるとともに、モバイルＩＰ端末に備えられた第２の送受信機を介して、第２のアクセスポイントから、第２のアクセスポイントが接続された第２のインテリジェントスイッチに対応するページング識別子が含まれたビーコン信号が受信されるステップと、モバイルＩＰ端末によって、ページング識別子が第１のインテリジェントスイッチに対応するページング識別子と同じであるかが判定されるステップと、ページング識別子が第１のアクセスポイントが接続された第１のインテリジェントスイッチに対応するページング識別子と異なる場合、モバイルＩＰ端末によって、モバイルＩＰ端末宛のパケットを第１のインテリジェントスイッチを介して第１の送受信機へ送信し更に第２のインテリジェントスイッチを介して第２の送受信機へ送信することを要求するＬ３バイキャスト要求メッセージが、第１のインテリジェントスイッチに送信されるステップと、第１のインテリジェントスイッチによって、モバイルＩＰ端末宛のパケットが、第１の送受信機と第２の送受信機の両方へ送信されるステップとを備える。
【発明の効果】
【００２２】
本発明によれば、アクセスポイントの切替をスムーズに実行される無線通信方法、その無線通信方法におけるモバイルＩＰ端末、インテリジェントスイッチ及びアクセスルータを提供することができる。
【発明を実施するための最良の形態】
【００２３】
次に、図面を参照して、本発明の実施の形態を説明する。以下の図面の記載において、同一又は類似の部分には同一又は類似の符号を付している。
【００２４】
（本発明の第１の実施の形態）
（無線通信方法）
図１に示すように、本発明の第１の実施の形態に係る通信ネットワークは、モバイルＩＰｖ６ネットワーク１、モバイルＩＰｖ６ネットワーク１にゲートウェイＧＷ１を介して接続されたＰＳＴＮ（公衆交換電話網：Public Switched Telephone Networks）３、モバイルＩＰｖ６ネットワーク１にゲートウェイＧＷ２を介して接続されたＩＰｖ４ネットワーク２が接続されることにより、相互に通信可能となる。モバイルＩＰｖ６ネットワーク１には、端末を認証するＲＡＤＩＵＳ（Remote Authentication Dial-In User Service）サーバ１０、ホームエージェントＨＡ、ＳＩＰ（Session Initiation Protocol）端末１１などが接続されている。又、モバイルＩＰｖ６ネットワーク１には、ネットワーク層レベルでアクセスルータＡＲ１及びＡＲ２が接続されている。又、アクセスルータＡＲ１には、インテリジェントスイッチＩＳＷ１及びＩＳＷ２がデータリンク層（Ｌ２）レベルで接続されている。インテリジェントスイッチＩＳＷ１には、アクセスポイント（基地局）ＡＰ１ａ、ＡＰ１ｂ、…ＡＰ１ｎが接続されている。アクセスポイントＡＰ１ａは、周波数ｆ１で無線通信可能なセルを提供している。アクセスルータＡＲ１に接続されたアクセスポイントは、少なくとも隣り合うセルにおいて異なる周波数で通信可能に設定されている。モバイルＩＰ端末ＳＴＡ１は、自身が位置するセルを提供するアクセスポイント及びアクセスルータを介して、モバイルＩＰｖ６ネットワーク上の情報機器と通信可能である。又、アクセスルータＡＲ２には、アクセスポイントＡＰ３ａ、ＡＰ３ｂ…ＡＰ３ｎを介してモバイルＩＰ端末ＳＴＡ２が接続されている。
【００２５】
本発明の第１の実施の形態において、インテリジェントスイッチに接続されたアクセスポイントが提供するセルの集合をページングドメインと定義される。具体的には、インテリジェントスイッチＩＳＷ１に接続されたアクセスポイントＡＰ１ａ、ＡＰ１ｂ、…ＡＰ１ｎによって提供されるセルの集合をページングドメイン５ａと定義される。ここで、ページングドメインとは、Ｌ２レベルで通信可能なネットワークで、ホームエージェントＨＡに対する位置登録の最小単位であり、気付アドレスの割付単位である。即ち、インテリジェントスイッチＩＳＷ１に対応する気付アドレスのパケットが送信されると、インテリジェントスイッチＩＳＷ１に接続されたアクセスポイントＡＰ１ａ、ＡＰ１ｂ…ＡＰ１ｎが提供するページングドメイン５ａに対して着信が呼出される。
【００２６】
従って、例えば、モバイルＩＰ端末ＳＴＡ１がページングドメイン５ａ内に位置する場合、モバイルＩＰ端末ＳＴＡ１が位置するセルが変更されても常に同じ気付アドレスを利用できるので、ホームエージェントＨＡに対して位置登録を行う必要がない。一方、モバイルＩＰ端末ＳＴＡ１がページングドメイン５ａを越えてページングドメイン５ｂに移動した場合、以下に記載する本発明の第１の実施の形態に係る手順によって、新たなページングドメイン５ｂに対応する気付アドレスをホームエージェントＨＡに通知し、ハンドオーバーが実施される。
【００２７】
次に、図２を参照して本発明の第１の実施の形態に係る無線通信方法について概略を説明する。本発明の第１の実施の形態に係るモバイルＩＰ端末ＳＴＡ１は、送受信機を複数備えており、一つを通信中のアクトとして使用すると、通信していない送受信機は、スタンバイとして使用される。
【００２８】
図２（ｂ）に示すように、モバイルＩＰ端末ＳＴＡ１は通信中の状態である（１）。具体的には、図２（ａ）に示す様に、インテリジェントスイッチＩＳＷ１に、アクセスポイントＡＰ１ａ、ＡＰ１ｂ…ＡＰ１ｎが接続されており、モバイルＩＰ端末ＳＴＡ１は、アクト側の送受信機を介して旧アクセスポイント（第１のアクセスポイント）ＡＰ１ａ及び旧インテリジェントスイッチ（第１のインテリジェントスイッチ）ＩＳＷ１を介して通信している。
【００２９】
ＡＣＴ側の送受信機において通信レベルの低下が検出されると（２）、スタンバイ側の送受信機によって、新インテリジェントスイッチ（第２のインテリジェントスイッチ）ＩＳＷ３に接続された新アクセスポイントＡＰ３ａと通信を行うため、新アクセスポイント（第２のアクセスポイント）ＡＰ３ａとのアソシエーションが確立され、データリンク層レベルでの通信が認証される（３）。
【００３０】
新アクセスポイントＡＰ３ａとのアソシエーションが確立されると、モバイルＩＰ端末ＳＴＡ１は、新インテリジェントスイッチＩＳＷ３に、旧アクセスポイントＡＰ１ａからアクト側の送受信機を介すルートと、更に新アクセスポイントＡＰ３ａからスタンバイ側の送受信機を介すルートの２通りのルートでパケットを送信させるＬ３バイキャスト要求メッセージを送信する（４）。Ｌ３バイキャスト要求メッセージを受信すると、新インテリジェントスイッチＩＳＷ３は、旧インテリジェントスイッチＩＳＷ１に、Ｌ３バイキャスト要求メッセージを送信し、旧インテリジェントスイッチＩＳＷ１と新インテリジェントスイッチＩＳＷ３との間に、ＩＰ層に対応するレイヤ３トンネルを作成する（５）。
【００３１】
レイヤ３トンネルが作成されると、旧インテリジェントスイッチＩＳＷ１は、旧アクセスポイントＡＰ１ａと、新インテリジェントスイッチＩＳＷ３を介して新アクセスポイントＡＰ３ａとの両方に向けてパケットを送信する。このときモバイルＩＰ端末ＳＴＡ１は、旧アクセスポイントＡＰ１ａ及び新アクセスポイントＡＰ３ａの両方からパケットを受信する（６）。
【００３２】
ここで、モバイルＩＰ端末ＳＴＡ１は、旧アクセスポイントＡＰ１ａが提供するセルのエリアから新アクセスポイントＡＰ３ａが提供するセルのエリアに向けて移動したとする（７）。モバイルＩＰ端末ＳＴＡ１が新アクセスポイントＡＰ３ａが提供するセルに近づくと、モバイルＩＰ端末ＳＴＡ１は、旧アクセスポイントＡＰ１ａと通信しているアクト側の送受信機の通信レベルが低下したことを判断し、ハンドオーバーを実行する（８）。
【００３３】
このとき、モバイルＩＰ端末ＳＴＡ１は、アクト側で使用していた送受信機をスタンバイ側に切替るとともに、スタンバイ側で使用していた送受信機をアクト側に切替え（９）、モバイルＩＰ端末ＳＴＡ１は、モバイルＩＰ端末ＳＴＡ１のホームエージェントに、新インテリジェントスイッチＩＳＷ３に対応する気付アドレスを含む位置登録更新（Binding Update）メッセージを送信し、ホームエージェントから位置登録Ａｃｋ（Binding Ack）メッセージを受信する（１０）。
【００３４】
更にモバイルＩＰ端末ＳＴＡ１は、新インテリジェントスイッチＩＳＷ３にＬ３バイキャスト送信を停止させるＬ３バイキャスト停止要求メッセージを送信する（１１）。更に新インテリジェントスイッチＩＳＷ３は、旧インテリジェントスイッチＩＳＷ１にＬ３バイキャスト停止要求メッセージを送信し、旧インテリジェントスイッチＩＳＷ１において、レイヤ３トンネルを削除させる。これを受けて旧インテリジェントスイッチＩＳＷ１は、Ｌ３バイキャスト送信を停止する。
【００３５】
次に、図３乃至図５を参照して、本発明の第１の実施の形態に係る通信方法を説明する。ここで、各ステップに記載されている［ＩＥＴＦ  ＲＦＣ２４６１］や、［ＩＥＥＥ  ８０２．１１］などの記載は、それぞれの処理に適用される規格を示している。
【００３６】
図３は、アクセスポイントＡＰ１ａが起動した場合のシーケンス図である。ステップＳ１０１においてアクセスポイントＡＰ１ａが起動されると、ステップＳ１０２においてルータ通知（Router Advertisement）メッセージを送信させるルータ要請（Router Solicitation）メッセージがアクセスルータＡＲ１に送信される。ルータ要請メッセージの送信元アドレス（ＳＡ：Source Address）はアクセスポイントＡＰ１ａのＭＡＣアドレスで、宛先アドレス（ＤＡ：Destination Address）は、全ルータマルチキャストアドレスに対応するＭＡＣアドレスである。
【００３７】
アクセスルータＡＲ１はルータ要請メッセージを受信すると、ステップＳ１０３においてに、ネットワークプレフィックスを通知するルータ通知メッセージをアクセスポイントＡＰ１ａに送信する。ルータ通知メッセージの送信元アドレスはアクセスルータＡＲ１のＭＡＣアドレスで、宛先アドレスはアクセスポイントＡＰ１ａのＭＡＣアドレスである。これにより、アクセスポイントＡＰ１ａはアクセスルータＡＲ１のネットワークプレフィックスを取得することができる。
【００３８】
更に、アクセスポイントＡＰ１ａはステップＳ１０４において、インテリジェントスイッチＩＳＷ１に、近隣要請（Neighbor Solicitation）メッセージを送信する。近隣要請メッセージは、同一リンク上に存在する他のノードに対し、ＭＡＣアドレスを知らせるようにリクエストするメッセージである。ここでは、インテリジェントスイッチＩＳＷ１のＩＰアドレスに対応するＭＡＣアドレスを取得するメッセージを送信する。このとき近隣要請メッセージの送信元アドレスはアクセスポイントＡＰ１ａのＭＡＣアドレスで、宛先アドレスはＩＳＷの要請ノードマルチキャストアドレスに対応するＭＡＣアドレスである。
【００３９】
インテリジェントスイッチＩＳＷ１は近隣要請メッセージを受信すると、インテリジェントスイッチＩＳＷ１のＭＡＣアドレスを含む近隣通知（Neighbor Advertisement）メッセージをアクセスポイントＡＰ１ａに送信する。これにより、アクセスポイントＡＰ１ａはインテリジェントスイッチＩＳＷ１のＭＡＣアドレスを取得することができる。
【００４０】
図４は、インテリジェントスイッチＩＳＷ１が起動した場合のシーケンス図である。ステップＳ１５１においてインテリジェントスイッチＩＳＷ１が起動されると、ステップＳ１５２においてルータ通知メッセージを送信させるルータ要請メッセージがアクセスルータＡＲ１に送信される。ルータ要請メッセージの送信元アドレスはインテリジェントスイッチＩＳＷ１のＭＡＣアドレスで、宛先アドレスは、全ルータマルチキャストアドレスに対応するＭＡＣアドレスである。
【００４１】
アクセスルータＡＲ１はルータ要請メッセージを受信すると、ステップＳ１５３においてに、ネットワークプレフィックスを通知するルータ通知メッセージをインテリジェントスイッチＩＳＷ１に送信する。ルータ通知メッセージの送信元アドレスはアクセスルータＡＲ１のＭＡＣアドレスで、宛先アドレスはインテリジェントスイッチＩＳＷ１のＭＡＣアドレスである。これにより、アクセスポイントＡＰ１ａはアクセスルータＡＲ１のネットワークプレフィックスを取得することができる。
【００４２】
図５は、本発明の第１の実施の形態に係るモバイルＩＰ端末ＳＴＡ１が通信中にページングドメインを越えて移動する際のハンドオーバーについて説明する。
【００４３】
図５に示すようにモバイルＩＰ端末ＳＴＡ１は、第１の送受信機ＲＦ１及び第２の送受信機ＲＦ２を備えている。本発明の第１の実施の形態では、第１の送受信機ＲＦ１は、アクト側で使用されており、ステップＳ２０１において、旧アクセスポイントＡＰ１ａ及び旧インテリジェントスイッチＩＳＷ１を介して通信している。一方、第２の送受信機ＲＦ２は、スタンバイ側で使用されており、いずれの通信端末とも通信コネクションが確立されていない。
【００４４】
ここで、ステップＳ２０２においてモバイルＩＰ端末ＳＴＡ１の第１の送受信機ＲＦ１での通信レベルが低下したとする。通信レベルの低下とは、受信した信号レベルが低下したり、ＰＥＲ（パケット誤り率：Packet Error Rate）が劣化したことにより判断される。ここでは、モバイルＩＰ端末ＳＴＡ１の第１の送受信機ＲＦ１での通信レベルがバイキャスト送信を実行する閾値より低下したとする。
【００４５】
通信レベルが低下したと判断されると、ステップＳ２０３において、スタンバイ側の第２の送受信機ＲＦ２は、旧アクセスポイントＡＰ１ａとは異なる新アクセスポイントＡＰ３ａからのビーコン信号を探索する。このビーコン信号には、ビーコン信号を発信したアクセスポイントが属するページングドメイン５ｂのページング識別子と、当該新アクセスポイントＡＰ３ａの識別子が含まれる。このアクセスポイントの識別子には、無線部ＩＤとして、アクセスポイントのＭＡＣアドレスであるＢＳＳＩＤ（Basic Service Set Identifier）と、事業者又はカンパニーによって採番されるＥＳＳＩＤ（Extended Service Set Identifier）が含まれる。ここで、第２の送受信機ＲＦ２で受信したビーコン信号のページング識別子が第１の送受信機ＲＦ１で通信しているアクセスポイントのページング識別子と異なると判断されると、モバイルＩＰ端末ＳＴＡ１は、ページングドメインを越えて移動したことになり、本発明の第１の実施の形態に係る手順に従ってハンドオーバーが実施される。
【００４６】
具体的には、第２の送受信機ＲＦ２で受信したビーコン信号のページング識別子が第１の送受信機ＲＦ１で通信しているアクセスポイントのページング識別子と異なると判断されると、ステップＳ２０４において、モバイルＩＰ端末ＳＴＡ１によって、新アクセスポイントＡＰ３ａにアソシエーション要求メッセージが送信され、これに対応して、ステップＳ２０５において、新アクセスポイントＡＰ３ａからアソシエーション応答メッセージが送信される。これによりモバイルＩＰ端末ＳＴＡ１の第２の送受信機ＲＦ２と新アクセスポイントＡＰ３ａとのアソシエーションが確立される。
【００４７】
モバイルＩＰ端末ＳＴＡ１と新アクセスポイントＡＰ３ａとの間でアソシエーションが確立されると、ステップＳ２０６において、モバイルＩＰ端末ＳＴＡ１によって新アクセスポイントＡＰ３ａにデータリンク層レベルでのＬ２認証要求メッセージが送信される。新アクセスポイントＡＰ３ａによってモバイルＩＰ端末ＳＴＡ１からＬ２認証要求メッセージが受信されると、ステップＳ２０７において、予め記憶されたＲＡＤＩＵＳサーバ１０のＩＰアドレスが読み出されるとともにＲＡＤＩＵＳサーバ１０のＩＰアドレスにモバイルＩＰ端末ＳＴＡ１のＬ２認証要求メッセージが送信される。ＲＡＤＩＵＳサーバ１０によってＬ２認証要求メッセージが受信されると、ステップＳ２０８において認証応答メッセージが新アクセスポイントＡｐ３ａに送信される。ステップＳ２０８において新アクセスポイントＡＰ３ａよってＲＡＤＩＵＳサーバ１０からＬ２認証応答メッセージが受信されると、ステップＳ２０９においてモバイルＩＰ端末ＳＴＡ１へＬ２認証応答メッセージが送信される。
【００４８】
次に、ステップＳ２１０において新アクセスポイントＡＰ３ａからネットワークプレフィックス通知メッセージが送信される。ここで送信される情報は、アクセスルータＡＲ２のネットワークプレフィックス、デフォルトゲートウェイ（アクセスルータＡＲ２のＩＰアドレス）、アクセスルータＡＲ２のＭＡＣアドレスを含むアクセスルータ情報と、新インテリジェントスイッチＩＳＷ３のＩＰアドレス及びＭＡＣアドレスを含むインテリジェントスイッチ情報である。
【００４９】
モバイルＩＰ端末ＳＴＡ１によってネットワークプレフィックスが受信されると、これに対応してステップＳ２１１において、ネットワークプレフィックスにモバイルＩＰ端末ＳＴＡ１の６４ビットのＭＡＣアドレス（ＥＵＩ−６４）が付加されることにより気付アドレスが生成される。更に、ステップＳ２１２において、モバイルＩＰ端末ＳＴＡ１によって、新アクセスポイントＡＰ３ａにネットワークプレフィックス応答メッセージが送信される。
【００５０】
モバイルＩＰ端末ＳＴＡ１によってネットワークプレフィックス応答メッセージが送信されると、ステップＳ２１３において、モバイルＩＰ端末ＳＴＡ１の第２の送受信機ＲＦ２によってモバイルＩＰ端末宛のパケットを第１の送受信機ＲＦ１と第２の送受信機ＲＦ２の両方への送信を依頼するＬ３バイキャスト要求メッセージが新インテリジェントスイッチＩＳＷ３に送信される。このＬ３バイキャスト要求メッセージには、旧インテリジェントスイッチＩＳＷ１に対応する旧気付アドレス、新インテリジェントスイッチＩＳＷ３に対応する新気付アドレス、旧インテリジェントスイッチＩＳＷ１のＩＰアドレス、第１の送受信機ＲＦ１のＭＡＣアドレス、旧アクセスポイントＡＰ１ａのＭＡＣアドレス、第２の送受信機ＲＦ２のＭＡＣアドレス、新アクセスポイントＡＰ３ａのＭＡＣアドレス、モバイルＩＰ端末ＳＴＡ１のＭＡＣアドレスが含まれる。ここで、Ｌ３バイキャスト要求メッセーにおいて、発信元アドレスがモバイルＩＰ端末ＳＴＡ１のＭＡＣアドレスで、宛先アドレスが新インテリジェントスイッチＩＳＷ３のＭＡＣアドレスである。
【００５１】
ここで、新インテリジェントスイッチＩＳＷ３は、モバイルＩＰ端末のＭＡＣアドレスと、新アクセスポイントＡＰ３ａのＭＡＣアドレスと第２の送受信機ＲＦ２のＭＡＣアドレスを含むＬ２トンネル情報と、旧インテリジェントスイッチＩＳＷ１のＩＰアドレスを含むＬ３トンネル情報と、新気付アドレス及び旧気付アドレスを含む気付アドレス情報とを、新インテリジェントスイッチＩＳＷ３に備えられたバイキャストテーブル３６０ｂに登録する。
【００５２】
新インテリジェントスイッチＩＳＷ３によってＬ３バイキャスト要求メッセージが受信されると、ステップＳ２１４において、新インテリジェントスイッチＩＳＷ３によって、Ｌ３バイキャスト要求メッセージが旧インテリジェントスイッチＩＳＷ１に送信される。ここで送信されるＬ３バイキャスト要求メッセージは、モバイルＩＰ端末ＳＴＡ１のＭＡＣアドレスと、モバイルＩＰ端末ＳＴＡ１の第１の送受信機ＲＦ１のＭＡＣアドレスと、旧アクセスポイントＡＰ１ａのＭＡＣアドレスを含む。
【００５３】
ここで、旧インテリジェントスイッチＩＳＷ１は、モバイルＩＰ端末のＭＡＣアドレスと、旧アクセスポイントＡＰ１ａのＭＡＣアドレスと第１の送受信機ＲＦ１のＭＡＣアドレスを含むＬ２トンネル情報と、新インテリジェントスイッチＩＳＷ３のＩＰアドレスを含むＬ３トンネル情報とを、旧インテリジェントスイッチＩＳＷ１に備えられたバイキャストテーブル３６０ａに登録する。
【００５４】
Ｌ３バイキャスト要求メッセージが旧インテリジェントスイッチＩＳＷ１に受信されると、ステップＳ２１５において、旧インテリジェントスイッチＩＳＷ１によって、Ｌ３バイキャスト応答メッセージが新インテリジェントスイッチＩＳＷ３に送信される。ここで送信されるＬ３バイキャスト応答メッセージには、モバイルＩＰ端末ＳＴＡ１のＭＡＣアドレスが含まれる。
【００５５】
更に新インテリジェントスイッチＩＳＷ３によって、ステップＳ２１６においてＬ３バイキャスト応答メッセージが第２の送受信機ＲＦ２に送信される。このＬ３バイキャスト応答メッセージは、発信元アドレスが新インテリジェントスイッチＩＳＷ３のＭＡＣアドレスで、宛先アドレスがモバイルＩＰ端末ＳＴＡ１のＭＡＣアドレスである。
【００５６】
これにより、ステップＳ２１７ａ及びステップＳ２１７ｂに示すように、旧インテリジェントスイッチＩＳＷ１によってモバイルＩＰ端末ＳＴＡ１宛のパケットが受信されると、バイキャストテーブル３６０ａに従って、第１の送受信機ＲＦ１にパケットが送信されるとともに、新インテリジェントスイッチＩＳＷ３及び新アクセスポイントＡＰ３ａを介して第２の送受信機ＲＦ２にパケットが送信される。
【００５７】
このとき、新インテリジェントスイッチＩＳＷ３は、モバイルＩＰ端末ＳＴＡ１から旧気付アドレスを送信元としたメッセージを受信すると、旧インテリジェントスイッチＩＳＷ１にＩＰカプセル化して送信し、新気付アドレスを送信元としたメッセージを受信すると、新インテリジェントスイッチＩＳＷ３が接続されたアクセスルータにパケットを送信する。
【００５８】
第１の送受信機ＲＦ１によって更に通信レベルが低下した、より具体的にはモバイルＩＰ端末ＳＴＡ１の第１の送受信機ＲＦ１での通信レベルが通信が不可能になる閾値より低下したと判断されると、ステップＳ２１８において、アクト側の送受信機とスタンバイ側の送受信機の切替が行われる。
【００５９】
具体的には、ステップＳ２１９において、モバイルＩＰ端末ＳＴＡ１の第２の送受信機ＲＦ２によって、位置登録Ａｃｋの到着を監視させる位置登録Ａｃｋ監視要求メッセージが、新インテリジェントスイッチＩＳＷ３に送信される。この後、新インテリジェントスイッチＩＳＷ３は、入力されるパケットを検査し、モバイルＩＰ端末ＳＴＡ１の位置登録Ａｃｋメッセージを待機する。
【００６０】
更に、ステップＳ２２０において、モバイルＩＰ端末ＳＴＡ１の第２の送受信機ＲＦ２によって、モバイルＩＰ端末ＳＴＡ１のホームエージェントＨＡに位置登録更新メッセージが送信される。これに応答して、ステップＳ２２１において、モバイルＩＰ端末ＳＴＡ１の第２の送受信機によって、ホームエージェントＨＡ１から位置登録Ａｃｋメッセージが送信される。
【００６１】
このとき、新インテリジェントスイッチＩＳＷ３は、モバイルＩＰ端末ＳＴＡ１の位置登録Ａｃｋメッセージを検知する。この位置登録Ａｃｋメッセージが検知されると、旧気付アドレス宛のパケット、具体的には、旧インテリジェントスイッチＩＳＷ１から転送されたパケットは、モバイルＩＰ端末ＳＴＡ１の第２の送受信機ＲＦ２に送信する。一方、新気付アドレス宛のパケットは、所定時間が経過するまで、新インテリジェントスイッチＩＳＷ３の記憶部にバッファリングする。ここで所定時間とは、位置登録更新メッセージがホームエージェントＨＡに受信される前にホームエージェントＨＡによって旧インテリジェントスイッチＩＳＷ１を介して送信されたモバイルＩＰ端末ＳＴＡ１宛のパケットが、モバイルＩＰ端末ＳＴＡ１によって受信されるまでの時間である。
【００６２】
モバイルＩＰ端末ＳＴＡ１の第２の送受信機ＲＦ２によって、位置登録Ａｃｋメッセージが受信されると、ステップＳ２２２において、Ｌ３バイキャスト停止要求メッセージが新インテリジェントスイッチＩＳＷ３に送信される。このＬ３バイキャスト停止要求メッセージは、送信元アドレスはモバイルＩＰ端末ＳＴＡ１のＭＡＣアドレスで、宛先アドレスは新インテリジェントスイッチＩＳＷ３のＭＡＣアドレスである。
【００６３】
ここで、ステップＳ２２１で説明したバッファリングを行う所定時間が経過したとする。所定時間を経過すると、ステップＳ２２３において、新インテリジェントスイッチＩＳＷ３によって、バッファリングされたパケットが、新気付アドレス宛で送信され、モバイルＩＰ端末ＳＴＡ１の送受信機ＲＦ２に送信される。
【００６４】
又、新インテリジェントスイッチＩＳＷ３によって、モバイルＩＰ端末ＳＴＡ１からＬ３バイキャスト停止要求メッセージが受信され、所定時間を経過すると、ステップＳ２２４において、ステップＳ２２２で送信されたＬ３バイキャスト停止要求メッセージの送信元アドレスであるモバイルＩＰ端末ＳＴＡ１のＭＡＣアドレスを含むＬ３バイキャスト停止要求メッセージが旧インテリジェントスイッチＩＳＷ１に送信される。
【００６５】
Ｌ３バイキャスト停止要求メッセージが旧インテリジェントスイッチＩＳＷ１によって受信されると、ステップＳ２２５において、モバイルＩＰ端末ＳＴＡ１のＭＡＣアドレスを含むＬ３バイキャスト停止応答メッセージが新インテリジェントスイッチＩＳＷ３に送信される。新インテリジェントスイッチＩＳＷ３によってＬ３バイキャスト停止応答メッセージが送信されると、モバイルＩＰ端末ＳＴＡ１にＬ３バイキャスト停止応答メッセージが送信される。このＬ３バイキャスト停止応答メッセージは、発信元アドレスが新インテリジェントスイッチＩＳＷ３のＭＡＣアドレスで、宛先アドレスがモバイルＩＰ端末ＳＴＡ１のＭＡＣアドレスである。
【００６６】
Ｌ３バイキャスト停止応答メッセージが新インテリジェントスイッチＩＳＷ３に受信されると、新インテリジェントスイッチＩＳＷ３は、ステップＳ２２５で送信されたＬ３バイキャスト停止応答メッセージに含まれたモバイルＩＰ端末ＳＴＡ１のＭＡＣアドレスをキーとして、バイキャストテーブル３６０ｂから、Ｌ２トンネル情報、Ｌ３トンネル情報、ＣＯＡ情報を削除する。更に、Ｌ３バイキャスト停止要求メッセージが旧インテリジェントスイッチＩＳＷ１に受信されると、旧インテリジェントスイッチＩＳＷ１は、ステップＳ２２４で送信されたＬ３バイキャスト停止要求メッセージに含まれたモバイルＩＰ端末ＳＴＡ１のＭＡＣアドレスをキーとして、バイキャストテーブル３６０ａから、Ｌ２トンネル情報とＬ３トンネル情報を削除する。
【００６７】
Ｌ３バイキャスト停止応答メッセージが送信されると、旧インテリジェントスイッチＩＳＷ１によって、ステップＳ２２７において、旧アクセスポイントとモバイルＩＰ端末ＳＴＡ１とのアソシエーションの切断を要求する接続切断要求メッセージが送信される。この接続切断要求メッセージは、モバイルＩＰ端末ＳＴＡ１のＭＡＣアドレスを含み、発信元アドレスは旧インテリジェントスイッチＩＳＷ１のＭＡＣアドレスで、宛先アドレスは旧アクセスポイントＡＰ１ａのＭＡＣアドレスである。
【００６８】
この様な処理により、ステップＳ２２８において、第２の送受信機ＲＦ２を介してモバイルＩＰ端末ＳＴＡ１との通信が行われる。
【００６９】
ここで、図５に示したステップＳ２１７ａ及びステップＳ２１７ｂでのＬ３バイキャスト送信の詳細を説明する。
【００７０】
ステップＳ２１４において、旧インテリジェントスイッチＩＳＷ１によって、Ｌ３バイキャスト要求メッセージが受信されると、ステップＳ２１７ａにおいて、モバイルＩＰ端末ＳＴＡ１のＭＡＣアドレス宛のパケットを、第１の送受信機ＲＦ１に対応するＭＡＣアドレス宛のパケットにＭＡＣカプセル化して送信する。ここで、本発明の第１の実施の形態において「ＭＡＣカプセル化」とは、送信先のＭＡＣアドレスを指定してＬ２（レイヤー２）トンネルを設け、指定された送信先にダイレクトに送信することである。具体的には、モバイルＩＰ端末ＳＴＡ１のＭＡＣアドレス宛のパケットを、モバイルＩＰ端末ＳＴＡ１に備えられた第１の送受信機ＲＦ１又は第２の送受信機ＲＦ２宛に送信するために、送信先の送受信機のＭＡＣアドレスを宛先アドレスに指定したヘッダを付加する。一方、「ＩＰカプセル化」とは、送信先のＩＰアドレスを指定してＬ３（レイヤー３）トンネルを設け、指定された送信先にダイレクトに送信することである。
【００７１】
一方、ステップＳ２１７ｂにおいて、旧インテリジェントスイッチＩＳＷ１によって、新インテリジェントスイッチＩＳＷ３を介して送信する。具体的には、旧インテリジェントスイッチＩＳＷ１によって、Ｌ３バイキャスト要求メッセージが受信されると、モバイルＩＰ端末ＳＴＡ１のＭＡＣアドレス宛のパケットが、第１の送受信機ＲＦ１に対応するＭＡＣアドレス宛のパケットにＭＡＣカプセル化して送信される。更に、旧インテリジェントスイッチＩＳＷ１によって、モバイルＩＰ端末ＳＴＡ１のＭＡＣアドレス宛のパケットが、新インテリジェントスイッチＩＳＷ３に対応するＩＰアドレス宛のパケットにＩＰカプセル化して送信される。更に、新インテリジェントスイッチＩＳＷ３によって、モバイルＩＰ端末ＳＴＡ１のＭＡＣアドレス宛のパケットが新インテリジェントスイッチＩＳＷ３のＩＰアドレス宛にＩＰカプセル化されたパケットが受信されると、前記モバイルＩＰ端末ＳＴＡ１のＭＡＣアドレス宛のパケットが、第２の送受信機ＲＦ２に対応するＭＡＣアドレスのパケットにＭＡＣカプセル化して送信される。
【００７２】
ここで、送信されるパケットには、このパケットを識別するシーケンス番号を含み、旧インテリジェントスイッチＩＳＷ１によってパケットが受信される度にインクリメントされることが好ましい。この場合、モバイルＩＰ端末ＳＴＡ１によって、第１の送受信機ＲＦ１又は第２の送受信機ＲＦ２を介してパケットが受信されると、受信されたパケットに含まれているシーケンス番号が読み出されて、既に受信されたパケットのシーケンス番号である場合、受信されたパケットが破棄される。
【００７３】
より具体的には、モバイルＩＰ端末ＳＴＡ１によって、第１の送受信機ＲＦ１又は第２の送受信機ＲＦ２を介してパケットが受信されると、受信されたパケットに含まれているシーケンス番号が読み出されて、モバイルＩＰ端末ＳＴＡ１によって直近に受信されたパケットのシーケンス番号であるラスト受信シーケンス番号と受信されたパケットのシーケンス番号が比較される。受信されたパケットのシーケンス番号の方が大きい場合、モバイルＩＰ端末ＳＴＡ１によって、受信されたパケットがモバイルＩＰ端末ＳＴＡ１のアプリケーションに送信されるとともに、ラスト受信シーケンス番号が受信されたパケットのシーケンス番号に書き換えられる。一方、受信されたパケットのシーケンス番号の方が小さい場合、モバイルＩＰ端末ＳＴＡ１によって、受信されたパケットが破棄される。
【００７４】
又、受信されたパケットのシーケンス番号の方が大きい場合、モバイルＩＰ端末ＳＴＡ１によって、直近にパケットが受信された送受信機の識別子を示すラスト送受信機番号が、受信されたパケットを受信した送受信機の識別子に書き換えられる。このとき、モバイルＩＰ端末ＳＴＡ１によって、ラスト送受信機番号に対応する送受信機を介して、アプリケーションからパケットが送信される。
【００７５】
図６を参照して、ステップＳ２２１で説明した新気付アドレス宛のパケットのバッファリングについて詳述する。この図６においては、波線は本発明の第１の実施の形態に係る手順の制御信号を示し、実践は本発明の第１の実施の形態に係る手順で送信されるパケットの流れを示している。
【００７６】
まず、ステップＳ３０１において、モバイルＩＰ端末ＳＴＡ１が位置登録更新を行う時、まず、新インテリジェントスイッチＩＳＷ３によってモバイルＩＰ端末ＳＴＡ１から位置登録Ａｃｋ監視要求メッセージが受信されると、新インテリジェントスイッチＩＳＷ３は、受信したパケットのスクリーニングを開始し、位置登録Ａｃｋメッセージを受信するのを待機する。
【００７７】
一方、ステップＳ３０２においてモバイルＩＰ端末ＳＴＡ１から送信された位置登録更新メッセージは、新インテリジェントスイッチＩＳＷ３を介して、ステップＳ３０３において、ホームエージェントＨＡに送信される。位置登録更新メッセージが受信されると、ホームエージェントＨＡは、ステップＳ３０４及びステップＳ３０５において、新インテリジェントスイッチＩＳＷ３を介してモバイルＩＰ端末ＳＴＡ１に位置登録Ａｃｋメッセージを送信する。モバイルＩＰ端末ＳＴＡ１は、位置登録Ａｃｋメッセージが受信される前は、旧気付アドレスに基づいてパケットを送信していたが、位置登録Ａｃｋメッセージが受信されると、新気付アドレスに基づいてパケットを送信する。更に、ステップＳ３０６において、モバイルＩＰ端末ＳＴＡ１は、Ｌ３バイキャスト停止要求メッセージを新インテリジェントスイッチＩＳＷ３に送信する。
【００７８】
更に、位置登録Ａｃｋメッセージが新インテリジェントスイッチＩＳＷ３によって検知されてから所定時間を経過すると、新インテリジェントスイッチＩＳＷ３は、旧インテリジェントスイッチＩＳＷ１にＬ３バイキャスト停止要求メッセージを送信する。
【００７９】
この様な制御をした場合のパケットの到着順序について説明する。  
位置登録更新メッセージがホームエージェントＨＡに到着する前にホームエージェントＨＡによって受信されたモバイルＩＰ端末ＳＴＡ１宛のパケットは、ステップＳ３５１及びステップＳ３５２において、旧気付アドレスに基づいて旧インテリジェントスイッチＩＳＷ１を介してモバイルＩＰ端末ＳＴＡ１に送信される。一方、位置登録更新メッセージがホームエージェントＨＡに到着した後にホームエージェントＨＡによって受信されたモバイルＩＰ端末ＳＴＡ１宛のパケットは、ステップＳ３５３及びステップＳ３５４において、新気付アドレスに基づいて新インテリジェントスイッチＩＳＷ３に送信され、新インテリジェントスイッチＩＳＷ３においてバッファリングされる。
【００８０】
新インテリジェントスイッチＩＳＷ３において位置登録Ａｃｋメッセージが新インテリジェントスイッチＩＳＷ３によって検知されてから所定時間を経過すると、具体的には、位置登録更新メッセージがホームエージェントＨＡに受信される前にホームエージェントＨＡによって旧インテリジェントスイッチＩＳＷ１を介して送信されたモバイルＩＰ端末ＳＴＡ１宛のパケットが、モバイルＩＰ端末ＳＴＡ１によって受信されると、新インテリジェントスイッチＩＳＷ３は、ステップＳ３５５及びステップＳ３５６において、バッファリングしたパケットを、受信した順番にモバイルＩＰ端末ＳＴＡ１に送信する。
【００８１】
図６に示した方法によれば、モバイルＩＰ端末ＳＴＡ１に送信されるパケットの順番が前後することがないので、通信を不安定にさせることなくアプリケーションによる処理を円滑に行わせることができる。更に位置登録Ａｃｋメッセージを待機する時間も限定されるので、新インテリジェントスイッチＩＳＷ３の負荷を押さえることができる。
【００８２】
本発明の第１の実施の形態に係る無線通信方法においては、モバイルＩＰ端末ＳＴＡ１からの要請に基づいて、旧インテリジェントスイッチＩＳＷ１によって旧アクセスポイントＡＰ１ａにパケットが送信されるとともに、新インテリジェントスイッチＩＳＷ３を介してと新アクセスポイントＡＰ３ａにパケットが送信される。この様に、Ｌ３バイキャスト配信でパケットが送信されることにより、モバイルＩＰ端末ＳＴＡ１においてパケットロスを発生させないハンドオーバーが可能になる。
【００８３】
次に、本発明の第１の実施の形態に係る無線通信方法に用いられるモバイルＩＰ端末、アクセスポイント及びインテリジェントスイッチについて詳述する。
【００８４】
（モバイルＩＰ端末）
本発明の第１の実施の形態に係るモバイルＩＰ端末ＳＴＡ１は、複数の送受信機を備えており、それらの通信レベルに応じて、通信する送受信機を決定したり、バイキャスト配信を要請したりする機能を備える。
【００８５】
具体的には、図７に示すように本発明の第１の実施の形態に係るモバイルＩＰ端末ＳＴＡ１は、中央制御部１００、無線制御部１０４ａ及び１０４ｂ、第１の送受信機ＲＦ１、第２の送受信機ＲＦ２、バス切替部１０７、アンテナ１０６を備えている。中央制御部１００は、中央処理制御装置（ＣＰＵ）１０１、ＲＯＭ（Read Only Memory）１０２、ＲＡＭ（Random Access Memory）１０３を備えている。
【００８６】
ＲＯＭ１０２には、モバイルＩＰ端末ＳＴＡ１の起動時に実行されるブートプログラムが、ＲＡＭ１０３にはモバイルＩＰ端末ＳＴＡ１で実行されるプログラムや、後述するモバイルＩＰ端末ＳＴＡ１のＭＡＣアドレスと、第１の送受信機ＲＦ１のＭＡＣアドレスと、第２の送受信機ＲＦ２のＭＡＣアドレスとを含むデータテーブル１５０と、バイキャスト送信を実行する閾値と、通信が不可能になる閾値及び処理中に発生する一時記憶データなどが記憶されている。
【００８７】
モバイルＩＰ端末ＳＴＡ１が起動されると、ＲＯＭ１０２に記憶されたブートプログラムが中央処理制御装置１０１によって実行される。又、中央制御部１００は、無線制御部１０４を制御して、アンテナ１０６及び送受信機ＲＦ１及びＲＦ２を介して、アクセスポイントＡＰ１ａとデータを送受信する。このとき、バス切替部１０７は、中央制御部１００からの指示に従って、無線制御部１０４ａ又は１０４ｂを介して、第１の送受信機ＲＦ１又は第２の送受信機ＲＦ２のいずれかを制御する。ＲＡＭ１０３には、モバイルＩＰ端末ＳＴＡ１のＭＡＣアドレスと、第１の送受信機ＲＦ１のＭＡＣアドレスと、第２の送受信機ＲＦ２のＭＡＣアドレスと、バイキャスト送信を実行する閾値と、通信が不可能になる閾値とが記憶される。
【００８８】
中央制御部１００は、通信を開始すると、旧インテリジェントスイッチＩＳＷ１に接続された旧アクセスポインＡＰ１ａトと第１の送受信機ＲＦ１を介して通信するとともに、旧アクセスポイントＡＰ１ａの識別子と、旧第１のインテリジェントスイッチＩＳＷ１のページングドメインの識別子である第１のページング識別子とをＲＡＭに記憶する。
【００８９】
ここで、第１の送受信機ＲＦ１の通信レベルがバイキャスト送信を実行する閾値より低下されたと判断されると、第２の送受信機ＲＦ２を介して、新インテリジェントスイッチＩＳＷ３に接続された新アクセスポイントＡＰ３ａから、新インテリジェントスイッチに対応するページングドメインの識別子である第２のページング識別子と新アクセスポイントＡＰ３ａの識別子を含むビーコン信号を受信する。ここで、第１のページング識別子と第２のページング識別子が異なると判断されると、モバイルＩＰ端末ＳＴＡ１のＭＡＣアドレスと、第１の送受信機ＲＦ１のＭＡＣアドレスと、旧アクセスポイントＡＰ１ａの識別子と、第２の送受信機ＲＦ２のＭＡＣアドレスと、新アクセスポイントＡＰ３ａの識別子と、旧インテリジェントスイッチＩＳＷ１のＩＰアドレスと、旧インテリジェントスイッチＩＳＷ１に対応する第１の気付アドレスと、新インテリジェントスイッチＩＳＷ３に対応する第２の気付アドレスとを少なくとも含み、モバイルＩＰ端末ＳＴＡ１宛のパケットを第１の送受信機ＲＦ１及び第２の送受信機ＲＦ２の両方への送信を要求するＬ３バイキャスト要求メッセージを、第２の送受信機ＲＦ２を介して新インテリジェントスイッチＩＳＷ３に送信する。
【００９０】
ここで、中央制御部１００は、更に第１の送受信機ＲＦ１の通信レベルが通信が不可能になる閾値より低下した場合、第２の送受信機ＲＦ２を介してバイキャスト送信の停止を要求するＬ３バイキャスト停止要求メッセージを新インテリジェントスイッチＩＳＷ３に送信し、旧インテリジェントスイッチＩＳＷ１に、第１の送受信機ＲＦ１及び第２の送受信機ＲＦ２へのパケットの送信を停止させる。
【００９１】
中央制御部１００は、第１の送受信機ＲＦ１によって、第１の送受信機ＲＦ１のＭＡＣアドレス宛のパケットにＭＡＣカプセル化されたモバイルＩＰ端末ＳＴＡ１のＭＡＣアドレス宛のパケットを、旧インテリジェントスイッチＩＳＷ１を介して旧アクセスポイントＡＰ１ａから受信し、第２の送受信機ＲＦ２によって、第２の送受信機ＲＦ２のＭＡＣアドレス宛のパケットにＭＡＣカプセル化されたモバイルＩＰ端末ＳＴＡ１のＭＡＣアドレス宛のパケットを、旧第１のインテリジェントスイッチＩＳＷ１と新インテリジェントスイッチＩＳＷ３を介して新アクセスポイントＡＰ３ａから受信するのが好ましい。ここで、中央制御部１００は、更に、第１の送受信機又は第２の送受信機を介してパケットが受信されると、受信されたパケットに含まれている識別子が読み出されて、既に受信されたパケットの識別子である場合、受信されたパケットを破棄するのが好ましい。
【００９２】
Ｌ３バイキャスト送信する処理やＬ３バイキャスト配信されたデータの処理については、図３３乃至図３８を参照して後に詳述する。
【００９３】
図８に示すように、本発明の第１の実施の形態に係るモバイルＩＰ端末ＳＴＡ１は、データリンク層において、ミドルウェアによって複数の送受信機に対応するＭＡＣアドレスが扱われている。このミドルウェアの代表的なアルゴリズムとしては、状態遷移のアルゴリズムや、バイキャスト配信されたパケットの制御アルゴリズムなどが含まれる。又、ミドルウェアによって扱われる複数の送受信機の情報は、上位層であるネットワーク層（ＩＰ）において、隠蔽される。
【００９４】
ネットワーク層においては、複数の送受信機のＭＡＣアドレスを扱うことなく、モバイルＩＰ端末ＳＴＡ１に割り当てられたＭＡＣアドレスに基づいて処理が実行される。ここでは、モバイルＩＰにおける気付アドレス（ＣＯＡ）は、上位層であるトランスポート層において、隠蔽される。トランスポート層及びアプリケーション層などにおいては、ホームアドレスでの通信としか見えず、モバイルＩＰ端末ＳＴＡ１の現在位置に関係なくセッションの維持が可能となる。
【００９５】
図９に示すように、モバイルＩＰ端末ＳＴＡ１のデータテーブル１５０は、モバイルＩＰ端末ＳＴＡ１自身に関するデータ、アクセスポイントに関するデータ、アクセスルータに関するデータ、インテリジェントスイッチに関するデータ、ホームエージェントに関するデータが含まれる。
【００９６】
（１）モバイルＩＰ端末ＳＴＡ１自身に関するデータ
・ホームアドレス情報：モバイルＩＰ端末ＳＴＡ１のホームリンクでのＩＰアドレス即ちホームアドレス、サブネットマスク、デフォルトゲートウェイなど。これらの情報は、モバイルＩＰ端末ＳＴＡ１に固有の情報でスタティックに記憶される。  
・ＣＯＡ情報：モバイルＩＰ端末ＳＴＡ１の外部リンクでのＩＰアドレス、サブネットマスク、デフォルトゲートウェイなど。これらの情報は、アクセスポイント接続時に生成され、接続したページングドメイン毎に記憶される。  
・ＲＦ１−ＭＡＣ：モバイルＩＰ端末ＳＴＡ１に備えられた第１の送受信機ＲＦ１のＭＡＣアドレスである。この情報は、モバイルＩＰ端末ＳＴＡ１に固有の情報でスタティックに記憶される。  
・ＲＦ２−ＭＡＣ：モバイルＩＰ端末ＳＴＡ１に備えられた第２の送受信機ＲＦ２のＭＡＣアドレスである。この情報は、モバイルＩＰ端末ＳＴＡ１に固有の情報でスタティックに記憶される。  
・ＳＴＡ−ＭＡＣアドレス：モバイルＩＰ端末ＳＴＡ１のＭＡＣアドレスである。これらの情報は、モバイルＩＰ端末ＳＴＡ１に固有の情報でスタティックに記憶される。  
・ＡＰ−ＩＤ：アクセスポイントの無線部ＩＤ（ＥＳＳＩＤ）である。モバイルＩＰ端末ＳＴＡ１は、このＡＰ−ＩＤに基づいて接続しても良いアクセスポイントを判断する。
【００９７】
（２）アクセスポイントに関するデータ
このアクセスポイントに関するデータは、モバイルＩＰ端末ＳＴＡ１とアソシエーションが確立されたアクセスポイント毎に以下のデータを備える。  
・ＡＰ−ＩＤ：検出されたアクセスポイントの無線部ＩＤ（ＢＳＳＩＤ及びＥＳＳＩＤ）である。  
・ページングＩＤ：アクセスポイントから送信されるビーコン信号に含まれる。このページングＩＤが変更した場合、モバイルＩＰ端末ＳＴＡ１は、ページングドメインが変更したと判断し、位置登録処理を行う。
【００９８】
（３）アクセスルータに関するデータ
このアクセスルータに関するデータは、アクセスポイントが接続され、ページングドメインが変更されたときに、接続したページングドメイン毎に記憶される。  
・ネットワークプレフィックス：モバイルＩＰ端末ＳＴＡ１は、このネットワークプレフィックスに基づいて気付アドレスを生成する。  
・ＭＡＣアドレス：アクセスルータのＭＡＣアドレス。  
・デフォルトゲートウェイ：アクセスルータのＭＡＣアドレス。
【００９９】
（４）インテリジェントスイッチに関するデータ
・ＭＡＣアドレス：インテリジェントスイッチのＭＡＣアドレスは、モバイルＩＰ端末ＳＴＡ１がページング要求する宛先アドレスとして利用される。このインテリジェントスイッチに関するデータは、アクセスポイントが接続されたときに、アクセスポイントから送信され、ページングドメインが変更されたときに、接続したページングドメイン毎に記憶される。
【０１００】
（５）ホームエージェントに関するデータ
・ＩＰアドレス：ホームエージェントのＩＰアドレスは、モバイルＩＰ端末ＳＴＡ１がホームエージェントに位置登録更新を行う場合の宛先ＩＰアドレスになる。
【０１０１】
次に、図１０乃至図１６を参照して、本発明の第１の実施の形態に係るモバイルＩＰ端末ＳＴＡ１の状態遷移を説明する。
【０１０２】
まず、ステップＳ１１００においてモバイルＩＰ端末ＳＴＡ１は、停止状態であるとする。ステップＳ１１０１において、アクト側の送受信機が決定される。アクト側の送受信機が決定されると、ステップＳ１１０２において、アクセスポイントを探索し、アクセスポイントからのビーコン信号を受信する。
【０１０３】
ビーコン信号を受信すると、ステップＳ１１０３においてモバイルＩＰ端末ＳＴＡ１は、アクセスポイントにアソシエーション要求メッセージを送信し、これに対応してステップＳ１１０４において、アクセスポイントからアソシエーション応答メッセージを受信する。これにより、モバイルＩＰ端末ＳＴＡ１とアクセスポイントとの間でアソシエーションが確立される。このとき、モバイルＩＰ端末ＳＴＡ１は、アソシエーション要求メッセージのヘッダの「ADDRESS4」に、現在アクト側の送受信機のＭＡＣアドレスを挿入して送信する。
【０１０４】
更にステップＳ１１０５においてモバイルＩＰ端末ＳＴＡ１は、アクセスポイントを介してＲＡＤＩＵＳサーバにＬ２認証依頼メッセージを送信し、これに対応してステップＳ１１０６において、ＲＡＤＩＵＳサーバからアクセスポイントを介してＬ２認証応答メッセージを受信する。ステップＳ１１０７において認証されなかった場合は、ステップＳ１１０１に戻り、再びステップＳ１１０２において、アクセスポイントを探索する。
【０１０５】
ステップＳ１１０７において認証された場合、ステップＳ１１０８においてモバイルＩＰ端末ＳＴＡ１は、アクセスポイントから、アクセスポイントが接続されインテリジェントスイッチの情報と、そのインテリジェントスイッチが接続されたアクセスルータの情報を含むネットワークプレフィックス通知メッセージを受信する。これに対応してステップＳ１１０９においてモバイルＩＰ端末ＳＴＡ１は、ネットワークプレフィックス応答メッセージをアクセスポイントに送信する。このとき、ステップＳ１１１０においてモバイルＩＰ端末ＳＴＡ１は、ステップＳ１１０８で受信したアクセスルータの情報に含まれるネットワークプレフィックスと、図８に示したモバイルＩＰ端末ＳＴＡ１のＭＡＣアドレスに基づいて気付アドレス（ＣＯＡ）を生成する。
【０１０６】
ステップＳ１１１０において気付アドレスが生成されると、ステップＳ１１１１においてモバイルＩＰ端末ＳＴＡ１は、生成された気付アドレスを含む位置登録更新メッセージをホームエージェントに送信し、これに対応してステップＳ１１１２において位置登録認定メッセージをホームエージェントから受信する。
【０１０７】
ホームエージェントへの位置登録が完了すると、ステップＳ１１１３においてモバイルＩＰ端末ＳＴＡ１は、インテリジェントスイッチにページング要求メッセージを送信し、これに対応してステップＳ１１１４において、インテリジェントスイッチからページング応答メッセージを受信する。これにより、モバイルＩＰ端末ＳＴＡ１は、インテリジェントスイッチを介して発着信することができる。
【０１０８】
インテリジェントスイッチへのページング要求が完了すると、ステップＳ１１１５においてモバイルＩＰ端末ＳＴＡ１は、着信や発信が発生するまで、スリープ状態で待機する。このとき、定期的にビーコン信号を探索し、アソシエーションを確立できるアクセスポイントを探索する。
【０１０９】
ここで、ステップＳ１２０１においてモバイルＩＰ端末ＳＴＡ１は、アクセスポイントからビーコン信号を受信し、ビーコン信号に含まれるページングドメインの識別子が変更したことを認識すると、ページングドメインを越えて移動したと判断され、ステップＳ１１０１に進み、新たに認識されたアクセスポイントと接続する。
【０１１０】
一方、ステップＳ１２０２においてモバイルＩＰ端末ＳＴＡ１で起動しているアプリケーションから発信が要求されると、ステップＳ１２０４に進む。
【０１１１】
ステップＳ１２０４においてモバイルＩＰ端末ＳＴＡ１は、アクセスポイントにアソシエーション要求メッセージを送信し、これに対応してステップＳ１２０５において、アクセスポイントからアソシエーション応答メッセージを受信する。これにより、モバイルＩＰ端末ＳＴＡ１のアクト側の送受信機とアクセスポイントとの間でアソシエーションが確立される。
【０１１２】
更にステップＳ１２０６においてモバイルＩＰ端末ＳＴＡ１は、アクセスポイントを介してＲＡＤＩＵＳサーバにＬ２認証依頼メッセージを送信し、これに対応してステップＳ１２０７において、ＲＡＤＩＵＳサーバからアクセスポイントを介してＬ２認証応答メッセージを受信する。ステップＳ１２０８において認証されなかった場合は、ステップＳ１１０１に戻り、再びステップＳ１１０２において、アクセスポイントを探索する。
【０１１３】
ステップＳ１２０８において認証された場合、ステップＳ１２０９においてモバイルＩＰ端末ＳＴＡ１は、モバイルＩＰ端末ＳＴＡ１のアクト側の送受信機とアクセスポイントとの間で通信が開始される。
【０１１４】
一方、ステップＳ１２０３において、ビーコン信号に含まれるページング着信要求メッセージをアクセスポイントから受信し、ページング着信要求メッセージにモバイルＩＰ端末ＳＴＡ１自身のＭＡＣアドレスが含まれていると、ステップＳ１２１０に進む。一方、モバイルＩＰ端末ＳＴＡ１自身のＭＡＣアドレスが含まれていない場合、何も処理されない。
【０１１５】
ステップＳ１２１０においてモバイルＩＰ端末ＳＴＡ１は、アクセスポイントにアソシエーション要求メッセージを送信し、これに対応してステップＳ１２１１において、アクセスポイントからアソシエーション応答メッセージを受信する。これにより、モバイルＩＰ端末ＳＴＡ１のアクト側の送受信機とアクセスポイントとの間でアソシエーションが確立される。
【０１１６】
更にステップＳ１２１２においてモバイルＩＰ端末ＳＴＡ１は、アクセスポイントを介してＲＡＤＩＵＳサーバにＬ２認証依頼メッセージを送信し、これに対応してステップＳ１２１３において、ＲＡＤＩＵＳサーバからアクセスポイントを介してＬ２認証応答メッセージを受信する。ステップＳ１２１４において認証されなかった場合は、ステップＳ１１０１に戻り、再びステップＳ１１０２において、アクセスポイントを探索する。
【０１１７】
ステップＳ１２１４において認証された場合、ステップＳ１２１５において、モバイルＩＰ端末ＳＴＡ１は、ページング着信応答メッセージをインテリジェントスイッチに送信する。これにより、ステップＳ１２１６において、モバイルＩＰ端末ＳＴＡ１のアクト側の送受信機とアクセスポイントとの間で通信が開始される。
【０１１８】
ステップＳ１３０１においてアクト側の送受信機で通信可能な状態になると、ステップＳ１３０２に示すようにＶｏＩＰ（Voice over Internet Protocol）などのリアルタイム系通信の要求メッセージを受信すると、ステップＳ１３０３においてモバイルＩＰ端末ＳＴＡ１のアクト側の送受信機は、ＶｏＩＰ通信中に遷移する。このとき、ステップＳ１３０４においてリアルタイム系通信の切断が要求されると、ステップＳ１３０５においてモバイルＩＰ端末ＳＴＡ１は、インテリジェントスイッチにページング要求メッセージを送信し、これに対応してステップＳ１３０６において、インテリジェントスイッチからページング応答メッセージを受信する。これにより、モバイルＩＰ端末ＳＴＡ１は、ステップＳ１１１５の状態に遷移し、インテリジェントスイッチを介して再び発着信することができる。ここで、ステップＳ１３０４におけるリアルタイム系通信の切断要求とは、例えば、通信先端末からｂｙｅ信号が受信されたり、モバイルＩＰ端末ＳＴＡ１のユーザによって切断ボタンが押下されたり、通信状態の悪化などによるセッション断などである。
【０１１９】
一方、ステップＳ１３０３においてＶｏＩＰ通信中であるときに、ステップＳ１３０７においてデータ通信などの非リアルタイム系通信の要求メッセージを受信すると、ステップＳ１３１９において、アクト側の送受信機でＶｏＩＰとデータとが同時に通信される状態に遷移する。
【０１２０】
一方、ステップＳ１３０１において通信可能な状態になると、ステップＳ１３１１に示すようにデータ通信などの非リアルタイム系通信の要求メッセージを受信すると、ステップＳ１３１２においてモバイルＩＰ端末ＳＴＡ１のアクト側の送受信機は、データ通信中に遷移する。このとき、無通信時間を監視する無通信タイマーが起動される。
【０１２１】
ステップＳ１３１４において無通信タイマーがタイムオーバーになるか、ステップＳ１３１３においてデータセッションが切断されてしまうと、ステップＳ１３１５においてモバイルＩＰ端末ＳＴＡ１は、インテリジェントスイッチにページング要求メッセージを送信し、これに対応してステップＳ１３１６において、インテリジェントスイッチからページング応答メッセージを受信する。これにより、モバイルＩＰ端末ＳＴＡ１は、ステップＳ１１１５の状態に遷移し、インテリジェントスイッチを介して再び発着信することができる。
【０１２２】
一方、ステップＳ１３１２においてデータ通信中であるとき、ステップＳ１３１７においてＶｏＩＰなどのリアルタイム系通信の要求メッセージを受信すると、ステップＳ１３１２で起動された無通信タイマーをステップＳ１３１８で停止し、ステップＳ１３１９において、アクト側の送受信機でＶｏＩＰとデータとが同時に通信される状態に遷移する。
【０１２３】
このとき、ステップＳ１３２０においてリアルタイム系通信の切断が要求されると、モバイルＩＰ端末ＳＴＡ１は、ステップＳ１３１２に進みデータ通信のみが行われる状態に遷移する。一方、ステップＳ１３２１においてデータセッションが切断されると、モバイルＩＰ端末ＳＴＡ１は、ステップＳ１３０３に進みＶｏＩＰ通信のみが行われる状態に遷移する。
【０１２４】
ステップＳ１３０１においてアクト側の送受信機で通信中、ステップＳ１３０３においてアクト側の送受信機でＶｏＩＰ通信中、ステップＳ１３１２においてアクト側の送受信機でデータ通信中及びアクト側の送受信機でＶｏＩＰとデータとの同時通信中のいずれかの状態であるとき、ステップＳ１４０１において、アクセスポイントから送信されるビーコン信号を受信し、バイキャスト送信を実行する閾値より通信レベルが低下したことが判断されると、ステップＳ１４０２において、スタンバイ側の送受信機に起動を要求する。更に、アクト側の送受信機は、ステップＳ１４０３においてハンドオーバーの前処理状態に遷移し、アクト側の送受信機によって、モバイルＩＰ端末ＳＴＡ１宛のパケットが受信される。
【０１２５】
ステップＳ１４０２におけるアクト側送受信機によるスタンバイ側の起動要求に伴い、スタンバイ側の送受信機は、ステップＳ１４５１において停止中であったところ、ステップＳ１４５２において、スタンバイ側の送受信機からの起動要求に基づいて、起動される。
【０１２６】
スタンバイ側の送受信機は、ステップＳ１４５３においてハンドオーバーの前処理状態に遷移する。
【０１２７】
スタンバイ側の送受信機は、ステップＳ１４５４において、新アクセスポイントを探索し、新アクセスポイントからのビーコン信号を受信する。ステップＳ１４５５において、ページングエリア内移動でない場合、具体的にはページングエリアを越える移動である場合、ステップＳ１４５６において、ページングエリア間移動をアクト側の送受信機に通知し、ステップ１６５１に進む。一方、アクト側送受信機は、ステップＳ１４０４において、ページングエリア間移動を受信すると、ステップ１６０１に進む。このとき、本発明の第１の実施の形態に係るＬ３ハンドオーバーが実行される。
【０１２８】
具体的には、アクト側の送受信機は、ステップＳ１５５１においてスタンバイ側から送信されたページングエリア間移動通知をステップＳ１４０４で受信すると、ステップＳ１６０１において、アクト側の送受信機は、アクト側のＬ３ハンドオーバー前処理状態に遷移する。一方、スタンバイ側の送受信機は、ステップＳ１６５１において、スタンバイ側のＬ３ハンドオーバー前処理状態に遷移する。
【０１２９】
更に、スタンバイ側の送受信機は、ステップＳ１６５２において、ステップＳ１６５２においてモバイルＩＰ端末ＳＴＡ１のスタンバイ側の送受信機は、新アクセスポイントにアソシエーション要求メッセージを送信する。このとき、モバイルＩＰ端末ＳＴＡ１は、アソシエーション要求メッセージのヘッダの「ADDRESS4」に、スタンバイ側の送受信機のＭＡＣアドレスを挿入して送信する。これに応答してステップＳ１６５３において、新アクセスポイントからアソシエーション応答メッセージを受信する。これにより、モバイルＩＰ端末ＳＴＡ１と新アクセスポイントとの間でアソシエーションが確立される。更にステップＳ１６５４においてモバイルＩＰ端末ＳＴＡ１のスタンバイ側の送受信機は、新アクセスポイントを介してＲＡＤＩＵＳサーバにＬ２認証依頼メッセージを送信し、これに対応してステップＳ１６５５において、ＲＡＤＩＵＳサーバから新アクセスポイントを介してＬ２認証応答メッセージを受信する。この処理は、図５のステップＳ２０４乃至ステップＳ２０９に相当する。
【０１３０】
ステップＳ１６５５において認証された場合、ステップＳ１６５６においてモバイルＩＰ端末ＳＴＡ１のスタンバイ側の送受信機は、新アクセスポイントから、新アクセスポイントが接続された新インテリジェントスイッチの情報と、その新インテリジェントスイッチが接続されたアクセスルータの情報を含むネットワークプレフィックス通知メッセージを受信する。このとき、ステップＳ１６５７においてモバイルＩＰ端末ＳＴＡ１は、ステップＳ１６５６で受信したアクセスルータの情報に含まれるネットワークプレフィックスと、図９に示したモバイルＩＰ端末ＳＴＡ１のＭＡＣアドレスに基づいて気付アドレス（ＣＯＡ）を生成する。これに対応してスタンバイ側の送受信機は、ステップＳ１６５８においてモバイルＩＰ端末ＳＴＡ１は、ネットワークプレフィックス応答メッセージを新アクセスポイントに送信する。この処理は、図５のステップＳ２１０乃至ステップＳ２１２に相当する。
【０１３１】
次に、スタンバイ側の送受信機は、ステップＳ１６５９において、新インテリジェントスイッチにＬ３バイキャスト要求メッセージを送信し、これに応答して新インテリジェントスイッチからＬ３バイキャスト応答メッセージを受信し、ステップＳ１６６１において、ハンドオーバーバイキャスト実行通知メッセージをアクト側の送受信機に送信し、ステップＳ１７５１に進む。一方、アクト側の送受信機は、スタンバイ側の送受信機からハンドオーバーバイキャスト実行通知メッセージを受信し、ステップＳ１７０１に進む。
【０１３２】
ステップＳ１７０１おいて、アクト側の送受信機はＬ３ハンドオーバーのバイキャスト受信中の状態に遷移する。ここで、ステップＳ１７６２において旧アクセスポイントからのビーコン信号の通信レベルを監視する。一方、スタンバイ側の送受信機は、ステップＳ１７５１おいて、スタンバイ側の送受信機でＬ３ハンドオーバーのバイキャスト受信中の状態に遷移する。ここで、ステップＳ１７５２において新アクセスポイントからのビーコン信号の通信レベルを監視する。
【０１３３】
アクト側の送受信機の通信レベルが、通信が不可能になる閾値より低下したことが判断されると、ステップＳ１７０３において、ハンドオーバー後処理要求メッセージがスタンバイ側の送受信機に送信される。スタンバイ側の送受信機は、ステップＳ１７５３において、ハンドオーバーの後処理要求メッセージを受信すると、ステップＳ１７５４において、ハンドオーバー後処理応答メッセージをアクト側の送受信機に送信する。
【０１３４】
アクト側の送受信機は、ステップＳ１７０４においてハンドオーバー後処理応答メッセージを受信すると、アクト側の送受信機は機能を停止し、ステップＳ１７０５において、アクト側停止完了メッセージをスタンバイ側の送受信機に送信して、ステップＳ１７０６において、スタンバイ側の送受信は待機状態に遷移する。
【０１３５】
一方、スタンバイ側の送受信機は、ステップＳ１７５５において、アクト側停止完了メッセージを受信すると、ステップＳ１７５６において、新インテリジェントスイッチに位置登録Ａｃｋ監視要求メッセージを送信し、ステップＳ１７５７において、ホームエージェントに位置登録更新メッセージを送信し、それに対応して、ステップＳ１７５８においてホームエージェントから位置登録Ａｃｋメッセージを受信する。更にスタンバイ側の送受信機は、新インテリジェントスイッチにＬ３バイキャスト停止要求メッセージを送信し、これに応答してステップＳ１７６０において、新インテリジェントスイッチＩＳＷ３からＬ３バイキャスト停止応答メッセージを受信し、ステップＳ１７６１において、スタンバイ側の送受信機は、アクト側の送受信機として通信し、ハンドオーバーが完了する。更に、スタンバイ側の送受信機は、ステップＳ１３０１におけるアクト側で通信中、ステップＳ１３０３におけるアクト側でＶｏＩＰ通信中、ステップＳ１３１２におけるアクト側でデータ通信中及びステップＳ１３１９におけるアクト側でＶｏＩＰとデータとの同時通信中のいずれかの状態に遷移する。この処理は、図５のステップＳ２１９乃至ステップＳ２２８に相当する。
【０１３６】
一方、ステップＳ１７０１において、アクト側の送受信機の通信レベルが維持されるとともに、ステップＳ１７５２においてスタンバイ側の通信レベルが、通信が不可能になる閾値より低下したことが判断されると、スタンバイ側の送受信機は、ステップＳ１７７１において、ハンドオーバー中止要求メッセージをアクト側の送受信機に送信する。その後、ステップＳ１７７２において、スタンバイ側の送受信機は、停止状態に遷移する。アクト側の送受信機は、ステップＳ１７１１においてハンドオーバー中止要求メッセージを受信すると、ステップＳ１７１２において、旧インテリジェントスイッチにハンドオーバーのバイキャスト停止要求メッセージを送信する。これに対応してステップＳ１７１３において、旧インテリジェントスイッチからバイキャスト停止応答メッセージを受信すると、ステップＳ１７１４におけるアクト側で通信を行い、ステップＳ１３０１におけるアクト側で通信中、ステップＳ１３０３におけるアクト側でＶｏＩＰ通信中、ステップＳ１３１２におけるＡＣＴ側でデータ通信中及びステップＳ１３１９におけるアクト側でＶｏＩＰとデータとの同時通信中のいずれかの状態に遷移する。
【０１３７】
一方、ステップＳ１４５５においてページングエリア内の移動でかつ、アクト側の送受信機とアソシエーションが確立されているアクセスポイントとは異なるアクセスポイントからのビーコン信号を受信した場合、ステップＳ１４５７において、ページングエリア内移動をアクト側の送受信機に通知し、ステップＳ１４５８に進む。一方、アクト側送受信機は、ステップＳ１４０４において、ページングエリア間移動を受信すると、ステップ１５０１に進む。
【０１３８】
ステップＳ１４５８においてモバイルＩＰ端末ＳＴＡ１は、新アクセスポイントにアソシエーション要求メッセージを送信し、これに対応してステップＳ１４５９において、新たなセスポイントからアソシエーション応答メッセージを受信する。このとき、モバイルＩＰ端末ＳＴＡ１は、アソシエーション要求メッセージのヘッダの「ADDRESS4」に、現在スタンバイ側の送受信機のＭＡＣアドレスを挿入して送信する。更にステップＳ１４６０においてモバイルＩＰ端末ＳＴＡ１のスタンバイ側の送受信機は、新アクセスポイントを介してＲＡＤＩＵＳサーバにＬ２認証依頼メッセージを送信し、これに対応してステップＳ１４６１において、ＲＡＤＩＵＳサーバから新アクセスポイントを介してＬ２認証応答メッセージを受信する。図示しないが、ここで認証されなかった場合は、ステップＳ１４５３に戻り、再びステップＳ１４５４において、アクセスポイントを探索する。
【０１３９】
ステップＳ１４５９において認証された場合、スタンバイ側の送受信機は、ステップＳ１４６２においてインテリジェントスイッチにハンドオーバーのバイキャスト要求メッセージを送信し、これに対応してステップＳ１４６３において、インテリジェントスイッチからバイキャスト応答メッセージを受信する。バイキャスト応答メッセージを受信すると、ステップＳ１５５１において、アクト側の送受信機にバイキャストが実行されていることを通知し、その後、ステップＳ１５５２において、スタンバイ側の送受信機でバイキャスト受信中の状態に遷移する。
【０１４０】
ここで、ステップＳ１５５３において、新アクセスポイントからのビーコン信号の通信レベルを監視する。
【０１４１】
一方、アクト側の送受信機は、ステップＳ１５５１においてスタンバイ側から送信された通知をステップＳ１５０１で受信すると、ステップＳ１５０２において、アクト側の送受信機でバイキャスト受信中の状態に遷移する。ここで、ステップＳ１５０３においてアクセスポイントからのビーコン信号の通信レベルを監視する。
【０１４２】
アクト側の送受信機の通信レベルが、通信が不可能になる閾値より低下したことが判断されると、ステップＳ１５０４において、ハンドオーバー後処理要求メッセージがスタンバイ側の送受信機に送信される。スタンバイ側の送受信機は、ステップＳ１５５４において、ハンドオーバーの後処理要求メッセージを受信すると、ステップＳ１５５５において、ハンドオーバー後処理応答メッセージをアクト側の送受信機に送信する。
【０１４３】
アクト側の送受信機は、ステップＳ１５０５においてハンドオーバー後処理応答メッセージを受信すると、アクト側の送受信機は機能を停止し、ステップＳ１５０６において、アクト側停止完了メッセージをスタンバイ側の送受信機に送信して、ステップＳ１５０７において、スタンバイ側の送受信は待機状態に遷移する。
【０１４４】
一方、スタンバイ側の送受信機は、ステップＳ１５５６において、アクト側停止完了メッセージを受信すると、ステップＳ１５５７において、インテリジェントスイッチにハンドオーバーのバイキャスト停止要求メッセージを送信する。これに対応してステップＳ１５５８において、インテリジェントスイッチからバイキャスト停止応答メッセージを受信すると、ステップＳ１５５９において、スタンバイ側の送受信機は、アクト側の送受信機として通信し、ハンドオーバーが完了する。
【０１４５】
一方、ステップＳ１５０２において、アクト側の送受信機の通信レベルが維持されるとともに、ステップＳ１５５２においてスタンバイ側の通信レベルが、通信が不可能になる閾値より低下したことが判断されると、スタンバイ側の送受信機は、ステップＳ１５６０において、ハンドオーバー中止要求メッセージをアクト側の送受信機に送信する。その後、ステップＳ１５６１において、スタンバイ側の送受信機は、停止状態に遷移する。アクト側の送受信機は、ステップＳ１５０８においてハンドオーバー中止要求メッセージを受信すると、ステップＳ１５０９において、インテリジェントスイッチにハンドオーバーのバイキャスト停止要求メッセージを送信する。これに対応してステップＳ１５１０において、インテリジェントスイッチからバイキャスト停止応答メッセージを受信すると、ステップＳ１５１１におけるアクト側で通信を行い、ステップＳ１３０１におけるアクト側で通信中、ステップＳ１３０３におけるアクト側でＶｏＩＰ通信中、ステップＳ１３１２におけるＡＣＴ側でデータ通信中及びステップＳ１３１９におけるアクト側でＶｏＩＰとデータとの同時通信中のいずれかの状態に遷移する。
【０１４６】
この様に、本発明の第１の実施の形態に係るモバイルＩＰ端末ＳＴＡ１は、アクト側の送受信機の通信レベルが低下すると、スタンバイ側の送受信機を起動させる。旧インテリジェントスイッチは、アクト側の送受信機にモバイルＩＰ端末ＳＴＡ１宛のパケットを送信し、新インテリジェントスイッチとのトンネルを介してスタンバイ側の送受信機にパケットを送信するＬ３バイキャスト送信を行うことにより、ページングドメインが異なり、気付アドレスが変更になった場合でも、モバイルＩＰ端末ＳＴＡ１において、パケットロスが発生することなくハンドオーバーを完了することができる。
【０１４７】
（アクセスポイント）
本発明の第１の実施の形態に係るアクセスポイントＡＰ１ａは、インテリジェントスイッチＩＳＷ１から受信した着信要求を自己終端し、ビーコン信号に着信するモバイルＩＰ端末ＳＴＡ１を指定したページング着信要求メッセージを載せる機能を備える。
【０１４８】
具体的には、図１７に示すように本発明の第１の実施の形態に係るアクセスポイントＡＰ１ａは、中央制御部２００、ＰＨＹ（PHYsical sublayer）２０５、無線制御部２０６、送受信機２０７及びアンテナ２０８を備えている。中央制御部２００は、ＭＡＣ制御部２０１、中央処理制御装置（ＣＰＵ）２０２、ＲＯＭ２０３、ＲＡＭ２０４を備えている。
【０１４９】
ＲＯＭ２０３には、アクセスポイントＡＰ１ａの起動時に実行されるブートプログラムが、ＲＡＭ２０４にはアクセスポイントＡＰ１ａで実行されるプログラムや、後述するアクセスルータの情報と、インテリジェントスイッチの情報が含まれるデータテーブル２５０及び処理中に発生する一時記憶データなどが記憶されている。ここで、アクセスルータの情報は、アクセスルータのネットワークプリフィクス、アクセスルータのＩＰアドレス及びＭＡＣアドレスなどで、インテリジェントスイッチの情報は、インテリジェントスイッチのＩＰアドレス及びＭＡＣアドレスなどである。
【０１５０】
アクセスポイントＡＰ１ａが起動されると、ＲＯＭ２０３に記憶されたブートプログラムが中央処理制御装置２０２によって実行される。又、中央制御部２００は、無線制御部２０６を制御して、アンテナ２０８及び送受信機２０７を介して、モバイルＩＰ端末ＳＴＡ１とデータを送受信する。無線制御部２０６は、インテリジェントスイッチＩＳＷ１が提供するページングドメイン５ａのページング識別子を含むビーコン信号をセルに送信し、モバイルＩＰ端末ＳＴＡ１からアソシエーション要求メッセージが送信されると、モバイルＩＰ端末ＳＴＡ１にアクセスルータＡＲ１の情報を送信する処理を制御する。更に、中央処理制御装置２０２は、モバイルＩＰ端末からアソシエーション要求メッセージを受信すると、アクセスポイントに接続した送受信機のＭＡＣアドレスをアソシエーション要求メッセージから読み出すとともに、モバイルＩＰ端末のＭＡＣアドレスと送受信機のＭＡＣアドレスについてアソシエーションが確立されたことをアソシエーションテーブルに記憶する。具体的には、中央処理制御装置２０２は、インテリジェントスイッチからモバイルＩＰ端末とで送受信されるパケットについて、モバイルＩＰ端末に具備された複数の送受信機のいずれかのＭＡＣアドレスにパケットが送信されるバイキャスト送信の場合、アソシエーションを読み出して、モバイルＩＰ端末に具備されたいずれかの送受信機と確立されたアソシエーションに基づいてモバイルＩＰ端末と通信し、モバイルＩＰ端末のＭＡＣアドレスにパケットが送信されるユニキャスト送信の場合、モバイルＩＰ端末と確立されたアソシエーションに基づいてモバイルＩＰ端末と通信する。一方、ＭＡＣ制御部２０１には、データリンク層の制御を実現するチップで、アクセスポイントＡＰ１ａがインテリジェントスイッチＩＳＷ１に接続するために利用されるＭＡＣアドレスに基づいて、ＰＨＹ２０５を介してインテリジェントスイッチＩＳＷ１と送受信される。ＰＨＹ２０５は、アクセスポイントが起動されたときに、ルータ要請メッセージを送信することによりアクセスルータのネットワークプレフィックスを受信し、近隣要請メッセージを送信することによりインテリジェントスイッチのＭＡＣアドレスを受信する処理を制御する。
【０１５１】
図１８に示すように、アクセスポイントＡＰ１ａのデータテーブル２５０は、アクセスポイントＡＰ１ａ自身に関するデータ、インテリジェントスイッチに関するデータ、モバイルＩＰ端末ＳＴＡ１に関するデータ、ＲＡＤＩＵＳサーバに関するデータ、アクセスルータに関するデータが含まれる。
【０１５２】
（１）アクセスポイントＡＰ１ａ自身に関するデータ
これに関するデータは全て、アクセスポイントＡＰ１ａに固有の情報でスタティックに記憶される。  
・アドレス情報：アクセスポイントＡＰ１ａのＩＰアドレス、サブネットマスク、デフォルトゲートウェイのデータである。  
・ＭＡＣアドレス：アクセスポイントＡＰ１ａ自身のＭＡＣアドレスである。  
・ＡＰ−ＩＤ：アクセスポイントＡＰ１ａ自身の無線部ＩＤ（ＢＳＳＩＤ及びＥＳＳＩＤ）である。  
・ページングＩＤ：アクセスポイントＡＰ１ａが接続されたインテリジェントスイッチが提供するページングドメインの識別子である。
【０１５３】
（２）インテリジェントスイッチに関するデータ
・ＩＰアドレス：アクセスポイントＡＰ１ａが接続されるインテリジェントスイッチのＩＰアドレスである。このデータは予めアクセスポイントＡＰ１ａに記憶される。  
・ＭＡＣアドレス：アクセスポイントＡＰ１ａが接続されるインテリジェントスイッチのＭＡＣアドレスである。この情報は、アクセスポイントＡＰ１ａが起動されたときに、インテリジェントスイッチのＩＰアドレスが指定された近隣要請メッセージを送信し、近隣通知メッセージを受信することにより取得される。
【０１５４】
（３）モバイルＩＰ端末に関するデータ
この情報は、アクセスポイントＡＰ１ａが送信するビーコン信号に基づいて、アソシエーションが確立されたモバイルＩＰ端末毎に以下のデータを備える。これらのデータは、モバイルＩＰ端末が接続されたときに取得され、アクセスポイントＡＰ１ａが接続可能な接続テーブルとして管理される。本発明の第１の実施の形態に係るアクセスポイントは、バイキャスト送信に備えてモバイルＩＰ端末に備えられた複数の送受信機とアソシエーションを保持し、ユニキャスト送信に備えてモバイルＩＰ端末とアソシエーションを保持する。  
・ＩＰアドレス：モバイルＩＰ端末のＩＰアドレスである。  
・ＲＦ−ＭＡＣアドレス：モバイルＩＰ端末に複数搭載されたいずれかの送受信機のＭＡＣアドレスである。アクセスポイントＡＰ１ａは、バイキャスト送信時に、モバイルＩＰ端末宛のパケットを受信すると、ＲＦ−ＭＡＣアドレス宛にそのパケットを送信する。  
・ＳＴＡ−ＭＡＣアドレス：モバイルＩＰ端末のＭＡＣアドレスである。
【０１５５】
（４）ＲＡＤＩＵＳサーバに関するデータ
・ＩＰアドレス：アクセスポイントＡＰ１ａが認証を依頼するＲＡＤＩＵＳサーバのＩＰアドレスである。このデータは予めアクセスポイントＡＰ１ａに記憶される。
【０１５６】
（５）アクセスルータに関するデータ
・ネットワークプレフィックス：アクセスポイントＡＰ１ａがインテリジェントスイッチを関して接続されたアクセスルータのネットワークプレフィックスである。この情報は、アクセスポイントＡＰ１ａが起動されたときに、ルータ要請メッセージを送信し、ルータ通知メッセージを受信することにより取得される。
【０１５７】
次に、図１９乃至図２１を参照して、本発明の第１の実施の形態に係るアクセスポイントＡＰ１ａの状態遷移を説明する。図示しないが、アクセスポイントＡＰ１ａが起動されたときに、上述したルータ要請メッセージ及び近隣要請メッセージを送信してアクセスルータとインテリジェントスイッチの情報が予め取得される。
【０１５８】
まず、ステップＳ２１０１においてアクセスポイントＡＰ１ａは、待機状態である。待機状態である間、断続的に、ステップＳ２１０２においてビーコン信号をモバイルＩＰ端末に向けて送信する。ステップＳ２１０３においてモバイルＩＰ端末から応答がない場合は、再びステップＳ２１０１に戻り待機状態となる。
【０１５９】
ステップＳ２１０３においてモバイルＩＰ端末から応答があった場合、ステップＳ２１０４においてアクセスポイントＡＰ１ａは、モバイルＩＰ端末からアソシエーション要求メッセージを受信すると、これに対応してステップＳ２１１１においてアソシエーション応答メッセージをモバイルＩＰ端末に送信する。このとき、アクセスポイントＡＰ１ａは、モバイルＩＰ端末から受信したアソシエーション要求メッセージにおいて、後述するアドレス（４）に記憶された送受信機のＭＡＣアドレスも取得し、モバイルＩＰ端末のＭＡＣアドレスと、モバイルＩＰ端末に搭載された送受信機のＭＡＣアドレスの両方をアソシエーションテーブルに書き込む。
【０１６０】
ステップＳ２１０６においてアクセスポイントＡＰ１ａは、モバイルＩＰ端末からＬ２認証要求メッセージを受信し、データテーブル２５０を読み出して、ＲＡＤＩＵＳサーバのＩＰアドレスを取得する。次にアクセスポイントＡＰ１ａは、ステップＳ２１０７においてＲＡＤＩＵＳサーバのＩＰアドレス宛にＬ２認証要求メッセージを送信して、ステップＳ２１０８においてＲＡＤＩＵＳサーバからＬ２認証応答メッセージを受信する。ステップＳ２１０９において認証されなかった場合、ステップＳ２１１０においてアクセスポイントＡＰ１ａは、認証されなかったことを示すＬ２認証応答メッセージをモバイルＩＰ端末に送信し、再びステップＳ２１０１に戻り待機状態となる。
【０１６１】
ステップＳ２１０９において認証された場合、ステップＳ２１１１においてアクセスポイントＡＰ１ａは、認証されたことを示すＬ２認証応答メッセージをモバイルＩＰ端末に送信する。
【０１６２】
ステップＳ２１１２においてモバイルＩＰ端末からプレフィックス要求メッセージを受信しない場合、ステップＳ２１１５においてアクセスポイントＡＰ１ａは、データテーブル２５０の接続テーブルに、このモバイルＩＰ端末の情報を登録し、ステップＳ２２０１においてモバイルＩＰ端末と通信可能な状態に遷移する。
【０１６３】
一方、ステップＳ２１１２においてモバイルＩＰ端末からプレフィックス要求メッセージを受信した場合、ステップＳ２１１３においてアクセスポイントＡＰ１ａは、データテーブル２５０を読み出してアクセスルータのネットワークプレフィックスを抽出し、ＩＰｖ６アドレスのネットワークプレフィックス通知メッセージをモバイルＩＰ端末に送信し、これに対応してステップＳ２１１４においてモバイルＩＰ端末からネットワークプレフィックス応答メッセージを受信する。その後、ステップＳ２１１５においてアクセスポイントＡＰ１ａは、データテーブル２５０の接続テーブルに、このモバイルＩＰ端末の情報を登録し、ステップＳ２２０１においてモバイルＩＰ端末と通信可能な状態に遷移する。
【０１６４】
ここで、ステップＳ２２０２においてアクセスポイントＡＰ１ａは、モバイルＩＰ端末からフレームを受信すると、ステップＳ２２０３において無通信タイマーを初期化し、ステップＳ２２０４においてインテリジェントスイッチに受信したフレームを送信し、再びステップＳ２２０１においてモバイルＩＰ端末と通信可能な状態に遷移する。又、ステップＳ２２０５においてアクセスポイントＡＰ１ａは、インテリジェントスイッチからモバイルＩＰ端末宛のフレームを受信すると、ステップＳ２２０６において無通信タイマーを初期化し、ステップＳ２２０７においてモバイルＩＰ端末に受信したフレームを送信し、再びステップＳ２２０１においてモバイルＩＰ端末と通信可能な状態に遷移する。
【０１６５】
一方、ステップＳ２２０８においてアクセスポイントＡＰ１ａは、インテリジェントスイッチから所定のモバイルＩＰ端末とのアソシエーションを切断する接続切断要求メッセージを受信すると、ステップＳ２２０９においてデータテーブル２５０の接続テーブルからそのモバイルＩＰ端末に関する情報を削除し、再びステップＳ２１０１に戻り待機状態となる。又、ステップＳ２２１０において無通信タイマーがタイムオーバするとアクセスポイントＡＰ１ａは、ステップＳ２２１１においてモバイルＩＰ端末に接続切断要求メッセージを送信する。更に、ステップＳ２２１２においてアクセスポイントＡＰ１ａは、データテーブル２５０の接続テーブルからそのモバイルＩＰ端末に関する情報を削除し、再びステップＳ２１０１に戻り待機状態となる。
【０１６６】
又、ステップＳ２１０１において待機状態であるときに、ステップＳ２３０２においてアクセスポイントＡＰ１ａは、モバイルＩＰ端末のＭＡＣアドレスが指定されたページング着信要求をインテリジェントスイッチから受信すると、ステップＳ２３０３においてページング着信状態に遷移する。次にステップＳ２３０４においてアクセスポイントＡＰ１ａは、ビーコン信号に着信要求メッセージを組み込むことにより、ページング着信要求を開始し、ステップＳ２３０５において、アクセスポイントＡＰ１ａが提供するセルに位置するモバイルＩＰ端末にページング着信要求メッセージを送信する。
【０１６７】
ステップＳ２３０６においてモバイルＩＰ端末から応答がなかった場合、ステップＳ２３０７においてアクセスポイントＡＰ１ａは、インテリジェントスイッチからページング着信要求終了メッセージを受信すると、ステップＳ２３０８においてページング着信要求を終了する。具体的には、アクセスポイントＡＰ１ａが送信しているビーコン信号から、ステップＳ２３０４で組み込んだ着信要求メッセージを取り外す。ページング着信要求を終了すると、再びステップＳ２１０１に戻り待機状態となる。
【０１６８】
一方、ステップＳ２３０６において、ページング着信要求メッセージに対して、モバイルＩＰ端末から応答がある場合、ステップＳ２３０９においてアクセスポイントＡＰ１ａは、モバイルＩＰ端末からアソシエーション要求メッセージを受信すると、これに対応してステップＳ２３１０においてアソシエーション応答メッセージがモバイルＩＰ端末に送信される。更に、ステップＳ２３１１においてアクセスポイントＡＰ１ａは、モバイルＩＰ端末からＬ２認証要求メッセージを受信し、データテーブル２５０を読み出して、ＲＡＤＩＵＳサーバのＩＰアドレスを取得する。次にアクセスポイントＡＰ１ａは、ステップＳ２３１２においてＲＡＤＩＵＳサーバのＩＰアドレス宛にＬ２認証要求メッセージを送信して、ステップＳ２３１３においてＲＡＤＩＵＳサーバからＬ２認証応答メッセージを受信する。ステップＳ２３１４において認証されなかった場合、ステップＳ２３１５においてアクセスポイントＡＰ１ａは、認証されなかったことを示すＬ２認証応答メッセージをモバイルＩＰ端末に送信し、ステップＳ２３０７においてアクセスポイントＡＰ１ａは、インテリジェントスイッチからページング着信要求終了メッセージを受信すると、ステップＳ２３０８においてページング着信要求を終了する。
【０１６９】
ステップＳ２３１４において認証された場合、ステップＳ２３１６においてアクセスポイントＡＰ１ａは、認証されたことを示すＬ２認証応答メッセージをモバイルＩＰ端末に送信する。
【０１７０】
ステップＳ２３１７においてアクセスポイントＡＰ１ａは、インテリジェントスイッチ宛のページング着信応答メッセージをモバイルＩＰ端末から受信すると、ステップＳ２３１８において、受信したページング着信応答メッセージをインテリジェントスイッチに転送する。
【０１７１】
更に、ステップＳ２３１９においてアクセスポイントＡＰ１ａは、インテリジェントスイッチからページング着信要求終了メッセージを受信すると、ステップＳ２３２０においてページング着信要求を終了する。その後アクセスポイントＡＰ１ａは、ステップＳ２２０１においてモバイルＩＰ端末と通信可能な状態に遷移する。
【０１７２】
ここでは、旧アクセスポイントＡＰ１ａについて記述したが、新アクセスポイントＡＰ３ａなど他のアクセスポイントについても同様である。
【０１７３】
（インテリジェントスイッチ）
本発明の第１の実施の形態に係るインテリジェントスイッチＩＳＷ１は、アクセスルータＡＲ１からの着信があると、モバイルＩＰ端末ＳＴＡ１からのページング要求メッセージに基づいて、インテリジェントスイッチに接続されたアクセスポイントＡＰ１ａ、ＡＰ１ｂ…ＡＰ１ｎに対してページング着信要求を送信する機能を備える。
【０１７４】
具体的には、図２２に示すように本発明の第１の実施の形態に係るインテリジェントスイッチＩＳＷ１は、中央制御部３０１、メモリ３０２、Ｌ２スイッチＬＳＩ３０３、４ポートＰＨＹ３０４ａ乃至３０４ｄ、ＲＳ−２３２Ｃインタフェース３０５、電源部３０６を備えている。メモリ３０２には、インテリジェントスイッチＩＳＷ１の起動時に実行されるブートプログラムや後述するアクセスルータのネットワークプレフィックス、アクセスポイントのＩＰアドレス及びＭＡＣアドレスが含まれるデータテーブル３５０及び処理中に発生する一時記憶データ、ポートとポート先に接続された情報機器のＭＡＣ学習テーブル、バイキャスト送信に関するバイキャストテーブル３６０などが記憶されている。
【０１７５】
インテリジェントスイッチＩＳＷ１が起動されると、メモリ３０２に記憶されたブートプログラムが中央制御部３０１によって実行される。又、中央制御部３０１は、Ｌ２スイッチＬＳＩ３０３を制御して、Ｌ２スイッチＬＳＩ３０３に接続されている４ポートＰＨＹ３０４ａ乃至３０４ｄを制御して、ネットワークと通信を行わせる。図１７に示した例ではインテリジェントスイッチＩＳＷ１は、４ポートＰＨＹを４つ備えているので、合計で１６ポートを備える。このポートがそれぞれアクセスルータＡＲ１、アクセスポイントＡＰ１ａ、ＡＰ１ｂ…ＡＰ１ｎに接続されることにより、インテリジェントスイッチＩＳＷ１は、これらの情報機器と通信可能になる。具体的にはインテリジェントスイッチＩＳＷ１は、これらの情報機器から受信したパケットの宛先ＭＡＣアドレスを読み出すとともに、メモリ３０２に記憶されたＭＡＣ学習テーブルを読み出して、読み出されたＭＡＣアドレスに対応するポートを抽出し、そのポートに向けてパケットを送信する。
【０１７６】
ＲＳ−２３２Ｃインタフェース３０５は、外部からの入出力のインタフェースであり、電源部３０６にはＡＣ１００Ｖ電源が接続され、インテリジェントスイッチＩＳＷに電源を供給する。
【０１７７】
インテリジェントスイッチがハンドオーバー前にモバイルＩＰ端末と通信している転送元インテリジェントスイッチ（旧インテリジェントスイッチ）として動作する場合、中央処理制御部３０１は、モバイルＩＰ端末の第２の送受信機と通信している転送先インテリジェントスイッチ（新インテリジェントスイッチ）から、モバイルＩＰ端末のＭＡＣアドレスと、第１の送受信機のＭＡＣアドレスと、第１のアクセスポイントの識別子と、転送先インテリジェントスイッチのＩＰアドレスとを含み、モバイルＩＰ端末宛のパケットを第１の送受信機に送信し更に転送先インテリジェントスイッチを介して第２の送受信機へ送信することを要求するＬ３バイキャスト要求メッセージを受信し、モバイルＩＰ端末のＭＡＣアドレスと、転送先インテリジェントスイッチのＩＰアドレスとを対応付けるＬ３バイキャストテーブルを作成してメモリ３０２に記憶し、ホームエージェントからモバイルＩＰ端末宛のパケットを受信すると、第１のアクセスポイントを介して第１の送受信機のＭＡＣアドレス宛に送信するとともに、転送先インテリジェントスイッチのＩＰアドレス宛に送信する。
【０１７８】
このとき、中央制御部３０１は、Ｌ３バイキャスト要求メッセージを受信すると、モバイルＩＰ端末のＭＡＣアドレス宛のパケットを、第１の送受信機に対応するＭＡＣアドレス宛のパケットにＭＡＣカプセル化して送信するとともに、転送先インテリジェントスイッチのＩＰアドレス宛のパケットにＩＰカプセル化して送信するのが好ましい。又、中央制御部は、バイキャスト要求メッセージを受信すると、モバイルＩＰ端末のＭＡＣアドレス宛のパケットにパケットを識別するシーケンス番号を含む新たなパケットを生成し、新たなパケットを、第１の送受信機に対応するＭＡＣアドレス宛のパケットにＭＡＣカプセル化して送信するとともに、転送先インテリジェントスイッチのＩＰアドレス宛のパケットにＩＰカプセル化して送信するのが好ましい。
【０１７９】
一方、インテリジェントスイッチがハンドオーバー後にモバイルＩＰ端末と通信している転送先インテリジェントスイッチ（新インテリジェントスイッチ）として動作する場合、中央制御部３０１は、モバイルＩＰ端末の第２の送受信機から、モバイルＩＰ端末のＭＡＣアドレスと、モバイルＩＰ端末の第１の送受信機のＭＡＣアドレスと、モバイルＩＰ端末の第１の送受信機と通信している第１のアクセスポイントの識別子と、第１のアクセスポイントと接続される転送元インテリジェントスイッチのＩＰアドレスと、転送元インテリジェントスイッチに対応する第１の気付アドレス（旧気付アドレス）と、第２の送受信機のＭＡＣアドレスと、第２の送受信機と通信している第２のアクセスポイントの識別子と、転送先インテリジェントスイッチに対応する第２の気付アドレス（新気付アドレス）とを少なくとも含み、モバイルＩＰ端末宛のパケットを転送元インテリジェントスイッチを介して第１の送受信機に送信し更に第２の送受信機へ送信することを要求するＬ３バイキャスト要求メッセージを受信し、モバイルＩＰ端末のＭＡＣアドレスと、転送元インテリジェントスイッチのＩＰアドレスと、第１の気付アドレスと、第２の気付アドレスとを対応付けるＬ３バイキャストテーブルを作成してメモリ３０２に記憶し、転送元のインテリジェントスイッチから受信したモバイルＩＰ端末宛のパケットを受信すると、パケットをモバイルＩＰ端末宛に送信する。
【０１８０】
中央制御部３０１は、第２の送受信機から位置登録更新メッセージが送信される時に送信された位置登録Ａｃｋ監視要求メッセージを受信すると、モバイルＩＰ端末のホームエージェントから位置登録Ａｃｋメッセージを受信するのを待機し、位置登録Ａｃｋメッセージを受信すると、第１の気付アドレス宛のパケットをモバイルＩＰ端末に転送するとともに、第２の気付アドレス宛のパケットをバッファリングし、位置登録Ａｃｋメッセージが受信されてから所定時間が経過すると、バッファリングされたパケットをモバイルＩＰ端末の第２の送受信機に送信するのが好ましい。ここで、所定時間は、位置登録更新メッセージがホームエージェントに受信される前にホームエージェントによって転送元インテリジェントスイッチを介して送信されたモバイルＩＰ端末宛のパケットが、モバイルＩＰ端末によって受信されるまで時間である。
【０１８１】
更に中央処理制御装置３０１は、モバイルＩＰ端末から送信元ＩＰアドレスが第１の気付アドレスのパケットを受信すると、送信元ＩＰアドレスが第１の気付アドレスのパケットを、転送元インテリジェントスイッチのＩＰアドレスにＩＰカプセル化して送信し、モバイルＩＰ端末から送信元ＩＰアドレスが第２の気付アドレスのパケットを受信すると、転送先インテリジェントスイッチに接続されたアクセスルータに、送信元ＩＰアドレスが第２の気付アドレスのパケットを送信する。
【０１８２】
図２０に示すように、インテリジェントスイッチＩＳＷ１のデータテーブル３５０は、インテリジェントスイッチ自身に関するデータ、アクセスポイントに関するデータ及びアクセスルータに関するデータが含まれる。
【０１８３】
（１）インテリジェントスイッチに関するデータ
これに関するデータは全て、インテリジェントスイッチＩＳＷ１に固有の情報でスタティックに記憶される。  
・アドレス情報：インテリジェントスイッチＩＳＷ１自身のＩＰアドレス、サブネットマスク、デフォルトゲートウェイのデータである。  
・ＭＡＣアドレス：インテリジェントスイッチＩＳＷ１自身のＭＡＣアドレスである。
【０１８４】
（２）アクセスポイントに関するデータ
このデータは、インテリジェントスイッチＩＳＷ１に接続されたアクセスポイント毎に以下の情報を備える。  
・ＩＰアドレス：アクセスポイントのＩＰアドレスである。この情報は、インテリジェントスイッチＩＳＷ１に固有の情報でスタティックに記憶される。  
・ＭＡＣアドレス：アクセスポイントのＭＡＣアドレスである。この情報は、アクセスポイントが起動したときに、図２に示したルータ要請メッセージを受信することにより取得される。  
・送出ポート：アクセスポイントが接続されたポート番号である。この情報は、アクセスポイントが起動したときに、ルータ要請メッセージを受信したポート番号により取得される。
【０１８５】
（３）アクセスルータに関するデータ
・ネットワークプレフィックス：インテリジェントスイッチＩＳＷ１に接続されたアクセスルータのネットワークプレフィックスである。この情報は、インテリジェントスイッチＩＳＷ１が起動されたときに、ルータ要請メッセージを送信し、ルータ通知メッセージを受信することにより取得される。
【０１８６】
ここで、図２４を参照して、本発明の第１の実施の形態に係るインテリジェントスイッチが、転送元インテリジェントスイッチとして動作する場合、メモリ３０２に記憶されるＬ３バイキャストテーブル３６０ａを説明する。
【０１８７】
Ｌ３バイキャストテーブル３６０ａは、モバイルＩＰ端末のＭＡＣアドレスをキーとして、Ｌ３バイキャスト送信するＬ３トンネル情報、Ｌ２トンネル情報を備えている。
【０１８８】
Ｌ２トンネル情報は、モバイルＩＰ端末の第１の送受信機と接続されている旧アクセスポイントのＭＡＣアドレスと、第１の送受信機のＭＡＣアドレスとが関連づけられて記憶されている。Ｌ３トンネル情報は、転送先インテリジェントスイッチのＩＰアドレスが記憶されている。
【０１８９】
インテリジェントスイッチは、モバイルＩＰ端末宛のパケットを受信すると、メモリ３０２からＬ３バイキャストテーブル３６０ａに記憶されたモバイルＩＰ端末に関する情報を読み出して、モバイルＩＰ端末宛に送信されたパケットをモバイルＩＰ端末に送信し、モバイルＩＰ端末宛に送信されたパケットをＩＰカプセル化して新インテリジェントスイッチに送信することにより、バイキャストで送信する。
【０１９０】
次に、図２５を参照して、本発明の第１の実施の形態に係るインテリジェントスイッチが、転送先インテリジェントスイッチとして動作する場合、メモリ３０２に記憶されるＬ３バイキャストテーブル３６０ｂを説明する。
【０１９１】
Ｌ３バイキャストテーブル３６０ｂは、モバイルＩＰ端末のＭＡＣアドレスをキーとして、Ｌ３バイキャスト送信するＬ３トンネル情報、Ｌ２ンネル情報と、気付アドレス情報を備えている。
【０１９２】
Ｌ２トンネル情報は、モバイルＩＰ端末の第２の送受信機と接続されている新アクセスポイントのＭＡＣアドレスと、第２の送受信機のＭＡＣアドレスとが関連づけられて記憶されている。Ｌ３トンネル情報は、転送元インテリジェントスイッチのＩＰアドレスが記憶されている。気付アドレス情報は、転送元インテリジェントスイッチに対応する旧気付アドレスと、転送先インテリジェントスイッチに対応する新気付アドレスとが対応付けられて記憶されている。
【０１９３】
インテリジェントスイッチは、モバイルＩＰ端末宛のパケットを受信すると、メモリ３０２からＬ３バイキャストテーブル３６０ｂに記憶されたモバイルＩＰ端末に関する情報を読み出して、旧気付アドレス宛のパケットはそのままモバイルＩＰ端末に送信し、新気付アドレス宛のパケットは、所定時間の間バッファリングし、その後、モバイルＩＰ端末に送信する。
【０１９４】
次に、図２６乃至図３２を参照して、本発明の第１の実施の形態に係るインテリジェントスイッチの状態遷移を説明する。図示しないが、インテリジェントスイッチが起動されたときに、上述したルータ要請メッセージを送信してアクセスルータの情報が予め取得される。
【０１９５】
まず、ステップＳ３１０１においてインテリジェントスイッチＩＳＷ１は、起動された後、初期状態で待機する。ステップＳ３１０２においてモバイルＩＰ端末にページング要求メッセージを送信すると、ステップＳ３１０３においてインテリジェントスイッチは、ページング応答メッセージをモバイルＩＰ端末から受信する。更にステップＳ３１０４においてインテリジェントスイッチＩＳＷ１は、アクセスポイントにデータテーブル２５０の接続テーブルからそのモバイルＩＰ端末に関する情報を削除させる接続切断要求メッセージを送信し、ステップＳ３３０１のページング状態に遷移する。ページング状態になると、インテリジェントスイッチＩＳＷ１は、モバイルＩＰ端末との発着信を受けることができ、無通信時間を計測するタイマーを起動する。
【０１９６】
ステップＳ３１２０においてモバイルＩＰ端末のスタンバイ側の送受信機からＬ３バイキャスト要求メッセージを受信すると、ステップＳ３１２１において、インテリジェントスイッチＩＳＷ１は、新インテリジェントスイッチとして、Ｌ３バイキャストテーブル３６０ｂを作成する。更に、ステップＳ３１２２においてインテリジェントスイッチＩＳＷ１は、モバイルＩＰ端末から受信したＬ３バイキャスト要求メッセージを旧インテリジェントスイッチに送信し、これに応答して、ステップＳ３１２３において旧インテリジェントスイッチからＬ３バイキャスト応答メッセージを受信し、ステップＳ３１２４においてモバイルＩＰ端末のスタンバイ側の送受信機にＬ３バイキャスト応答メッセージを送信し、ステップＳ３４００において、新インテリジェントスイッチとしてＬ３バイキャスト状態に遷移する。
【０１９７】
ステップＳ３３０１でページング状態であるとき、ステップＳ３３０２においてインテリジェントスイッチＩＳＷ１は、モバイルＩＰ端末からフレームを受信すると、フレームを受信したポート番号とモバイルＩＰ端末のＭＡＣアドレスに基づいて、ステップＳ３３０３においてＭＡＣ学習テーブルに登録し、ステップＳ３３０４において、ステップＳ３３０２において受信したフレームを宛先に転送し、ステップＳ３１０５のユニキャスト通信状態に遷移する。ここでユニキャスト状態とは、インテリジェントスイッチＩＳＷ１からモバイルＩＰ端末ＳＴＡ１のＭＡＣアドレスを指定して、ユニキャストで通信される状態である。
【０１９８】
一方ステップＳ３３０１でページング状態であるとき、ステップＳ３３０５においてインテリジェントスイッチＩＳＷ１は、モバイルＩＰ端末宛のフレームを受信すると、受信したフレームをメモリ３０２に蓄積する。ステップＳ３３０６において、インテリジェントスイッチＩＳＷ１に接続されている全てのアクセスポイントにページング着信要求メッセージを送信する。ステップＳ３３０７においてモバイルＩＰ端末からページング着信応答メッセージが送信されると、ステップＳ３３０８においてページング着信応答メッセージを受信したポート番号とモバイルＩＰ端末のＭＡＣアドレスに基づいてＭＡＣ学習テーブルに登録する。ページング着信応答がない場合は、再度全てのアクセスポイントにページング着信要求メッセージを送信する。次にステップＳ３３０９においてインテリジェントスイッチＩＳＷ１は、インテリジェントスイッチＩＳＷ１に接続された全てのアクセスポイントにページング着信終了要求メッセージを送信し、ステップＳ３３０５で蓄積したフレームを、ステップＳ３３１０においてモバイルＩＰ端末にユニキャストで送信する。その後インテリジェントスイッチＩＳＷ１は、ステップＳ３１０５のユニキャスト状態に遷移する。又、ステップＳ３３１１で無通信タイマーがタイムオーバーすると、ステップＳ３１０１の初期状態に遷移する。
【０１９９】
ステップＳ３１０５においてユニキャスト状態で通信されているとき、インテリジェントスイッチＩＳＷ１は無通信タイマーを起動する。
【０２００】
ステップＳ３１０６においてインテリジェントスイッチＩＳＷ１は、モバイルＩＰ端末からフレームを受信すると、ステップＳ３１０７において無通信タイマーを初期化しステップＳ３１０８においてモバイルＩＰ端末にフレームを転送し、再びステップＳ３１０５のユニキャスト状態に遷移する。
【０２０１】
ステップＳ３１０９においてインテリジェントスイッチＩＳＷ１は、モバイルＩＰ端末宛のフレームを受信すると、ステップＳ３１１０においてメモリ３０２を読み出しＭＡＣ学習テーブルを参照してモバイルＩＰ端末に送信可能なポート番号を抽出する。ステップＳ３１１１においてインテリジェントスイッチＩＳＷ１は、抽出されたポートを介してモバイルＩＰ端末にフレームを転送する。
【０２０２】
ステップＳ３１１２においてモバイルＩＰ端末にページング要求メッセージを送信すると、ステップＳ３１１３においてインテリジェントスイッチは、ページング応答メッセージをモバイルＩＰ端末から受信する。更にステップＳ３１１４においてインテリジェントスイッチＩＳＷ１は、アクセスポイントにデータテーブル２５０の接続テーブルからそのモバイルＩＰ端末に関する情報を削除させる接続切断要求メッセージを送信し、ステップＳ３３０１のページング状態に遷移する。一方、ステップＳ３１１５において無通信タイマーがタイムオーバすると、ステップＳ３１１６においてインテリジェントスイッチＩＳＷ１は、アクセスポイントにデータテーブル２５０の接続テーブルからそのモバイルＩＰ端末に関する情報を削除させる接続切断要求メッセージを送信し、ステップＳ３１０１の初期状態に遷移する。
【０２０３】
ステップＳ３１１７においてモバイルＩＰ端末のスタンバイ側の送受信機からＬ２バイキャスト要求メッセージを受信すると、ステップＳ３１１８において、バイキャストテーブルを作成し、ステップＳ３１１９において、モバイルＩＰ端末のスタンバイ側の送受信機にバイキャスト応答メッセージを送信し、ステップＳ３２０１のＬ２バイキャスト状態に遷移する。
【０２０４】
ステップＳ３１２５において新インテリジェントスイッチからＬ３バイキャスト要求メッセージを受信すると、ステップＳ３１２６においてインテリジェントスイッチＩＳＷ１は、旧インテリジェントスイッチとして動作し、Ｌ３バイキャストテーブル３６０ａを作成し、ステップＳ３１２７において新インテリジェントスイッチにＬ３バイキャスト応答メッセージを送信し、ステップＳ３７００において旧インテリジェントスイッチとして動作するＬ３バイキャスト状態に遷移する。
【０２０５】
次にＬ３バイキャスト状態で、インテリジェントスイッチＩＳＷ１が旧インテリジェントスイッチとして動作する場合を説明する。ここでは、モバイルＩＰ端末ＳＴＡ１の第１の送受信機ＲＦ１がアクト側として旧アクセスポイント及び旧インテリジェントスイッチに接続され、第２の送受信機ＲＦ２がスタンバイ側として新アクセスポイント及び新インテリジェントスイッチに接続される場合について説明する。
【０２０６】
ステップＳ３７００においてＬ３バイキャスト状態で通信されているとき、インテリジェントスイッチＩＳＷ１は無通信タイマーを起動する。
【０２０７】
ステップＳ３７０１においてインテリジェントスイッチＩＳＷ１は、モバイルＩＰ端末からフレームを受信すると、ステップＳ３７０２において無通信タイマーを初期化しステップＳ３７０３においてモバイルＩＰ端末にフレームを転送し、再びステップＳ３７００のＬ３バイキャスト状態に遷移する。
【０２０８】
ステップＳ３７０４においてインテリジェントスイッチＩＳＷ１は、モバイルＩＰ端末宛のフレームを受信すると、ステップＳ３７０５においてメモリ３０２を読み出しＬ３バイキャストテーブルを参照してモバイルＩＰ端末に送信するトンネル情報を抽出する。ステップＳ３７０６においてインテリジェントスイッチＩＳＷ１は、新インテリジェントスイッチにＬ３トンネルを経由してフレームを転送する。更にステップＳ３７０７においてインテリジェントスイッチＩＳＷ１は、モバイルＩＰ端末にＬ２トンネルを経由してフレームを転送し、再びステップＳ３７００のＬ３バイキャスト状態に遷移する。
【０２０９】
ステップＳ３７０８においてモバイルＩＰ端末からハンドオーバーを中止し、Ｌ３バイキャスト停止要求メッセージを受信すると、ステップＳ３７０９において、新インテリジェントスイッチにＬ３バイキャスト停止要求メッセージを送信し、これに応答して新インテリジェントスイッチからステップＳ３７１０においてＬ３バイキャスト停止応答メッセージを受信し、更にステップＳ３７１１においてＬ３バイキャスト停止応答メッセージをモバイルＩＰ端末ＳＴＡ１に送信する。更にインテリジェントスイッチＩＳＷ１は、ステップＳ３７１２において、Ｌ３バイキャストテーブルからこのモバイルＩＰ端末に関する情報を削除する。
【０２１０】
ステップＳ３７１３において新インテリジェントスイッチからハンドオーバーが成功しＬ３バイキャスト停止要求メッセージを受信すると、ステップＳ３７１４において新インテリジェントスイッチにＬ３バイキャスト停止応答メッセージを送信し、ステップＳ３７１５において、Ｌ３バイキャストテーブルからこのモバイルＩＰ端末に関する情報を削除し、ステップＳ３７１６において旧アクセスポイントに接続切断要求メッセージを送信する。この処理は、図５のステップＳ２２４、ステップＳ２２５及びステップＳ２２７に相当する。
【０２１１】
ステップＳ３７１７において無通信タイマーがタイムオーバーした場合、ステップＳ３７１５において、Ｌ３バイキャストテーブルからこのモバイルＩＰ端末に関する情報を削除し、ステップＳ３７１６において旧アクセスポイントに接続切断要求メッセージを送信する。
【０２１２】
次にＬ３バイキャスト状態で、インテリジェントスイッチＩＳＷ１が新インテリジェントスイッチとして動作する場合を説明する。ここでは、モバイルＩＰ端末ＳＴＡ１の第１の送受信機ＲＦ１がアクト側として旧アクセスポイント及び旧インテリジェントスイッチに接続され、第２の送受信機ＲＦ２がスタンバイ側として新アクセスポイント及び新インテリジェントスイッチに接続される場合について説明する。
【０２１３】
ステップＳ３４００において、インテリジェントスイッチＩＳＷ１が新インテリジェントスイッチとしてＬ３バイキャスト状態であるとき、インテリジェントスイッチＩＳＷ１は無通信タイマーを起動する。
【０２１４】
ステップＳ３４０１においてインテリジェントスイッチＩＳＷ１は、モバイルＩＰ端末のスタンバイ側の送受信機からフレームを受信すると、ステップＳ３４０２において無通信タイマーを初期化し、ステップＳ３４０３において、発信元ＩＰアドレスが新気付アドレスであるか旧気付アドレスであるかを判定する。旧気付アドレスの場合、ステップＳ３４０４において、Ｌ３トンネルを経由して旧インテリジェントスイッチにフレームを転送する。新気付アドレスの場合、ステップＳ３４０５においてモバイルＩＰ端末にフレームを転送し、再びステップＳ３４００のＬ３バイキャスト状態に遷移する。
【０２１５】
ステップＳ３４０６においてインテリジェントスイッチＩＳＷ１は、モバイルＩＰ端末宛のフレームを受信すると、ステップＳ３４０７において、Ｌ３トンネル経由で受信したか否かを判定する。Ｌ３トンネル経由で受信した場合、ステップＳ３４０８において、Ｌ３バイキャストテーブルを参照し、ステップＳ３４０９において、Ｌ２トンネルを経由してモバイルＩＰ端末のスタンバイ側の送受信機にフレームを転送する。Ｌ３トンネル経由で受信していない場合は、ステップＳ３４１０において受信したフレームをモバイルＩＰ端末宛に送信し、ステップＳ３４００のＬ３バイキャスト状態に遷移する。
【０２１６】
ステップＳ３４１１において、旧インテリジェントスイッチからＬ３バイキャスト停止要求メッセージが送信されると、ステップＳ３４１２において旧インテリジェントスイッチ宛にＬ３バイキャスト停止応答メッセージを送信する。更にインテリジェントスイッチＩＳＷ１は、ステップＳ３４１３において、Ｌ３バイキャストテーブルからこのモバイルＩＰ端末に関するデータを削除し、ステップＳ３４１４において、新ＡＰ宛に接続切断要求メッセージを送信し、ステップＳ３１０１の初期状態に遷移する。
【０２１７】
ステップＳ３４１５において無通信タイマーがタイムオーバーすると、インテリジェントスイッチＩＳＷ１は、ステップＳ３４１３において、Ｌ３バイキャストテーブルからこのモバイルＩＰ端末に関するデータを削除し、ステップＳ３４１４において、新ＡＰ宛に接続切断要求メッセージを送信し、ステップＳ３１０１の初期状態に遷移する。
【０２１８】
ステップＳ３４１６においてモバイルＩＰ端末のスタンバイ側の送受信機から位置登録Ａｃｋ監視要求メッセージを受信すると、ステップＳ３５００において、位置登録Ａｃｋ監視状態に遷移する。この処理は、図５のステップＳ２１９に相当する。
【０２１９】
ステップＳ３５０１においてインテリジェントスイッチＩＳＷ１は、モバイルＩＰ端末のスタンバイ側の送受信機からフレームを受信すると、ステップＳ３５０２において無通信タイマーを初期化し、ステップＳ３５０３において、発信元ＩＰアドレスが新気付アドレスであるか新気付アドレスであるかを判定する。旧気付アドレスの場合、Ｌ３トンネルを経由して旧インテリジェントスイッチにフレームを転送する。新気付アドレスの場合、ステップＳ３４０５においてモバイルＩＰ端末にフレームを転送し、再びステップＳ３５００の位置登録Ａｃｋ監視状態に遷移する。
【０２２０】
ステップＳ３５０６においてインテリジェントスイッチＩＳＷ１は、モバイルＩＰ端末宛のフレームを受信すると、ステップＳ３５０７において、Ｌ３トンネル経由で受信したか否かを判定する。Ｌ３トンネル経由で受信した場合、ステップＳ３５０８において、Ｌ３バイキャストテーブルを参照し、ステップＳ３５０９において、Ｌ２トンネルを経由してモバイルＩＰ端末のスタンバイ側の送受信機にフレームを転送する。Ｌ３トンネル経由で受信していない場合は、ステップＳ３５１０において、位置登録Ａｃｋメッセージであるか否かを判定し、位置登録Ａｃｋメッセージでない場合、ステップＳ３５１１において受信したフレームをモバイルＩＰ端末宛に送信し、ステップＳ３５００の位置登録Ａｃｋ監視状態に遷移する。この処理は、図５のステップＳ２２０及びステップＳ２２１に相当する。
【０２２１】
一方、ステップＳ３５１０において位置登録Ａｃｋメッセージであると判定された場合、ステップＳ３５１２において、位置登録ＡｃｋメッセージをモバイルＩＰ端末のスタンバイ側の送受信機に送信し、ステップＳ３６０１の吐き出し状態に遷移する。
【０２２２】
ステップＳ３５１３において、旧インテリジェントスイッチからハンドオーバーを中止するＬ３バイキャスト停止要求メッセージが送信されると、ステップＳ３５１４において旧インテリジェントスイッチ宛にＬ３バイキャスト停止応答メッセージを送信する。更にインテリジェントスイッチＩＳＷ１は、ステップＳ３５１５において、Ｌ３バイキャストテーブルからこのモバイルＩＰ端末に関するデータを削除し、ステップＳ３５１６において、新ＡＰ宛に接続切断要求メッセージを送信し、ステップＳ３１０１の初期状態に遷移する。
【０２２３】
ステップＳ３５１７において無通信タイマーがタイムオーバーすると、インテリジェントスイッチＩＳＷ１は、ステップＳ３５１５において、Ｌ３バイキャストテーブルからこのモバイルＩＰ端末に関するデータを削除し、ステップＳ３５１６において、新ＡＰ宛に接続切断要求メッセージを送信し、ステップＳ３１０１の初期状態に遷移する。
【０２２４】
次に、ステップＳ３６０１における吐き出し状態でのインテリジェントスイッチＩＳＷ１の動作を説明する。ここでは、所定時間を計測するタイマーが起動される。
【０２２５】
ステップＳ３６０２において、モバイルＩＰ端末のスタンバイ側の送受信機からフレームを受信すると、ステップＳ３６０３において、このフレームがＬ３バイキャスト停止要求メッセージであるか判定する。Ｌ３バイキャスト停止要求メッセージである場合、ステップＳ３６０１に戻り吐き出し状態に遷移し、再びタイマーを軌道する。ステップＳ３６０３においてＬ３バイキャスト停止要求メッセージでないと判定された場合、ステップＳ３６０４において、発信元ＩＰアドレスが新気付アドレスであるか旧気付アドレスであるかを判定する。旧気付アドレスの場合、ステップＳ３６０５において、Ｌ３トンネルを経由して旧インテリジェントスイッチにフレームを転送する。新気付アドレスの場合、ステップＳ３６０６においてモバイルＩＰ端末にフレームを転送し、再びステップＳ３６０１の吐き出し状態に遷移する。
【０２２６】
ステップＳ３６０７においてインテリジェントスイッチＩＳＷ１は、モバイルＩＰ端末宛のフレームを受信すると、ステップＳ３６０８において、Ｌ３トンネル経由で受信したか否かを判定する。Ｌ３トンネル経由で受信した場合、ステップＳ３６０９において、Ｌ３バイキャストテーブルを参照し、ステップＳ３６１０において、Ｌ２トンネルを経由してモバイルＩＰ端末のスタンバイ側の送受信機にフレームを転送する。Ｌ３トンネル経由で受信していない場合は、ステップＳ３６１１において受信したフレームを所定のメモリ領域にバッファリングし、ステップＳ３６０１の吐き出し状態に遷移する。
【０２２７】
ステップＳ３６１２においてタイムオーバーすると、ステップＳ３６１３において、バッファリングされたフレームをモバイルＩＰ端末のスタンバイ側の送受信機に転送する。更にインテリジェントスイッチＩＳＷ１は、ステップＳ３６１４において、旧インテリジェントスイッチにＬ３バイキャスト停止要求メッセージを送信し、これに応答して旧インテリジェントスイッチからＬ３バイキャスト停止要求メッセージを受信する。更にインテリジェントスイッチＩＳＷ１は、ステップＳ３６１６においてモバイルＩＰ端末のスタンバイ側の送受信機にＬ３バイキャスト停止応答メッセージを送信し、ステップＳ３６１７において、Ｌ３バイキャストテーブル３６０ｂからこのモバイルＩＰ端末に関する情報を削除する。この処理は図５のステップＳ２２３乃至ステップＳ２２６に相当する。
【０２２８】
次にＬ２バイキャスト状態でのインテリジェントスイッチＩＳＷ１の動作を説明する。ここでは、モバイルＩＰ端末ＳＴＡ１の第１の送受信機ＲＦ１が、アクト側として旧アクセスポイントに接続され、第２の送受信機ＲＦ２が、スタンバイ側として新アクセスポイントに接続される場合について説明する。
【０２２９】
ステップＳ３２０１においてＬ２バイキャスト状態で通信されているとき、インテリジェントスイッチＩＳＷ１は無通信タイマーを起動する。
【０２３０】
ステップＳ３２０２においてインテリジェントスイッチＩＳＷ１は、モバイルＩＰ端末からフレームを受信すると、ステップＳ３２０３において無通信タイマーを初期化しステップＳ３２０４においてモバイルＩＰ端末にフレームを転送し、再びステップＳ３２０１のバイキャスト状態に遷移する。
【０２３１】
ステップＳ３２０５においてインテリジェントスイッチＩＳＷ１は、モバイルＩＰ端末宛のフレームを受信すると、ステップＳ３２０６においてメモリ３０２を読み出しバイキャストテーブルを参照して、モバイルＩＰ端末宛にＩＰカプセル化してモバイルＩＰ端末の第１の送受信機ＲＦ１宛とモバイルＩＰ端末の第２の送受信機ＲＦ２宛の二つのパケットを生成するとともに、モバイルＩＰ端末に送信可能なポート番号を抽出する。ステップＳ３２０７においてインテリジェントスイッチＩＳＷ１は、抽出されたポートを介してモバイルＩＰ端末にそれぞれフレームを転送する。
【０２３２】
ステップＳ３２０８において、モバイルＩＰ端末ＳＴＡ１のスタンバイ側、ここでは第２の送受信機ＲＦ２から、ハンドオーバーに成功し、バイキャスト停止要求メッセージを受信すると、インテリジェントスイッチＩＳＷ１は、ステップＳ３２０９において、バイキャストテーブル３６０から、このモバイルＩＰ端末ＳＴＡ１に関する情報を削除し、ステップＳ３２０９において、モバイルＩＰ端末ＳＴＡ１にバイキャスト停止応答メッセージを送信する。更に、ステップＳ３２１１においてインテリジェントスイッチＩＳＷ１は、旧アクセスポイントに接続切断要求メッセージを送信する。
【０２３３】
ステップＳ３２１２において、モバイルＩＰ端末ＳＴＡ１のアクト側、ここでは第１の送受信機ＲＦ１から、ハンドオーバーを中止し、バイキャスト停止要求メッセージを受信すると、インテリジェントスイッチＩＳＷ１は、ステップＳ３２１３において、バイキャストテーブル３６０から、このモバイルＩＰ端末ＳＴＡ１に関する情報を削除し、ステップＳ３２１４において、モバイルＩＰ端末ＳＴＡ１にバイキャスト停止応答メッセージを送信する。更に、ステップＳ３２１５においてインテリジェントスイッチＩＳＷ１は、新アクセスポイントに接続切断要求メッセージを送信する。
【０２３４】
一方、ステップＳ３２１６において無通信タイマーがタイムオーバすると、ステップＳ３２１７及びステップＳ３２１８においてインテリジェントスイッチＩＳＷ１は、新アクセスポイント及び旧アクセスポイントにデータテーブル２５０の接続テーブルからそのモバイルＩＰ端末に関する情報を削除させる接続切断要求メッセージを送信する。ステップＳ３１０１の初期状態に遷移する。
【０２３５】
ここでは、インテリジェントスイッチＩＳＷ１について記述したが、インテリジェントスイッチＩＳＷ２など他のインテリジェントスイッチについても同様である。
【０２３６】
（Ｌ３バイキャスト送信のパケット）
次に、図３３乃至図３５を参照してＬ３バイキャスト送信のパケットを説明する。旧インテリジェントスイッチはモバイルＩＰ端末の第１の送受信機ＲＦ１と通信し、新インテリジェントスイッチはモバイルＩＰ端末の第２の送受信機ＲＦ２と通信している。
【０２３７】
図３３は、旧インテリジェントスイッチ宛にモバイルＩＰ端末ＳＴＡ１宛のパケットが届いた場合の図である。
【０２３８】
パケットＰＫＴ１１は、旧インテリジェントスイッチが受信するモバイルＩＰ端末ＳＴＡ１宛のパケットである。パケットＰＫＴ１１は、送信元ＭＡＣアドレスとしてパケットを送信した情報機器のＭＡＣアドレスが指定され、宛先ＭＡＣアドレスとしてモバイルＩＰ端末ＳＴＡ１のＭＡＣアドレスが指定されている。インテリジェントスイッチは、Ｌ３バイキャストテーブル３６０ａを読み出して、モバイルＩＰ端末ＳＴＡ１がＬ３バイキャスト送信の対象となっているか否かを判定し、Ｌ３バイキャスト送信の対象となっている場合、パケットＰＫＴ１１を複製する。複製された一つのパケットは、送信元アドレスとして旧インテリジェントスイッチのＭＡＣアドレスを指定し、宛先アドレスとしてモバイルＩＰ端末ＳＴＡ１の第１の送受信機ＲＦ１のＭＡＣアドレスを指定してパケットＰＫＴ１１をＭＡＣカプセル化したパケットＰＫＴ１２を作成する。パケットＰＫＴ１２は、Ｌ２トンネルを経由してモバイルＩＰ端末ＳＴＡ１の第１の送受信機ＲＦ１に送信される。
【０２３９】
複製されたもう一つのパケットは、送信元アドレスとして旧インテリジェントスイッチのＩＰアドレスを指定し、宛先アドレスとして新インテリジェントスイッチのＩＰアドレスを指定してパケットＰＫＴ１１をＩＰカプセル化したパケットＰＫＴ１３を作成する。パケットＰＫＴ１３は、Ｌ３トンネルを経由して新インテリジェントスイッチに送信される。
【０２４０】
新インテリジェントスイッチは、パケットＰＫＴ１３を受信すると、ユーザデータに含まれた気付アドレスを読み出し、新インテリジェントスイッチに対応する新気付アドレス宛のパケットか、旧インテリジェントスイッチに対する旧気付アドレス宛のパケットかを判定する。Ｌ３トンネルを経由したパケットである場合、具体的には旧気付アドレス宛のパケットである場合、新インテリジェントスイッチは、送信元アドレスを新インテリジェントスイッチのＭＡＣアドレスを指定し、宛先アドレスをモバイルＩＰ端末の第２の送受信機ＲＦ２のＭＡＣアドレスを指定してパケットＰＫＴ１３のペイロードをＭＡＣカプセル化したパケットＰＫＴ１４を作成する。パケットＰＫＴ１４は、Ｌ２トンネルを経由してモバイルＩＰ端末ＳＴＡ１の第２の送受信機ＲＦ２に送信される。
【０２４１】
ここで、パケットＰＫＴ１２、ＰＫＴ１３、ＰＫＴ１４のペイロードには後述するシーケンス番号が含まれているのが好ましい。
【０２４２】
図３４は、旧インテリジェントスイッチがモバイルＩＰ端末ＳＴＡ１の第１の送受信機ＲＦ１からパケットを受信する場合の図である。
【０２４３】
パケットＰＫＴ２１は、旧インテリジェントスイッチが受信するパケットである。パケットＰＫＴ２１は、送信元アドレスとしてモバイルＩＰ端末ＳＴＡ１のＭＡＣアドレスが指定され、宛先アドレスとして送信先の情報端末のＭＡＣアドレスが指定されている。旧インテリジェントスイッチは、パケットＰＫＴ２１を受信すると、送信元アドレスとしてモバイルＩＰ端末ＳＴＡ１のＭＡＣアドレスを指定し、宛先アドレスとして送信先の情報端末のＭＡＣアドレスを指定したパケットＰＫＴ２２を生成し、送信先の情報端末に向けて送信する。
【０２４４】
図３５は、新インテリジェントスイッチがモバイルＩＰ端末ＳＴＡ１の第２の送受信機ＲＦ２からパケットを受信する場合の図である。
【０２４５】
パケットＰＫＴ３１は、新インテリジェントスイッチが受信するパケットである。パケットＰＫＴ３１は、送信元アドレスとしてモバイルＩＰ端末ＳＴＡ１のＭＡＣアドレスが指定され、宛先アドレスとして送信先の情報端末のＭＡＣアドレスが指定されている。ここで、新インテリジェントスイッチは、ユーザデータ内のＩＰ層の送信元アドレスが旧気付アドレスの場合、旧インテリジェントスイッチを経由して送信先の情報端末に送信する。一方、新インテリジェントスイッチは、ユーザデータ内のＩＰ層の送信元アドレスが新気付アドレスの場合、新インテリジェントスイッチを経由して送信先の情報端末に送信する。旧気付アドレスの場合、新インテリジェントスイッチは、パケットＰＫＴ３１を受信すると、送信元アドレスとして新インテリジェントスイッチのＩＰアドレスを指定し、宛先アドレスとして旧インテリジェントスイッチのＩＰアドレスを指定してパケットＰＫＴ３１をＩＰカプセル化したパケットＰＫＴ３２を作成する。パケットＰＫＴ３２は、Ｌ３トンネルを経由して旧インテリジェントスイッチに送信される。
【０２４６】
旧インテリジェントスイッチがパケットＰＫＴ３２を受信すると、パケットＰＫＴ３２のＩＰカプセル化を解き、パケットＰＫＴ３３を作成し、送信先の情報端末に向けて送信する。
【０２４７】
（バイキャスト送信の方法）
次に、図３６及び図３７を参照して、インテリジェントスイッチからバイキャストで送信されるパケットについて説明する。
【０２４８】
図３６に示した例においては、モバイルＩＰ端末ＳＴＡ１の第１の送受信機ＲＦ１と旧アクセスポイントＡＰ１ａと旧インテリジェントスイッチを介してが良好な無線状況で接続されている、一方、モバイルＩＰ端末ＳＴＡ１の第２の送受信機ＲＦ２とハンドオーバー先の新アクセスポイントＡＰ３ａとが新インテリジェントスイッチを介して劣悪な無線状況で接続されており、インテリジェントスイッチから新アクセスポイントＡＰ３ａを介してモバイルＩＰ端末ＳＴＡ１に送信される無線通信区間でのリトライが発生していたとする。又、図３６に示した例においては、旧インテリジェントスイッチがパケットＰＫＴ１を受信する度に、シーケンス番号がインクリメントされる、具体的には、旧インテリジェントスイッチによってより遅く受信されたパケットには、より大きいシーケンス番号が採番されるとする。
【０２４９】
モバイルＩＰ端末ＳＴＡ１の第１の送受信機ＲＦ１及び無線制御部１０４ａによって旧アクセスポイントＡＰ１ａからシーケンス番号が「ｎ」のパケットＰＫＴ２を受信したとする。受信したパケットＰＫＴ２は、無線制御部１０４ａに到着したことにより無線制御部１０４ａでトンネルＴ１が終端される。送信されたパケットは、ＲＦ１パケット受信部１６１で処理される。
【０２５０】
ＲＦ１パケット受信部１６１は、ラスト受信シーケンス番号記憶部１６４を読み出して、直近に受信したパケットのシーケンス番号と、パケットＰＫＴ２のシーケンス番号を比較する。ラスト受信シーケンス番号がパケットＰＫＴ２のシーケンス番号より大きい場合、具体的には、パケットＰＫＴ２が既に受信されたパケットと同じシーケンス番号を持つパケットである場合、そのパケットＰＫＴ２は破棄される。一方、ラスト受信シーケンス番号がパケットＰＫＴ２のシーケンス番号より小さい場合、具体的には、パケットＰＫＴ２が受信されていないパケットである場合、パケットＰＫＴ２のシーケンス番号が、ラスト受信シーケンス番号記憶部１６４に記憶され、パケットＰＫＴ２を受信した送受信機の識別子がラスト受信ＲＦ番号として記憶される。
【０２５１】
ここでは、第１の送受信機ＲＦ１によって受信されたパケットＰＫＴ２のシーケンス番号が「ｎ」で、ラスト受信シーケンス番号記憶部１６４に記憶されたデータが「ｎ−１」であるので、パケットＰＫＴ２は破棄されず、ラスト受信シーケンス番号記憶部１６４は、「ｎ−１」から「ｎ」に更新され、ラスト受信ＲＦ番号記憶部１６３には、「ＲＦ１」と記憶される。第１の送受信機ＲＦ１によって受信されたパケットＰＫＴ２は、アプリケーションに送信され、アプリケーションで処理される。アプリケーションがこのパケットＰＫＴ２に対して返信パケットを送信すると、ラスト受信ＲＦ番号取得部１６５は、ラスト受信ＲＦ番号記憶部１６３を読み出して、「ＲＦ１」に該当する送受信機、具体的には第１の送受信機ＲＦ１に対して返信パケットを送信する。
【０２５２】
一方、モバイルＩＰ端末ＳＴＡ１の第２の送受信機ＲＦ２及び無線制御部１０４ｂによって新アクセスポイントＡＰ１ｂからシーケンス番号が「ｎ−１」のパケットＰＫＴ３を受信したとする。受信したパケットＰＫＴ３は、無線制御部１０４ｂに到着したことにより無線制御部１０４ｂでトンネルＴ２が終端される。送信されたパケットは、ＲＦ２パケット受信部１６２で処理される。ここでは、第１の送受信機ＲＦ１によってパケットＰＫＴ２が処理される前の状態、具体的には、ラスト受信シーケンス番号記憶部１６４には「ｎ−１」が記憶されている場合について説明する。
【０２５３】
ＲＦ２パケット受信部１６２は、ラスト受信シーケンス番号記憶部１６４を読み出して、直近に受信したパケットのシーケンス番号と、パケットＰＫＴ２のシーケンス番号を比較する。ラスト受信シーケンス番号がパケットＰＫＴ３のシーケンス番号より大きい場合、具体的には、パケットＰＫＴ３が既に受信されたパケットと同じシーケンス番号を持つパケットである場合、そのパケットＰＫＴ２は破棄される。一方、ラスト受信シーケンス番号がパケットＰＫＴ３のシーケンス番号より小さい場合、具体的には、パケットＰＫＴ３が受信されていないパケットである場合、パケットＰＫＴ３のシーケンス番号が、ラスト受信シーケンス番号記憶部１６４に記憶され、パケットＰＫＴ３を受信した送受信機の識別子がラスト受信ＲＦ番号として記憶される。
【０２５４】
ここでは、第２の送受信機ＲＦ２によって受信されたパケットＰＫＴ３のシーケンス番号が「ｎ−１」で、ラスト受信シーケンス番号記憶部１６４に記憶されたデータが「ｎ−１」であるので、パケットＰＫＴ３は破棄される。
【０２５５】
図３７を参照して、図３６に示した状態から遷移し、モバイルＩＰ端末ＳＴＡ１が新インテリジェントスイッチに接続された新アクセスポイントＡＰ３ａ方向へ移動した場合について説明する。
【０２５６】
図３７に示した例においては、モバイルＩＰ端末ＳＴＡ１の第１の送受信機ＲＦ１と旧アクセスポイントＡＰ１ａとが旧インテリジェントスイッチを介して劣悪な無線状況で接続されている、一方、モバイルＩＰ端末ＳＴＡ１の第２の送受信機ＲＦ２とハンドオーバー先の新アクセスポイントＡＰ３ａとが新インテリジェントスイッチを介して良好な無線状況で接続されており、旧インテリジェントスイッチから旧アクセスポイントＡＰ１ａを介してモバイルＩＰ端末ＳＴＡ１に送信される無線通信区間でのリトライが発生していたとする。又、ラスト受信シーケンス番号記憶部１６４には「ｎ」と記憶されている。
【０２５７】
旧アクセスポイントＡＰ１ａからシーケンス番号「ｎ」のパケットＰＫＴ２が送信されると、ラスト受信シーケンス番号記憶部１６４に記憶されたデータが「ｎ」であるので、ＲＦ１パケット受信部１６１は、受信したパケットＰＫＴ２は既に受信したパケットのシーケンス番号を備えると判断され、そのパケットは破棄される。
【０２５８】
一方、第２の送受信機ＲＦ２によって受信されたパケットＰＫＴ３のシーケンス番号が「ｎ＋１」で、ラスト受信シーケンス番号記憶部１６４に記憶されたデータが「ｎ」であるので、パケットＰＫＴ３は破棄されず、ラスト受信シーケンス番号記憶部１６４は、「ｎ」から「ｎ＋１」に更新され、ラスト受信ＲＦ番号記憶部１６３には、「ＲＦ２」と記憶される。第２の送受信機ＲＦ２によって受信されたパケットＰＫＴ３は、アプリケーションに送信され、アプリケーションで処理される。アプリケーションがこのパケットＰＫＴ３に対して返信パケットを送信すると、ラスト受信ＲＦ番号取得部１６５は、ラスト受信ＲＦ番号記憶部１６３を読み出して、「ＲＦ２」に該当する送受信機、具体的には第２の送受信機ＲＦ２に対して返信パケットを送信する。
【０２５９】
次に、図３８を参照して、本発明の無線通信方法において送受信されるパケットの構成を説明する。図３８（ａ）は、アクセスポイントからモバイルＩＰ端末に送信されるパケットを示している。ここでは、「ADDRESS1」部に、宛先アドレスとしてモバイルＩＰ端末の送受信機のＭＡＣアドレス又はモバイルＩＰ端末のＭＡＣアドレスが指定されている。「ADDRESS2」部に、アクセスポイントのＭＡＣアドレスが指定されている。「ADDRESS3」部に、送信元アドレスとしてインテリジェントスイッチのＭＡＣアドレスか、インテリジェントスイッチのデフォルトゲートウェイのＭＡＣアドレスが指定されている。更に、通常利用されない「ADDRESS4」部に、当該パケットを受信する送受信機のＭＡＣアドレスが指定される。これにより、アクセスポイントから送信されたパケットを受信するモバイルＩＰ端末の送受信機のＭＡＣアドレスが特定される。図３８（ｂ）は、モバイルＩＰ端末からアクセスポイントに送信されるパケットを示している。ここでは、「ADDRESS1」部に、宛先アドレスとしてアクセスポイントのＭＡＣアドレスが指定されている。「ADDRESS2」部に、送信元アドレスとして、モバイルＩＰ端末のＭＡＣアドレスが指定されている。「ADDRESS3」部に、宛先アドレスとしてデフォルトゲートウェイのＭＡＣアドレスが指定されている。更に、通常利用されない「ADDRESS4」部に、当該パケットを送信する送受信機のＭＡＣアドレスが指定される。これにより、アクセスポイントへ送信されたパケットを送信したモバイルＩＰ端末の送受信機のＭＡＣアドレスが特定される。
【０２６０】
この様に、本発明の第１の実施の形態に係るモバイルＩＰ端末ＳＴＡ１においては、既に受信したパケットを破棄し、受信していないパケットのみをアプリケーションに送信することができるので、旧インテリジェントスイッチＩＳＷ１からバイキャスト送信されたとしても、アプリケーションの動作に不具合が生じることはない。又、アプリケーションからパケットを返信する場合、アプリケーションがパケットを受信した送受信機を介して返信パケットが送信されるので、無線状況が良好でパケットが早く到着する通信経路を介して返信パケットが送信されるので、通信エラーが生じる可能性が少ない。
【０２６１】
（変形例）
図６を参照して、パケットをバッファリングし送信する場合の処理について説明したが、図３９乃至図４２を参照して、第１の変形例乃至第４の変形例において、図６に示した例とは異なる処理を説明する。
【０２６２】
図３９は、第１の変形例を示す図である。  
まず、ステップＳ４０１において、新インテリジェントスイッチＩＳＷ３によってモバイルＩＰ端末ＳＴＡ１から位置登録更新メッセージが受信されると、新インテリジェントスイッチＩＳＷ３は、ステップＳ４０２において位置登録更新メッセージをホームエージェントＨＡに送信する。
【０２６３】
位置登録更新メッセージが受信されると、ホームエージェントＨＡは、ステップＳ４０３及びステップＳ４０４において、新インテリジェントスイッチＩＳＷ３を介してモバイルＩＰ端末ＳＴＡ１に位置登録Ａｃｋメッセージが送信される。モバイルＩＰ端末ＳＴＡ１は、位置登録Ａｃｋメッセージが受信される前は、旧気付アドレスに基づいてパケットを送信していたが、位置登録Ａｃｋメッセージが受信されると、新気付アドレスに基づいてパケットを送信する。更に、ステップＳ４０５及びステップＳ４０６において、モバイルＩＰ端末ＳＴＡ１は、Ｌ３バイキャスト停止要求メッセージを新インテリジェントスイッチＩＳＷ３を介して旧インテリジェントスイッチＩＳＷ１に送信する。
【０２６４】
この様な制御をした場合のパケットの到着順序について説明する。  
位置登録更新メッセージがホームエージェントＨＡに到着する前にホームエージェントＨＡによって受信されたモバイルＩＰ端末ＳＴＡ１宛のパケットは、ステップＳ４５１及びステップＳ４５２において、旧気付アドレスに基づいて旧インテリジェントスイッチＩＳＷ１を介してモバイルＩＰ端末ＳＴＡ１に送信される。一方、位置登録更新メッセージがホームエージェントＨＡに到着した後にホームエージェントＨＡによって受信されたモバイルＩＰ端末ＳＴＡ１宛のパケットは、ステップＳ４５３及びステップＳ４５４において、新気付アドレスに基づいて新インテリジェントスイッチＩＳＷ３を介してモバイルＩＰ端末ＳＴＡ１に送信される。又、ステップＳ４５５及びステップＳ４５６においても、新気付アドレスに基づいて新インテリジェントスイッチＩＳＷ３を介してモバイルＩＰ端末ＳＴＡ１に送信される。
【０２６５】
図３９に示した方法によれば、通信システムにおける制御が単純なので、容易にシステムを構築することができる。しかし、新気付アドレス宛に送信されたパケットが、旧気付アドレス宛に送信されたパケットより早く到着してしまう場合がある。この様に図３９に示した例においては、パケットの到着順序が前後してしまう。図３９に示した方法は、通信品質を確保する必要がない場合に好適である。
【０２６６】
図４０は、第２の変形例を示す図である。  
まず、ステップＳ５０１において、新インテリジェントスイッチＩＳＷ３によってモバイルＩＰ端末ＳＴＡ１から位置登録更新メッセージが受信されると、新インテリジェントスイッチＩＳＷ３は、ステップＳ５０２において位置登録更新メッセージをホームエージェントＨＡに送信する。
【０２６７】
位置登録更新メッセージが受信されると、ホームエージェントＨＡは、ステップＳ５０３及びステップＳ５０４において、新インテリジェントスイッチＩＳＷ３を介してモバイルＩＰ端末ＳＴＡ１に位置登録Ａｃｋメッセージが送信される。モバイルＩＰ端末ＳＴＡ１は、位置登録Ａｃｋメッセージが受信される前は、旧気付アドレスに基づいてパケットを送信していたが、位置登録Ａｃｋメッセージが受信されると、新気付アドレスに基づいてパケットを送信する。更に、ステップＳ５０５において、Ｌ３バイキャスト停止要求メッセージが新インテリジェントスイッチＩＳＷ３に受信されると、新インテリジェントスイッチＩＳＷ１は、新気付アドレス宛のパケットを所定時間バッファリングする。所定時間が経過するとステップＳ５０６において、新インテリジェントスイッチＩＳＷ３は、Ｌ３バイキャスト停止要求メッセージを旧インテリジェントスイッチに送信するとともに、バッファリングしたパケットを送信する。
【０２６８】
この様な制御をした場合のパケットの到着順序について説明する。  
位置登録更新メッセージがホームエージェントＨＡに到着する前にホームエージェントＨＡによって受信されたモバイルＩＰ端末ＳＴＡ１宛のパケットは、ステップＳ５５１及びステップＳ５５２において、旧気付アドレスに基づいて旧インテリジェントスイッチＩＳＷ１を介してモバイルＩＰ端末ＳＴＡ１に送信される。一方、位置登録更新メッセージがホームエージェントＨＡに到着した後にホームエージェントＨＡによって受信されたモバイルＩＰ端末ＳＴＡ１宛のパケットは、ステップＳ５５３及びステップＳ５５４において、新気付アドレスに基づいて新インテリジェントスイッチＩＳＷ３を介してモバイルＩＰ端末ＳＴＡ１に送信される。又、ステップＳ５５５で送信されたパケットは、新インテリジェントスイッチに到着すると、バッファリングされ、所定時間が経過した後、ステップＳ５５６においてモバイルＩＰ端末ＳＴＡ１に送信される。
【０２６９】
図４０に示した方法によれば、Ｌ３バイキャスト停止要求メッセージを新インテリジェントスイッチが受信してからバッファリングを開始するので、新インテリジェントスイッチは、バッファリングを開始するタイミングを把握しやすい。しかし、新気付アドレス宛に送信され、新インテリジェントスイッチにおいてＬ３バイキャスト停止要求メッセージが受信する前に到着したパケットが、旧気付アドレス宛に送信されたパケットより早く到着してしまう場合がある。この様に図４０に示した例においては、パケットの到着順序が前後してしまう。図３９に示した方法は、通信品質を確保する必要がない場合に好適である。
【０２７０】
図４１は、第３の変形例を示す図である。  
まず、ステップＳ６０１において、新インテリジェントスイッチＩＳＷ３によってモバイルＩＰ端末ＳＴＡ１から位置登録更新メッセージが受信されると、新インテリジェントスイッチＩＳＷ３は、ステップＳ６０２において位置登録更新メッセージをホームエージェントＨＡに送信する。
【０２７１】
位置登録更新メッセージが受信されると、ホームエージェントＨＡは、ステップＳ６０３及びステップＳ６０４において、新インテリジェントスイッチＩＳＷ３を介してモバイルＩＰ端末ＳＴＡ１に位置登録Ａｃｋメッセージが送信されると、新インテリジェントスイッチＩＳＷ１は、新気付アドレス宛のパケットを所定時間バッファリングする。モバイルＩＰ端末ＳＴＡ１は、位置登録Ａｃｋメッセージが受信される前は、旧気付アドレスに基づいてパケットを送信していたが、位置登録Ａｃｋメッセージが受信されると、新気付アドレスに基づいてパケットを送信する。一方、ステップＳ６０５において、Ｌ３バイキャスト停止要求メッセージが新インテリジェントスイッチＩＳＷ３に受信される。所定時間が経過するとステップＳ６０６において、新インテリジェントスイッチＩＳＷ３は、Ｌ３バイキャスト停止要求メッセージを旧インテリジェントスイッチに送信するとともに、バッファリングしたパケットを送信する。
【０２７２】
この様な制御をした場合のパケットの到着順序について説明する。  
位置登録更新メッセージがホームエージェントＨＡに到着する前にホームエージェントＨＡによって受信されたモバイルＩＰ端末ＳＴＡ１宛のパケットは、ステップＳ６５１及びステップＳ６５２において、旧気付アドレスに基づいて旧インテリジェントスイッチＩＳＷ１を介してモバイルＩＰ端末ＳＴＡ１に送信される。一方、位置登録更新メッセージがホームエージェントＨＡに到着した後にホームエージェントＨＡによって受信されたモバイルＩＰ端末ＳＴＡ１宛のパケットは、ステップＳ６５３及びステップＳ６５４において、新気付アドレスに基づいて新インテリジェントスイッチＩＳＷ３を介してモバイルＩＰ端末ＳＴＡ１に送信され、バッファリングされる。又、ステップＳ５５５で送信されたパケットも、新インテリジェントスイッチに到着すると、バッファリングされる。ステップＳ６５３及びステップＳ６５４で送信されたパケットは、所定時間が経過した後、ステップＳ６５５及びステップＳ６５６においてモバイルＩＰ端末ＳＴＡ１に順に送信される。
【０２７３】
図４１に示した方法によれば、新インテリジェントスイッチが位置登録Ａｃｋメッセージを受信するとともに新気付アドレス宛のパケットのバッファリングを開始するので、パケットの到着順序が前後することはないので、通信を不安定にさせることなくアプリケーションによる処理を円滑に行わせることができる。しかし、ホームエージェントからモバイルＩＰ端末ＳＴＡ１宛に送信されたパケットを検査し、位置登録Ａｃｋメッセージを抽出することになるので、新インテリジェントスイッチにおける処理負荷が高くなってしまう。図４１に示した例においては、通信品質を確保し、新インテリジェントスイッチの処理負荷が低い場合に好適である。
【０２７４】
図４２は、第４の変形例を示す図である。  
まず、ステップＳ７０１において、モバイルＩＰ端末ＳＴＡ１の第２の送受信機ＲＦ２から新インテリジェントスイッチＩＳＷ３にバッファリング開始要求メッセージが受信されると、新インテリジェントスイッチＩＳＷ３は、受信したパケットのバッファリングを開始し、所定時間が経過することを待機する。
【０２７５】
一方、ステップＳ７０２においてモバイルＩＰ端末ＳＴＡ１から送信された位置登録更新メッセージは、新インテリジェントスイッチＩＳＷ３を介して、ステップＳ７０３において、ホームエージェントＨＡに送信される。位置登録更新メッセージが受信されると、ホームエージェントＨＡは、ステップＳ７０４において、新インテリジェントスイッチＩＳＷ３に位置登録Ａｃｋメッセージを送信する。所定時間経過した後、新インテリジェントスイッチＩＳＷ３は、ホームエージェントから送信された位置登録ＡｃｋメッセージをモバイルＩＰ端末ＳＴＡ１に送信する。更に、モバイルＩＰ端末ＳＴＡ１は、ステップＳ７０６において、新インテリジェントスイッチＩＳＷ３を介して旧インテリジェントスイッチにＬ３バイキャスト停止要求メッセージを送信する。ここでは、バッファリング開始要求メッセージを送信した後、位置登録更新メッセージを送信するように記載しているが、位置登録更新メッセージを送信した直後にバッファリング開始要求メッセージを送信しても良い。具体的には、新インテリジェントスイッチが位置登録Ａｃｋメッセージを受信するまでにバッファリングが開始される様に、バッファリング開始要求メッセージが送信される。
【０２７６】
この様な制御をした場合のパケットの到着順序について説明する。  
位置登録更新メッセージがホームエージェントＨＡに到着する前にホームエージェントＨＡによって受信されたモバイルＩＰ端末ＳＴＡ１宛のパケットは、ステップＳ７５１及びステップＳ７５２において、旧気付アドレスに基づいて旧インテリジェントスイッチＩＳＷ１を介してモバイルＩＰ端末ＳＴＡ１に送信される。一方、位置登録更新メッセージがホームエージェントＨＡに到着した後にホームエージェントＨＡによって受信されたモバイルＩＰ端末ＳＴＡ１宛のパケットは、ステップＳ７５３及びステップＳ７５４において、新気付アドレスに基づいて新インテリジェントスイッチＩＳＷ３に送信され、新インテリジェントスイッチＩＳＷ３においてバッファリングされる。
【０２７７】
新インテリジェントスイッチＩＳＷ３において位置登録Ａｃｋメッセージが新インテリジェントスイッチＩＳＷ３によって検知されてから所定時間を経過すると、具体的には、位置登録更新メッセージがホームエージェントＨＡに受信される前にホームエージェントＨＡによって旧インテリジェントスイッチＩＳＷ１を介して送信されたモバイルＩＰ端末ＳＴＡ１宛のパケットが、モバイルＩＰ端末ＳＴＡ１によって受信されると、新インテリジェントスイッチＩＳＷ３は、ステップＳ７５５及びステップＳ７５６において、バッファリングしたパケットを、受信した順番にモバイルＩＰ端末ＳＴＡ１に送信する。
【０２７８】
図４２に示した方法によれば、モバイルＩＰ端末ＳＴＡ１に送信されるパケットの順番が前後することがないので、通信を不安定にさせることなくアプリケーションによる処理を円滑に行わせることができる。更に位置登録Ａｃｋメッセージを待機しなくても良いので、新インテリジェントスイッチＩＳＷ３の負荷を押さえることができる。しかし、位置登録に要する時間を考慮する必要があり、タイマーによる所定時間を調整するのが困難である。更に、新インテリジェントスイッチＩＳＷ３は、旧インテリジェントスイッチから受信したパケットをバッファリングしてしまう問題がある。しかし、図４２に示した例においては、位置登録Ａｃｋメッセージがバッファリングされる時間が数１０ｍｓのオーダであれば、問題ないと考えられる。
【０２７９】
（本発明の第２の実施の形態）
図１乃至図４２を参照して説明した本発明の第１の実施の形態においては、インテリジェントスイッチによってバイキャスト送信される場合について説明したが、本発明の第２の実施の形態においては、アクセスルータによってバイキャスト送信される場合について説明する。
【０２８０】
次に、図４３を参照して本発明の第２の実施の形態に係る無線通信方法について概略を説明する。本発明の第２の実施の形態に係るモバイルＩＰ端末ＳＴＡ１は、送受信機を複数備えており、一つを通信中のアクトとして使用すると、通信していない送受信機は、スタンバイとして使用される。
【０２８１】
図４３（ｂ）に示すように、モバイルＩＰ端末ＳＴＡ１は通信中の状態である（１）。具体的には、図４３（ａ）に示す様に、アクセスルータＡＲ１にＬ２ネットワークを介してアクセスポイントＡＰ１ａ、ＡＰ１ｂが接続され、アクセスルータＡＲ２にＬ２ネットワークを介してアクセスポイントＡＰ３ａ及びＡＰ３ｂが接続されている。更に、モバイルＩＰ端末ＳＴＡ１は、アクト側の送受信機を介して旧アクセスポイント（第１のアクセスポイント）ＡＰ１ａ及び旧アクセスルータ（第１のアクセスルータ）ＡＲ１を介して通信している。
【０２８２】
ＡＣＴ側の送受信機において通信レベルの低下が検出されると（２）、スタンバイ側の送受信機によって、新アクセスルータ（第２のアクセスルータ）ＡＲ２に接続された新アクセスポイントＡＰ３ａと通信を行うため、新アクセスポイント（第２のアクセスポイント）ＡＰ３ａとのアソシエーションが確立され、データリンク層レベルでの通信が認証される（３）。
【０２８３】
新アクセスポイントＡＰ３ａとのアソシエーションが確立されると、モバイルＩＰ端末ＳＴＡ１は、新アクセスルータＡＲ２に、旧アクセスポイントＡＰ１ａからアクト側の送受信機を介すルートと、更に新アクセスポイントＡＰ３ａからスタンバイ側の送受信機を介すルートの２通りのルートでパケットを送信させるＬ３バイキャスト要求メッセージを送信する（４）。Ｌ３バイキャスト要求メッセージを受信すると、新アクセスルータＡＲ２は、旧アクセスルータＡＲ１に、Ｌ３バイキャスト要求メッセージを送信し、旧アクセスルータＡＲ１と新アクセスルータＡＲ２との間に、ＩＰ層に対応するレイヤ３トンネルを作成する（５）。
【０２８４】
レイヤ３トンネルが作成されると、旧アクセスルータＡＲ１は、旧アクセスポイントＡＰ１ａと、新アクセスルータＡＲ２を介して新アクセスポイントＡＰ３ａとの両方に向けてパケットを送信する。このときモバイルＩＰ端末ＳＴＡ１は、旧アクセスポイントＡＰ１ａ及び新アクセスポイントＡＰ３ａの両方からパケットを受信する（６）。
【０２８５】
ここで、モバイルＩＰ端末ＳＴＡ１は、旧アクセスポイントＡＰ１ａが提供するセルのエリアから新アクセスポイントＡＰ３ａが提供するセルのエリアに向けて移動したとする（７）。モバイルＩＰ端末ＳＴＡ１が新アクセスポイントＡＰ３ａが提供するセルに近づくと、モバイルＩＰ端末ＳＴＡ１は、旧アクセスポイントＡＰ１ａと通信しているアクト側の送受信機の通信レベルが低下したことを判断し、ハンドオーバーを実行する（８）。
【０２８６】
このとき、モバイルＩＰ端末ＳＴＡ１は、アクト側で使用していた送受信機をスタンバイ側に切替るとともに、スタンバイ側で使用していた送受信機をアクト側に切替え（９）、モバイルＩＰ端末ＳＴＡ１は、モバイルＩＰ端末ＳＴＡ１のホームエージェントに、新アクセスルータＡＲ２に対応する気付アドレスを含む位置登録更新（Binding Update）メッセージを送信し、ホームエージェントから位置登録Ａｃｋ（Binding Ack）メッセージを受信する（１０）。
【０２８７】
更にモバイルＩＰ端末ＳＴＡ１は、新アクセスルータＡＲ２にＬ３バイキャスト送信を停止させるＬ３バイキャスト停止要求メッセージを送信する（１１）。更に新アクセスルータＡＲ２は、旧アクセスルータＡＲ１にＬ３バイキャスト停止要求メッセージを送信し、旧アクセスルータＡＲ１において、レイヤ３トンネルを削除させる。これを受けて旧アクセスルータＡＲ１は、Ｌ３バイキャスト送信を停止する。
【０２８８】
図４４は、本発明の第２の実施の形態に係るモバイルＩＰ端末ＳＴＡ１が通信中にページングドメインを越えて移動する際のハンドオーバーについて説明する。
【０２８９】
図４４に示すようにモバイルＩＰ端末ＳＴＡ１は、第１の送受信機ＲＦ１及び第２の送受信機ＲＦ２を備えている。本発明の第２の実施の形態では、第１の送受信機ＲＦ１は、アクト側で使用されており、ステップＳ８０１において、旧アクセスポイントＡＰ１ａ及び旧アクセスルータＡＲ１を介して通信している。一方、第２の送受信機ＲＦ２は、スタンバイ側で使用されており、いずれの通信端末とも通信コネクションが確立されていない。
【０２９０】
ここで、ステップＳ８０２においてモバイルＩＰ端末ＳＴＡ１の第１の送受信機ＲＦ１での通信レベルが低下したとする。通信レベルの低下とは、受信した信号レベルが低下したり、ＰＥＲ（パケット誤り率：Packet Error Rate）が劣化したことにより判断される。ここでは、モバイルＩＰ端末ＳＴＡ１の第１の送受信機ＲＦ１での通信レベルがバイキャスト送信を実行する閾値より低下したとする。
【０２９１】
通信レベルが低下したと判断されると、ステップＳ８０３において、スタンバイ側の第２の送受信機ＲＦ２は、旧アクセスポイントＡＰ１ａとは異なる新アクセスポイントＡＰ３ａからのビーコン信号を探索する。このビーコン信号には、ビーコン信号を発信したアクセスポイントが属するページングドメイン５ｂのページング識別子と、当該新アクセスポイントＡＰ３ａの識別子が含まれる。このアクセスポイントの識別子には、無線部ＩＤとして、アクセスポイントのＭＡＣアドレスであるＢＳＳＩＤ（Basic Service Set Identifier）と、事業者又はカンパニーによって採番されるＥＳＳＩＤ（Extended Service Set Identifier）が含まれる。ここで、第２の送受信機ＲＦ２で受信したビーコン信号のページング識別子が第１の送受信機ＲＦ１で通信しているアクセスポイントのページング識別子と異なると判断されると、モバイルＩＰ端末ＳＴＡ１は、ページングドメインを越えて移動したことになり、本発明の第２の実施の形態に係る手順に従ってハンドオーバーが実施される。
【０２９２】
具体的には、第２の送受信機ＲＦ２で受信したビーコン信号のページング識別子が第１の送受信機ＲＦ１で通信しているアクセスポイントのページング識別子と異なると判断されると、ステップＳ８０４において、モバイルＩＰ端末ＳＴＡ１によって、新アクセスポイントＡＰ３ａにアソシエーション要求メッセージが送信され、これに対応して、ステップＳ８０５において、新アクセスポイントＡＰ３ａからアソシエーション応答メッセージが送信される。これによりモバイルＩＰ端末ＳＴＡ１の第２の送受信機ＲＦ２と新アクセスポイントＡｐ３ａとのアソシエーションが確立される。
【０２９３】
モバイルＩＰ端末ＳＴＡ１と新アクセスポイントＡｐ３ａとの間でアソシエーションが確立されると、ステップＳ８０６において、モバイルＩＰ端末ＳＴＡ１によって新アクセスポイントＡＰ３ａにデータリンク層レベルでのＬ２認証要求メッセージが送信される。新アクセスポイントＡＰ３ａによってモバイルＩＰ端末ＳＴＡ１からＬ２認証要求メッセージが受信されると、ステップＳ８０７において、予め記憶されたＲＡＤＩＵＳサーバ１０のＩＰアドレスが読み出されるとともにＲＡＤＩＵＳサーバ１０のＩＰアドレスにモバイルＩＰ端末ＳＴＡ１のＬ２認証要求メッセージが送信される。ＲＡＤＩＵＳサーバ１０によってＬ２認証要求メッセージが受信されると、ステップＳ８０８において認証応答メッセージが新アクセスポイントＡｐ３ａに送信される。ステップＳ８０８において新アクセスポイントＡＰ３ａよってＲＡＤＩＵＳサーバ１０からＬ２認証応答メッセージが受信されると、ステップＳ８０９においてモバイルＩＰ端末ＳＴＡ１へＬ２認証応答メッセージが送信される。
【０２９４】
次に、ステップＳ８１０において新アクセスポイントＡＰ３ａからネットワークプレフィックス通知メッセージが送信される。ここで送信される情報は、アクセスルータＡＲ２のネットワークプレフィックス、アクセスルータＡＲ２（デフォルトゲートウェイ）のＩＰアドレス、アクセスルータＡＲ２のＭＡＣアドレスを含むアクセスルータ情報である。
【０２９５】
モバイルＩＰ端末ＳＴＡ１によってネットワークプレフィックスが受信されると、これに対応してステップＳ８１１において、ネットワークプレフィックスにモバイルＩＰ端末ＳＴＡ１の６４ビットのＭＡＣアドレス（ＥＵＩ−６４）が付加されることにより気付アドレスが生成される。更に、ステップＳ８１２において、モバイルＩＰ端末ＳＴＡ１によって、新アクセスポイントＡＰ３ａにネットワークプレフィックス応答メッセージが送信される。
【０２９６】
新アクセスポイントＡＰ３ａによってアソシエーション応答メッセージが送信されると、ステップＳ８１３において、モバイルＩＰ端末ＳＴＡ１の第２の送受信機ＲＦ２によってモバイルＩＰ端末宛のパケットを第１の送受信機ＲＦ１と第２の送受信機ＲＦ２の両方への送信を依頼するＬ３バイキャスト要求メッセージが新アクセスルータＡＲ２に送信される。このＬ３バイキャスト要求メッセージには、旧アクセスルータＡＲ１に対応する旧気付アドレス、新アクセスルータＡＲ２に対応する新気付アドレス、旧アクセスルータＡＲ１のＩＰアドレス、第１の送受信機ＲＦ１のＭＡＣアドレス、旧アクセスポイントＡＰ１ａのＭＡＣアドレス、第２の送受信機ＲＦ２のＭＡＣアドレス、新アクセスポイントＡＰ３ａのＭＡＣアドレス、モバイルＩＰ端末ＳＴＡ１のＭＡＣアドレスが含まれる。ここで、Ｌ３バイキャスト要求メッセーにおいて、発信元アドレスがモバイルＩＰ端末ＳＴＡ１のＭＡＣアドレスで、宛先アドレスが新アクセスルータＡＲ２のＭＡＣアドレスである。
【０２９７】
ここで、新アクセスルータＡＲ２は、モバイルＩＰ端末のＭＡＣアドレスと、新アクセスポイントＡＰ３ａのＭＡＣアドレスと第２の送受信機ＲＦ２のＭＡＣアドレスを含むＬ２トンネル情報と、旧アクセスルータＡＲ１のＩＰアドレスを含むＬ３トンネル情報と、新気付アドレス及び旧気付アドレスを含む気付アドレス情報とを、新アクセスルータＡＲ２に備えられたバイキャストテーブルに登録する。
【０２９８】
新アクセスルータＡＲ２によってＬ３バイキャスト要求メッセージが受信されると、ステップＳ８１４において、新アクセスルータＡＲ２によって、Ｌ３バイキャスト要求メッセージが旧アクセスルータＡＲ１に送信される。ここで送信されるＬ３バイキャスト要求メッセージは、モバイルＩＰ端末ＳＴＡ１のＭＡＣアドレスと、モバイルＩＰ端末ＳＴＡ１の第１の送受信機ＲＦ１のＭＡＣアドレスと、旧アクセスポイントＡＰ１ａのＭＡＣアドレスを含む。
【０２９９】
ここで、旧アクセスルータＡＲ１は、モバイルＩＰ端末のＭＡＣアドレスと、旧アクセスポイントＡＰ１ａのＭＡＣアドレスと第１の送受信機ＲＦ１のＭＡＣアドレスを含むＬ２トンネル情報と、新アクセスルータＡＲ２のＩＰアドレスを含むＬ３トンネル情報とを、旧アクセスルータＡＲ１に備えられたバイキャストテーブルに登録する。
【０３００】
Ｌ３バイキャスト要求メッセージが旧アクセスルータＡＲ１に受信されると、ステップＳ８１５において、旧アクセスルータＡＲ１によって、Ｌ３バイキャスト応答メッセージが新アクセスルータＡＲ２に送信される。ここで送信されるＬ３バイキャスト応答メッセージには、モバイルＩＰ端末ＳＴＡ１のＭＡＣアドレスが含まれる。
【０３０１】
更に新アクセスルータＡＲ２によって、ステップＳ８１６においてＬ３バイキャスト応答メッセージが第２の送受信機ＲＦ２に送信される。このＬ３バイキャスト応答メッセージは、発信元アドレスが新アクセスルータＡＲ２のＭＡＣアドレスで、宛先アドレスがモバイルＩＰ端末ＳＴＡ１のＭＡＣアドレスである。
【０３０２】
これにより、ステップＳ８１７ａ及びステップＳ８１７ｂに示すように、旧アクセスルータＡＲ１によってモバイルＩＰ端末ＳＴＡ１宛のパケットが受信されると、バイキャストテーブルに従って、第１の送受信機ＲＦ１にパケットが送信されるとともに、新アクセスルータＡＲ２及び新アクセスポイントＡＰ３ａを介して第２の送受信機ＲＦ２にパケットが送信される。
【０３０３】
このとき、新アクセスルータＡＲ２は、モバイルＩＰ端末ＳＴＡ１から旧気付アドレスを送信元としたメッセージを受信すると、旧アクセスルータＡＲ１にＩＰカプセル化して送信し、新気付アドレスを送信元としたメッセージを受信すると、モバイルＩＰ端末ＳＴＡ１によって送信されるパケットの送信先の情報端末にパケットを送信する。
【０３０４】
第１の送受信機ＲＦ１によって更に通信レベルが低下した、より具体的にはモバイルＩＰ端末ＳＴＡ１の第１の送受信機ＲＦ１での通信レベルが通信が不可能になる閾値より低下したと判断されると、ステップＳ８１８において、アクト側の送受信機とスタンバイ側の送受信機の切替が行われる。
【０３０５】
具体的には、ステップＳ８１９において、モバイルＩＰ端末ＳＴＡ１の第２の送受信機ＲＦ２によって、位置登録Ａｃｋの到着を監視させる位置登録Ａｃｋ監視要求メッセージが、新アクセスルータＡＲ２に送信される。この後、新アクセスルータＡＲ２は、入力されるパケットを検査し、モバイルＩＰ端末ＳＴＡ１の位置登録Ａｃｋメッセージを待機する。
【０３０６】
更に、ステップＳ８２０において、モバイルＩＰ端末ＳＴＡ１の第２の送受信機ＲＦ２によって、モバイルＩＰ端末ＳＴＡ１のホームエージェントＨＡに位置登録更新メッセージが送信される。これに応答して、ステップＳ８２１において、モバイルＩＰ端末ＳＴＡ１の第２の送受信機によって、ホームエージェントＨＡ１から位置登録Ａｃｋメッセージが送信される。
【０３０７】
このとき、新アクセスルータＡＲ２は、モバイルＩＰ端末ＳＴＡ１の位置登録Ａｃｋメッセージを検知する。この位置登録Ａｃｋメッセージが検知されると、旧気付アドレス宛のパケット、具体的には、旧アクセスルータＡＲ１から転送されたパケットは、モバイルＩＰ端末ＳＴＡ１の第２の送受信機ＲＦ２に送信する。一方、新気付アドレス宛のパケットは、所定時間が経過するまで、新アクセスルータＡＲ２の記憶部にバッファリングする。ここで所定時間とは、位置登録更新メッセージがホームエージェントＨＡに受信される前にホームエージェントＨＡによって旧アクセスルータＡＲ１を介して送信されたモバイルＩＰ端末ＳＴＡ１宛のパケットが、モバイルＩＰ端末ＳＴＡ１によって受信されるまでの時間である。
【０３０８】
モバイルＩＰ端末ＳＴＡ１の第２の送受信機ＲＦ２によって、位置登録Ａｃｋメッセージが受信されると、ステップＳ８２２において、Ｌ３バイキャスト停止要求メッセージが新アクセスルータＡＲ２に送信される。このＬ３バイキャスト停止要求メッセージは、送信元アドレスはモバイルＩＰ端末ＳＴＡ１のＭＡＣアドレスで、宛先アドレスは新アクセスルータＡＲ２のＭＡＣアドレスである。
【０３０９】
ここで、ステップＳ８２１で説明したバッファリングを行う所定時間が経過したとする。所定時間を経過すると、ステップＳ８２３において、新アクセスルータＡＲ２によって、バッファリングされたパケットが、新気付アドレス宛で送信され、モバイルＩＰ端末ＳＴＡ１の送受信機ＲＦ２に送信される。
【０３１０】
又、新アクセスルータＡＲ２によって、モバイルＩＰ端末ＳＴＡ１からＬ３バイキャスト停止要求メッセージが受信され、所定時間を経過すると、ステップＳ８２４において、ステップＳ８２２で送信されたＬ３バイキャスト停止要求メッセージの送信元アドレスであるモバイルＩＰ端末ＳＴＡ１のＭＡＣアドレスを含むＬ３バイキャスト停止要求メッセージが旧アクセスルータＡＲ１に送信される。
【０３１１】
Ｌ３バイキャスト停止要求メッセージが旧アクセスルータＡＲ１によって受信されると、ステップＳ８２５において、モバイルＩＰ端末ＳＴＡ１のＭＡＣアドレスを含むＬ３バイキャスト停止応答メッセージが新アクセスルータＡＲ１に送信される。新アクセスルータＡＲ２によってＬ３バイキャスト停止応答メッセージが送信されると、モバイルＩＰ端末ＳＴＡ１にＬ３バイキャスト停止応答メッセージが送信される。このＬ３バイキャスト停止応答メッセージは、発信元アドレスが新アクセスルータＡＲ２のＭＡＣアドレスで、宛先アドレスがモバイルＩＰ端末ＳＴＡ１のＭＡＣアドレスである。
【０３１２】
Ｌ３バイキャスト停止応答メッセージが新アクセスルータＡＲ２に受信されると、新アクセスルータＡＲ１は、ステップＳ８２５で送信されたＬ３バイキャスト停止応答メッセージに含まれたモバイルＩＰ端末ＳＴＡ１のＭＡＣアドレスをキーとして、バイキャストテーブルから、Ｌ２トンネル情報、Ｌ３トンネル情報、ＣＯＡ情報を削除する。更に、Ｌ３バイキャスト停止要求メッセージが旧アクセスルータＡＲ１に受信されると、旧アクセスルータＡＲ１は、ステップＳ８２４で送信されたＬ３バイキャスト停止要求メッセージに含まれたモバイルＩＰ端末ＳＴＡ１のＭＡＣアドレスをキーとして、バイキャストテーブルから、Ｌ２トンネル情報とＬ３トンネル情報を削除する。
【０３１３】
Ｌ３バイキャスト停止応答メッセージが送信されると、旧アクセスルータＡＲ１によって、ステップＳ８２７において、旧アクセスポイントとモバイルＩＰ端末ＳＴＡ１とのアソシエーションの切断を要求する接続切断要求メッセージが送信される。この接続切断要求メッセージは、モバイルＩＰ端末ＳＴＡ１のＭＡＣアドレスを含み、発信元アドレスは旧アクセスルータＡＲ１のＭＡＣアドレスで、宛先アドレスは旧アクセスポイントＡＰ１ａのＭＡＣアドレスである。
【０３１４】
この様な処理により、ステップＳ８２８において、第２の送受信機ＲＦ２を介してモバイルＩＰ端末ＳＴＡ１との通信が行われる。
【０３１５】
ここで、図４４に示したステップＳ８１７ａ及びステップＳ８１７ｂでのＬ３バイキャスト送信の詳細を説明する。
【０３１６】
ステップＳ８１４において、旧アクセスルータＡＲ１によって、Ｌ３バイキャスト要求メッセージが受信されると、ステップＳ８１７ａにおいて、モバイルＩＰ端末ＳＴＡ１のＭＡＣアドレス宛のパケットを、第１の送受信機ＲＦ１に対応するＭＡＣアドレス宛のパケットにＭＡＣカプセル化して送信する。ここで、本発明の第２の実施の形態において「ＭＡＣカプセル化」とは、送信先のＭＡＣアドレスを指定してＬ２（レイヤー２）トンネルを設け、指定された送信先にダイレクトに送信することである。具体的には、モバイルＩＰ端末ＳＴＡ１のＭＡＣアドレス宛のパケットを、モバイルＩＰ端末ＳＴＡ１に備えられた第１の送受信機ＲＦ１又は第２の送受信機ＲＦ２宛に送信するために、送信先の送受信機のＭＡＣアドレスを宛先アドレスに指定したヘッダを付加する。一方、「ＩＰカプセル化」とは、送信先のＩＰアドレスを指定してＬ３（レイヤー３）トンネルを設け、指定された送信先にダイレクトに送信することである。
【０３１７】
一方、ステップＳ８１７ｂにおいて、旧アクセスルータＡＲ１によって、新アクセスルータＡＲ２を介して送信する。具体的には、旧アクセスルータＡＲ１によって、Ｌ３バイキャスト要求メッセージが受信されると、モバイルＩＰ端末ＳＴＡ１のＭＡＣアドレス宛のパケットが、第１の送受信機ＲＦ１に対応するＭＡＣアドレス宛のパケットにＭＡＣカプセル化して送信される。更に、旧アクセスルータＡＲ１によって、モバイルＩＰ端末ＳＴＡ１のＭＡＣアドレス宛のパケットが、新アクセスルータＡＲ２に対応するＩＰアドレス宛のパケットにＩＰカプセル化して送信される。更に、新アクセスルータＡＲ２によって、モバイルＩＰ端末ＳＴＡ１のＭＡＣアドレス宛のパケットが新アクセスルータＡＲ２のＩＰアドレス宛にＩＰカプセル化されたパケットが受信されると、モバイルＩＰ端末ＳＴＡ１のＭＡＣアドレス宛のパケットが、第２の送受信機ＲＦ２に対応するＭＡＣアドレスのパケットにＭＡＣカプセル化して送信される。
【０３１８】
ここで、送信されるパケットには、このパケットを識別するシーケンス番号を含み、旧アクセスルータＡＲ１によってパケットが受信される度にインクリメントされることが好ましい。この場合、モバイルＩＰ端末ＳＴＡ１によって、第１の送受信機ＲＦ１又は第２の送受信機ＲＦ２を介してパケットが受信されると、受信されたパケットに含まれているシーケンス番号が読み出されて、既に受信されたパケットのシーケンス番号である場合、受信されたパケットが破棄される。
【０３１９】
より具体的には、モバイルＩＰ端末ＳＴＡ１によって、第１の送受信機ＲＦ１又は第２の送受信機ＲＦ２を介してパケットが受信されると、受信されたパケットに含まれているシーケンス番号が読み出されて、モバイルＩＰ端末ＳＴＡ１によって直近に受信されたパケットのシーケンス番号であるラスト受信シーケンス番号と受信されたパケットのシーケンス番号が比較される。受信されたパケットのシーケンス番号の方が大きい場合、モバイルＩＰ端末ＳＴＡ１によって、受信されたパケットがモバイルＩＰ端末ＳＴＡ１のアプリケーションに送信されるとともに、ラスト受信シーケンス番号が受信されたパケットのシーケンス番号に書き換えられる。一方、受信されたパケットのシーケンス番号の方が小さい場合、モバイルＩＰ端末ＳＴＡ１によって、受信されたパケットが破棄される。
【０３２０】
又、受信されたパケットのシーケンス番号の方が大きい場合、モバイルＩＰ端末ＳＴＡ１によって、直近にパケットが受信された送受信機の識別子を示すラスト送受信機番号が、受信されたパケットを受信した送受信機の識別子に書き換えられる。このとき、モバイルＩＰ端末ＳＴＡ１によって、ラスト送受信機番号に対応する送受信機を介して、アプリケーションからパケットが送信される。
【０３２１】
（Ｌ３バイキャスト送信のパケット）
次に、図４５乃至図４７を参照してＬ３バイキャスト送信のパケットを説明する。旧アクセスルータはモバイルＩＰ端末の第１の送受信機ＲＦ１と通信し、新アクセスルータはモバイルＩＰ端末の第２の送受信機ＲＦ２と通信している。
【０３２２】
図４５は、旧アクセスルータ宛にモバイルＩＰ端末ＳＴＡ１宛のパケットが届いた場合の図である。
【０３２３】
パケットＰＫＴ５１は、モバイルＩＰ端末ＳＴＡ１宛のＩＰパケットであるペイロード部に、旧アクセスルータＡＲ１によって宛先ＭＡＣアドレスと送信元ＭＡＣアドレスが付加されて生成されたパケットである。パケットＰＫＴ５１は、送信元ＭＡＣアドレスとして旧アクセスルータのＭＡＣアドレスが指定され、宛先ＭＡＣアドレスとしてモバイルＩＰ端末ＳＴＡ１のＭＡＣアドレスが指定されている。アクセスルータは、Ｌ３バイキャストテーブルを読み出して、モバイルＩＰ端末ＳＴＡ１がＬ３バイキャスト送信の対象となっているか否かを判定し、Ｌ３バイキャスト送信の対象となっている場合、パケットＰＫＴ５１を複製する。複製された一つのパケットは、送信元アドレスとして旧アクセスルータのＭＡＣアドレスを指定し、宛先アドレスとしてモバイルＩＰ端末ＳＴＡ１の第１の送受信機ＲＦ１のＭＡＣアドレスを指定してパケットＰＫＴ５１をＭＡＣカプセル化したパケットＰＫＴ５２を作成する。パケットＰＫＴ５２は、Ｌ２トンネルを経由してモバイルＩＰ端末ＳＴＡ１の第１の送受信機ＲＦ１に送信される。
【０３２４】
複製されたもう一つのパケットは、送信元アドレスとして旧アクセスルータのＩＰアドレスを指定し、宛先アドレスとして新アクセスルータのＩＰアドレスを指定してパケットＰＫＴ５１をＩＰカプセル化したパケットＰＫＴ５３を作成する。パケットＰＫＴ５３は、Ｌ３トンネルを経由して新アクセスルータに送信される。
【０３２５】
新アクセスルータは、パケットＰＫＴ５３を受信すると、ユーザデータに含まれた気付アドレスを読み出し、新アクセスルータに対応する新気付アドレス宛のパケットか、旧アクセスルータに対する旧気付アドレス宛のパケットかを判定する。Ｌ３トンネルを経由したパケットである場合、具体的には旧気付アドレス宛のパケットである場合、新アクセスルータは、送信元アドレスを新アクセスルータのＭＡＣアドレスを指定し、宛先アドレスをモバイルＩＰ端末の第２の送受信機ＲＦ２のＭＡＣアドレスを指定してパケットＰＫＴ５３のペイロードをＭＡＣカプセル化したパケットＰＫＴ５４を作成する。パケットＰＫＴ５４は、Ｌ２トンネルを経由してモバイルＩＰ端末ＳＴＡ１の第２の送受信機ＲＦ２に送信される。
【０３２６】
ここで、パケットＰＫＴ５２、ＰＫＴ５３、ＰＫＴ５４のペイロードには第１の実施の形態で説明したシーケンス番号が含まれているのが好ましい。
【０３２７】
図４６は、旧アクセスルータがモバイルＩＰ端末ＳＴＡ１の第１の送受信機ＲＦ１からパケットを受信する場合の図である。
【０３２８】
パケットＰＫＴ６１は、旧アクセスルータが受信するパケットである。パケットＰＫＴ６１は、送信元アドレスとしてモバイルＩＰ端末ＳＴＡ１のＭＡＣアドレスが指定され、宛先アドレスとして旧アクセスルータのＭＡＣアドレスが指定されている。
【０３２９】
図４７は、新アクセスルータがモバイルＩＰ端末ＳＴＡ１の第２の送受信機ＲＦ２からパケットを受信する場合の図である。
【０３３０】
パケットＰＫＴ７１は、新アクセスルータが受信するパケットである。パケットＰＫＴ７１は、送信元アドレスとしてモバイルＩＰ端末ＳＴＡ１のＭＡＣアドレスが指定され、宛先アドレスとして新アクセスルータのＭＡＣアドレスが指定されている。ここで、新アクセスルータは、ユーザデータ内のＩＰ層の送信元アドレスが旧気付アドレスの場合、旧アクセスルータを経由して送信先の情報端末に送信する。一方、新アクセスルータは、ユーザデータ内のＩＰ層の送信元アドレスが新気付アドレスの場合、送信先の情報端末に送信する。旧気付アドレスの場合、新アクセスルータは、パケットＰＫＴ７１を受信すると、送信元アドレスとして新アクセスルータのＩＰアドレスを指定し、宛先アドレスとして旧アクセスルータのＩＰアドレスを指定してパケットＰＫＴ７１をＩＰカプセル化したパケットＰＫＴ７２を作成する。パケットＰＫＴ７２は、Ｌ３トンネルを経由して旧アクセスルータに送信される。
【０３３１】
旧アクセスルータがパケットＰＫＴ７２を受信すると、パケットＰＫＴ７２のＩＰカプセル化を解き、パケットＰＫＴ７３を作成する。
【０３３２】
（その他の実施の形態）
上記のように、本発明の第１及び第２の実施の形態によって記載したが、この開示の一部をなす論述及び図面はこの発明を限定するものであると理解すべきではない。この開示から当業者には様々な代替実施の形態、実施例及び運用技術が明らかとなる。
【０３３３】
本発明はここでは記載していない様々な実施の形態等を含むことは勿論である。従って、本発明の技術的範囲は上記の説明から妥当な特許請求の範囲に係る発明特定事項によってのみ定められるものである。
【産業上の利用可能性】
【０３３４】
本発明に係る無線通信方法は、アクセスポイントが提供するセルを越えて移動する場合でも、ハンドオーバー時にも複数経路でパケットを送信するので、パケットロスを軽減することができる。
【図面の簡単な説明】
【０３３５】
【図１】本発明の第１の実施の形態に係る通信ネットワークのシステム構成図である。
【図２】本発明の第１の実施の形態に係る無線通信方法の概略を説明する図である。
【図３】本発明の第１の実施の形態に係るアクセスポイントが起動された場合の処理を示すシーケンス図である。
【図４】本発明の第１の実施の形態に係るインテリジェントスイッチが起動された場合の処理を示すシーケンス図である。
【図５】本発明の第１の実施の形態に係る通信システムにおいて、モバイルＩＰ端末によってページングドメインを越えてハンドオーバーが行われる場合の処理を示すシーケンス図である。
【図６】本発明の第１の実施の形態に係る通信システムにおいて、パケットをバッファリングし送信する場合の処理を詳細に示すシーケンス図である。
【図７】本発明の第１の実施の形態に係るモバイルＩＰ端末のハードウェア構成図である。
【図８】本発明の第１の実施の形態に係るモバイルＩＰ端末のソフトウェア構造を説明する図である。
【図９】本発明の第１の実施の形態に係るモバイルＩＰ端末で管理されるデータテーブルの一例である。
【図１０】本発明の第１の実施の形態に係るモバイルＩＰ端末の状態遷移図である。（その１）
【図１１】本発明の第１の実施の形態に係るモバイルＩＰ端末の状態遷移図である。（その２）
【図１２】本発明の第１の実施の形態に係るモバイルＩＰ端末の状態遷移図である。（その３）
【図１３】本発明の第１の実施の形態に係るモバイルＩＰ端末の状態遷移図である。（その４）
【図１４】本発明の第１の実施の形態に係るモバイルＩＰ端末の状態遷移図である。（その５）
【図１５】本発明の第１の実施の形態に係るモバイルＩＰ端末の状態遷移図である。（その６）
【図１６】本発明の第１の実施の形態に係るモバイルＩＰ端末の状態遷移図である。（その７）
【図１７】本発明の第１の実施の形態に係るアクセスポイントのハードウェア構成図である。
【図１８】本発明の第１の実施の形態に係るアクセスポイントで管理されるデータテーブルの一例である。
【図１９】本発明の第１の実施の形態に係るアクセスポイントの状態遷移図である。（その１）
【図２０】本発明の第１の実施の形態に係るアクセスポイントの状態遷移図である。（その２）
【図２１】本発明の第１の実施の形態に係るアクセスポイントの状態遷移図である。（その３）
【図２２】本発明の第１の実施の形態に係るインテリジェントスイッチのハードウェア構成図である。
【図２３】本発明の第１の実施の形態に係るインテリジェントスイッチで管理されるデータテーブルの一例である。
【図２４】本発明の第１の実施の形態に係るインテリジェントスイッチで管理され、旧インテリジェントスイッチとして動作する場合のＬ３バイキャストテーブルの一例である。
【図２５】本発明の第１の実施の形態に係るインテリジェントスイッチで管理され、新インテリジェントスイッチとして動作する場合のＬ３バイキャストテーブルの一例である。
【図２６】本発明の第１の実施の形態に係るインテリジェントスイッチの状態遷移図である。（その１）
【図２７】本発明の第１の実施の形態に係るインテリジェントスイッチの状態遷移図である。（その２）
【図２８】本発明の第１の実施の形態に係るインテリジェントスイッチの状態遷移図である。（その３）
【図２９】本発明の第１の実施の形態に係るインテリジェントスイッチの状態遷移図である。（その４）
【図３０】本発明の第１の実施の形態に係るインテリジェントスイッチの状態遷移図である。（その５）
【図３１】本発明の第１の実施の形態に係るインテリジェントスイッチの状態遷移図である。（その６）
【図３２】本発明の第１の実施の形態に係るインテリジェントスイッチの状態遷移図である。（その７）
【図３３】本発明の第１の実施の形態に係る通信システムにおいて送受信されるパケットを説明する図である。（その１）
【図３４】本発明の第１の実施の形態に係る通信システムにおいて送受信されるパケットを説明する図である。（その２）
【図３５】本発明の第１の実施の形態に係る通信システムにおいて送受信されるパケットを説明する図である。（その３）
【図３６】本発明の第１の実施の形態に係るモバイルＩＰ端末において、バイキャスト送信されたパケットの処理を説明する図である。（その１）
【図３７】本発明の第１の実施の形態に係るモバイルＩＰ端末において、バイキャスト送信されたパケットの処理を説明する図である。（その２）
【図３８】図３８（ａ）は、アクセスポイントからモバイルＩＰ端末に送信されるパケット構成を示す図で、図３８（ｂ）は、モバイルＩＰ端末からアクセスポイントに送信されるパケットの構成を示す図である。
【図３９】本発明の第１の実施の形態に係る通信システムにおいて、パケットをバッファリングし送信する場合の処理を詳細に示すシーケンス図である。（第１の変形例）
【図４０】本発明の第１の実施の形態に係る通信システムにおいて、パケットをバッファリングし送信する場合の処理を詳細に示すシーケンス図である。（第２の変形例）
【図４１】本発明の第１の実施の形態に係る通信システムにおいて、パケットをバッファリングし送信する場合の処理を詳細に示すシーケンス図である。（第３の変形例）
【図４２】本発明の第１の実施の形態に係る通信システムにおいて、パケットをバッファリングし送信する場合の処理を詳細に示すシーケンス図である。（第４の変形例）
【図４３】本発明の第２の実施の形態に係る無線通信方法の概略を説明する図である。
【図４４】本発明の第２の実施の形態に係る通信システムにおいて、モバイルＩＰ端末によってページングドメインを越えてハンドオーバーが行われる場合の処理を示すシーケンス図である。
【図４５】本発明の第２の実施の形態に係る通信システムにおいて送受信されるパケットを説明する図である。（その１）
【図４６】本発明の第２の実施の形態に係る通信システムにおいて送受信されるパケットを説明する図である。（その２）
【図４７】本発明の第２の実施の形態に係る通信システムにおいて送受信されるパケットを説明する図である。（その３）
【図４８】従来の通信ネットワークのシステム構成図である。
【図４９】従来のモバイルＩＰにおいて予測型高速ハンドオーバーを説明するシーケンス図である。
【符号の説明】
【０３３６】
１…モバイルＩＰｖ６ネットワーク
２…ＩＰｖ４ネットワーク
３…ＰＳＴＮ
５ａ、５ｂ…ページングドメイン
１０…ＲＡＤＩＵＳサーバ
１１…ＳＩＰ端末
１００、２００、３０１…中央制御部
１０１、２０２…ＣＰＵ
１０２、２０３…ＲＯＭ
１０３、２０４…ＲＡＭ
１０４ａ、１０４ｂ、２０６…無線制御部
１０６、２０８…アンテナ
１０７…バス切替部
１０８…ＨＹＢ
１５０、２５０、３５０…データテーブル
１６１…ＲＦ１パケット受信部
１６２…ＲＦ２パケット受信部
１６３…ラスト受信ＲＦ番号記憶部
１６４…ラスト受信シーケンス番号記憶部
１６５…番号取得部
２０１…ＭＡＣ制御部
２０５…ＰＨＹ
３０２…メモリ
３０３…Ｌ２スイッチＬＳＩ
３０４…４ポートＰＨＹ
３０５…ＲＳ−２３２Ｃインタフェース
３０６…電源部
３６０…バイキャストテーブル
ＡＰ１ａ、ＡＰ１ｂ、ＡＰ１ｎ、ＡＰ３ａ…アクセスポイント
ＡＲ１、ＡＲ２…アクセスルータ
ＧＷ１、ＧＷ２…ゲートウェイ
ＩＳＷ１、ＩＳＷ２、ＩＳＷ３、ＩＳＷ４…インテリジェントスイッチ
ＰＫＴ１、ＰＫＴ２、ＰＫＴ３…パケット
ＲＦ１、ＲＦ２…送受信機
ＳＴＡ１、ＳＴＡ２…モバイルＩＰ端末
Ｔ１、Ｔ２…トンネル
【図１】
2006087078.tif 000003
【図２】
2006087078.tif 000004
【図３】
2006087078.tif 000005
【図４】
2006087078.tif 000006
【図５】
2006087078.tif 000007
【図６】
2006087078.tif 000008
【図７】
2006087078.tif 000009
【図８】
2006087078.tif 000010
【図９】
2006087078.tif 000011
【図１０】
2006087078.tif 000012
【図１１】
2006087078.tif 000013
【図１２】
2006087078.tif 000014
【図１３】
2006087078.tif 000015
【図１４】
2006087078.tif 000016
【図１５】
2006087078.tif 000017
【図１６】
2006087078.tif 000018
【図１７】
2006087078.tif 000019
【図１８】
2006087078.tif 000020
【図１９】
2006087078.tif 000021
【図２０】
2006087078.tif 000022
【図２１】
2006087078.tif 000023
【図２２】
2006087078.tif 000024
【図２３】
2006087078.tif 000025
【図２４】
2006087078.tif 000026
【図２５】
2006087078.tif 000027
【図２６】
2006087078.tif 000028
【図２７】
2006087078.tif 000029
【図２８】
2006087078.tif 000030
【図２９】
2006087078.tif 000031
【図３０】
2006087078.tif 000032
【図３１】
2006087078.tif 000033
【図３２】
2006087078.tif 000034
【図３３】
2006087078.tif 000035
【図３４】
2006087078.tif 000036
【図３５】
2006087078.tif 000037
【図３６】
2006087078.tif 000038
【図３７】
2006087078.tif 000039
【図３８】
2006087078.tif 000040
【図３９】
2006087078.tif 000041
【図４０】
2006087078.tif 000042
【図４１】
2006087078.tif 000043
【図４２】
2006087078.tif 000044
【図４３】
2006087078.tif 000045
【図４４】
2006087078.tif 000046
【図４５】
2006087078.tif 000047
【図４６】
2006087078.tif 000048
【図４７】
2006087078.tif 000049
【図４８】
2006087078.tif 000050
【図４９】
2006087078.tif 000051